(57)【要約】【課題】固体撮像装置の性能をより向上させる。【解決手段】画素が配列された画素部が形成された第１半導体基板と、前記第１半導体基板上に積層された第１多層配線層と、を有する第１基板と、所定の機能を有する回路が形成された第２半導体基板と、前記第２半導体基板上に積層された第２多層配線層と、を有する第２基板と、所定の機能を有する回路が形成された第３半導体基板と、前記第３半導体基板上に積層された第３多層配線層と、を有する第３基板と、がこの順に積層されて構成され、前記第１基板と前記第２基板とは、前記第１多層配線層と前記第２多層配線層とが対向するように貼り合わされ、前記第１基板、前記第２基板、及び前記第３基板のうちのいずれか２つを電気的に接続するための第１の接続構造は、ビアを含み、前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、固体撮像装置を提供する。【選択図】図１
2018186197.tif 000002
【特許請求の範囲】
【請求項１】
画素が配列された画素部が形成された第１半導体基板と、前記第１半導体基板上に積層された第１多層配線層と、を有する第１基板と、
所定の機能を有する回路が形成された第２半導体基板と、前記第２半導体基板上に積層された第２多層配線層と、を有する第２基板と、
所定の機能を有する回路が形成された第３半導体基板と、前記第３半導体基板上に積層された第３多層配線層と、を有する第３基板と、
がこの順に積層されて構成され、
前記第１基板と前記第２基板とは、前記第１多層配線層と前記第２多層配線層とが対向するように貼り合わされ、
前記第１基板、前記第２基板、及び前記第３基板のうちのいずれか２つを電気的に接続するための第１の接続構造は、ビアを含み、
前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、
固体撮像装置。
【請求項２】
前記第２基板と前記第３基板とを電気的に接続するための第２の接続構造を更に有し、
前記第２の接続構造は、前記第２多層配線層内の所定の配線を露出させるように前記第１基板の裏面側から少なくとも前記第１基板を貫通して設けられる開口部、及び前記第３多層配線層内の所定の配線を露出させるように前記第１基板の裏面側から少なくとも前記第１基板及び前記第２基板を貫通して設けられる開口部、を含む、
請求項１に記載の固体撮像装置。
【請求項３】
前記開口部によって露出させられる前記第２多層配線層内の前記所定の配線及び前記第３多層配線層内の前記所定の配線は、Ｉ／Ｏ部として機能するパッドである、
請求項２に記載の固体撮像装置。
【請求項４】
前記第１基板の裏面側の面上にＩ／Ｏ部として機能するパッドが存在し、
前記開口部の内壁には導電材料が成膜されており、
前記導電材料によって、前記開口部によって露出させられる前記第２多層配線層内の前記所定の配線及び前記第３多層配線層内の前記所定の配線が、前記パッドと電気的に接続されている、
請求項２に記載の固体撮像装置。
【請求項５】
前記第２多層配線層内の前記所定の配線及び前記第３多層配線層内の前記所定の配線が、前記導電材料によって、同一の前記パッドと電気的に接続される、
請求項４に記載の固体撮像装置。
【請求項６】
前記第２多層配線層内の前記所定の配線及び前記第３多層配線層内の前記所定の配線が、前記導電材料によって、それぞれ異なる前記パッドと電気的に接続される、
請求項４に記載の固体撮像装置。
【請求項７】
前記第２基板と前記第３基板とを電気的に接続するための第２の接続構造を更に有し、
前記第２基板と前記第３基板とは、前記第２半導体基板と前記第３多層配線層とが対向するように貼り合わされ、
前記第２の接続構造は、前記第２基板の表面側から少なくとも前記第２基板を貫通して設けられ、前記第２多層配線層内の所定の配線と、前記第３多層配線層内の所定の配線と、を電気的に接続するビア、又は前記第３基板の裏面側から少なくとも前記第３基板を貫通して設けられ、前記第２多層配線層内の所定の配線と、前記第３多層配線層内の所定の配線と、を電気的に接続するビア、を含む、
請求項１に記載の固体撮像装置。
【請求項８】
前記第２の接続構造に係る前記ビアは、前記第２多層配線層内の前記所定の配線を露出させる第１の貫通孔と、前記第３多層配線層内の前記所定の配線を露出させる前記第１の貫通孔とは異なる第２の貫通孔と、に導電材料が埋め込まれた構造、又は前記第１の貫通孔及び前記第２の貫通孔の内壁に導電材料が成膜された構造、を有する、
請求項７に記載の固体撮像装置。
【請求項９】
前記第２の接続構造に係る前記ビアは、前記第２多層配線層内の前記所定の配線の一部を露出させつつ前記第３多層配線層内の前記所定の配線を露出させるように設けられる１つの貫通孔、又は前記第３多層配線層内の前記所定の配線の一部を露出させつつ前記第２多層配線層内の前記所定の配線を露出させるように設けられる１つの貫通孔に、導電材料が埋め込まれた構造、又は前記貫通孔の内壁に導電材料が成膜された構造、を有する、
請求項７に記載の固体撮像装置。
【請求項１０】
前記第１基板と前記第３基板とを電気的に接続するための第３の接続構造を更に有し、
前記第２基板と前記第３基板とは、前記第２半導体基板と前記第３多層配線層とが対向するように貼り合わされ、
前記第３の接続構造は、前記第１基板の裏面側から少なくとも前記第１基板及び前記第２基板を貫通して設けられ、前記第１多層配線層内の所定の配線と、前記第３多層配線層内の所定の配線と、を電気的に接続するビア、又は前記第３基板の裏面側から少なくとも前記第３基板及び前記第２基板を貫通して設けられ、前記第１多層配線層内の所定の配線と、前記第３多層配線層内の所定の配線と、を電気的に接続するビア、を含む、
請求項１に記載の固体撮像装置。
【請求項１１】
前記第３の接続構造に係る前記ビアは、前記第１多層配線層内の前記所定の配線を露出させる第１の貫通孔と、前記第３多層配線層内の前記所定の配線を露出させる前記第１の貫通孔とは異なる第２の貫通孔と、に導電材料が埋め込まれた構造、又は前記第１の貫通孔及び前記第２の貫通孔の内壁に導電材料が成膜された構造、を有する、
請求項１０に記載の固体撮像装置。
【請求項１２】
前記第３の接続構造に係る前記ビアは、前記第１多層配線層内の前記所定の配線の一部を露出させつつ前記第３多層配線層内の前記所定の配線を露出させるように設けられる１つの貫通孔、又は前記第３多層配線層内の前記所定の配線の一部を露出させつつ前記第１多層配線層内の前記所定の配線を露出させるように設けられる１つの貫通孔に、導電材料が埋め込まれた構造、又は前記貫通孔の内壁に導電材料が成膜された構造、を有する、
請求項１０に記載の固体撮像装置。
【請求項１３】
前記第２基板と前記第３基板とを電気的に接続するための第２の接続構造を更に有し、
前記第２の接続構造は、前記第２基板及び前記第３基板の貼り合わせ面に存在し、前記貼り合わせ面にそれぞれ形成される電極同士が直接接触した状態で接合している電極接合構造、を含む、
請求項１に記載の固体撮像装置。
【請求項１４】
前記第２基板及び前記第３基板は、前記固体撮像装置の動作に係る各種の信号処理を実行するロジック回路、及び前記第１基板の前記画素の各々によって取得された画素信号を一時的に保持するメモリ回路、の少なくともいずれかを有する、
請求項１に記載の固体撮像装置。
【請求項１５】
観察対象を電子的に撮影する固体撮像装置、を備え、
前記固体撮像装置は、
画素が配列された画素部が形成された第１半導体基板と、前記第１半導体基板上に積層された第１多層配線層と、を有する第１基板と、
所定の機能を有する回路が形成された第２半導体基板と、前記第２半導体基板上に積層された第２多層配線層と、を有する第２基板と、
所定の機能を有する回路が形成された第３半導体基板と、前記第３半導体基板上に積層された第３多層配線層と、を有する第３基板と、
がこの順に積層されて構成され、
前記第１基板と前記第２基板とは、前記第１多層配線層と前記第２多層配線層とが対向するように貼り合わされ、
前記第１基板、前記第２基板、及び前記第３基板のうちのいずれか２つを電気的に接続するための第１の接続構造は、ビアを含み、
前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、
電子機器。
【発明の詳細な説明】
【技術分野】
【０００１】
本開示は、固体撮像装置、及び電子機器に関する。
【背景技術】
【０００２】
固体撮像装置として、画素部が設けられる画素チップと、固体撮像装置の動作に係る各種の信号処理を実行するロジック回路が搭載されるロジックチップ等と、が積層された構造を有するものが開発されている。例えば、特許文献１には、画素チップと、ロジックチップと、画素チップの画素部において取得された画素信号を保持するメモリ回路が搭載されるメモリチップと、が積層された３層積層型の固体撮像装置が開示されている。【０００３】
なお、本明細書では、固体撮像装置の構造について説明する際に、画素チップ、ロジックチップ、又はメモリチップが形成される半導体基板と、当該半導体基板上に形成される多層配線層と、を合わせた構成を、「基板」とも呼称する。そして、当該「基板」のことを、積層構造における上側（観察光が入射する側）から下側に向かって、順に、「第１基板」、「第２基板」、「第３基板」、・・・と、それぞれ呼称して、区別する。なお、積層型の固体撮像装置は、各基板がウエハの状態で積層された後、複数個の積層型固体撮像装置（積層型固体撮像装置チップ）へとダイシングされることにより、製造される。本明細書では、便宜的に、「基板」とは、ダイシング前のウエハの状態も意味し得るし、ダイシング後のチップの状態も意味し得ることとする。
【先行技術文献】
【特許文献】
【０００４】
【特許文献１】特開２０１４−９９５８２号公報
【発明の概要】
【発明が解決しようとする課題】
【０００５】
特許文献１に記載されているような積層型の固体撮像装置においては、上下の基板に備わる信号線間及び電源線間の電気的な接続方法として、いくつかの方法が考案されている。例えば、パッドを介してチップの外部で接続する方法や、ＴＳＶ（Through−Silicon  Via）によってチップの内部で接続する方法等が存在する。これまで、この基板に備わる信号線間及び電源線間の電気的な接続方法のバリエーションについては、必ずしも詳細な検討が行われているとは言えなかった。かかるバリエーションについて詳細に検討を行うことにより、より高性能な固体撮像装置を得るための適切な構造についての知見が得られる可能性がある。【０００６】
そこで、本開示では、性能をより向上させることが可能な、新規かつ改良された固体撮像装置及び電子機器を提案する。
【課題を解決するための手段】
【０００７】
本開示によれば、画素が配列された画素部が形成された第１半導体基板と、前記第１半導体基板上に積層された第１多層配線層と、を有する第１基板と、所定の機能を有する回路が形成された第２半導体基板と、前記第２半導体基板上に積層された第２多層配線層と、を有する第２基板と、所定の機能を有する回路が形成された第３半導体基板と、前記第３半導体基板上に積層された第３多層配線層と、を有する第３基板と、がこの順に積層されて構成され、前記第１基板と前記第２基板とは、前記第１多層配線層と前記第２多層配線層とが対向するように貼り合わされ、前記第１基板、前記第２基板、及び前記第３基板のうちのいずれか２つを電気的に接続するための第１の接続構造は、ビアを含み、前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、固体撮像装置が提供される。【０００８】
また、本開示によれば、観察対象を電子的に撮影する固体撮像装置、を備え、前記固体撮像装置は、画素が配列された画素部が形成された第１半導体基板と、前記第１半導体基板上に積層された第１多層配線層と、を有する第１基板と、所定の機能を有する回路が形成された第２半導体基板と、前記第２半導体基板上に積層された第２多層配線層と、を有する第２基板と、所定の機能を有する回路が形成された第３半導体基板と、前記第３半導体基板上に積層された第３多層配線層と、を有する第３基板と、がこの順に積層されて構成され、前記第１基板と前記第２基板とは、前記第１多層配線層と前記第２多層配線層とが対向するように貼り合わされ、前記第１基板、前記第２基板、及び前記第３基板のうちのいずれか２つを電気的に接続するための第１の接続構造は、ビアを含み、前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、電子機器が提供される。【０００９】
本開示によれば、３つの基板が積層されて構成される固体撮像装置において、画素基板である第１基板と第２基板とがフェイストゥフェイス（詳細については後述する）で貼り合わせられるとともに、第１基板の第１多層配線層、第２基板の第２多層配線層、及び第３基板の第３多層配線層のうちのいずれかに含まれる第１の配線を露出させるように設けられる一の貫通孔と、これら第１多層配線層、第２多層配線層、及び第３多層配線層のうちの当該第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有するビア（すなわち、後述するツインコンタクト型の２層間又は３層間のビア）が設けられる。当該構成によれば、第２基板に備わる信号線及び電源線と第３基板に備わる信号線及び電源線とをそれぞれ電気的に接続するための第２の接続構造、及び／又は第１基板に備わる信号線及び電源線と第３基板に備わる信号線及び電源線とをそれぞれ電気的に接続するための第３の接続構造として、各種の接続構造を更に設けることにより、接続構造についての多様なバリエーションを実現することができる。よって、性能をより向上させ得るような、優れた固体撮像装置が実現され得る。
【発明の効果】
【００１０】
以上説明したように本開示によれば、固体撮像装置の性能をより向上させることが可能になる。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１１】
【図１】本開示の一実施形態に係る固体撮像装置の概略構成を示す縦断面図である。
【図２Ａ】固体撮像装置における接続構造の水平面内での配置の一例について説明するための図である。
【図２Ｂ】固体撮像装置における接続構造の水平面内での配置の一例について説明するための図である。
【図２Ｃ】固体撮像装置における接続構造の水平面内での配置の他の例について説明するための図である。
【図２Ｄ】固体撮像装置における接続構造の水平面内での配置の他の例について説明するための図である。
【図２Ｅ】固体撮像装置における接続構造の水平面内での配置の更に他の例について説明するための図である。
【図２Ｆ】固体撮像装置における接続構造の水平面内での配置の更に他の例について説明するための図である。
【図３Ａ】第１基板と第２基板とがＦｔｏＦで貼り合わされた固体撮像装置の概略構成を示す縦断面図である。
【図３Ｂ】第１基板と第２基板とがＦｔｏＢで貼り合わされた固体撮像装置の概略構成を示す縦断面図である。
【図４Ａ】図３Ａに示す固体撮像装置における、ＰＷＥＬＬと電源配線との間の寄生容量について説明するための図である。
【図４Ｂ】図３Ｂに示す固体撮像装置における、ＰＷＥＬＬと電源配線との間の寄生容量について説明するための図である。
【図５Ａ】図３Ａに示す固体撮像装置における、電源配線及びＧＮＤ配線の配置を概略的に示す図である。
【図５Ｂ】図３Ｂに示す固体撮像装置における、電源配線及びＧＮＤ配線の配置を概略的に示す図である。
【図５Ｃ】図５Ａに示す固体撮像装置におけるインピーダンスを低下させるための一構成例を示す図である。
【図６Ａ】本実施形態の第１の構成例に係る固体撮像装置の概略構成を示す縦断面図である。
【図６Ｂ】本実施形態の第１の構成例に係る固体撮像装置の概略構成を示す縦断面図である。
【図６Ｃ】本実施形態の第１の構成例に係る固体撮像装置の概略構成を示す縦断面図である。
【図６Ｄ】本実施形態の第１の構成例に係る固体撮像装置の概略構成を示す縦断面図である。
【図６Ｅ】本実施形態の第１の構成例に係る固体撮像装置の概略構成を示す縦断面図である。
【図７Ａ】本実施形態の第２の構成例に係る固体撮像装置の概略構成を示す縦断面図である。
【図７Ｂ】本実施形態の第２の構成例に係る固体撮像装置の概略構成を示す縦断面図である。
【図７Ｃ】本実施形態の第２の構成例に係る固体撮像装置の概略構成を示す縦断面図である。
【図７Ｄ】本実施形態の第２の構成例に係る固体撮像装置の概略構成を示す縦断面図である。
【図７Ｅ】本実施形態の第２の構成例に係る固体撮像装置の概略構成を示す縦断面図である。
【図７Ｆ】本実施形態の第２の構成例に係る固体撮像装置の概略構成を示す縦断面図である。
【図７Ｇ】本実施形態の第２の構成例に係る固体撮像装置の概略構成を示す縦断面図である。
【図７Ｈ】本実施形態の第２の構成例に係る固体撮像装置の概略構成を示す縦断面図である。
【図７Ｉ】本実施形態の第２の構成例に係る固体撮像装置の概略構成を示す縦断面図である。
【図７Ｊ】本実施形態の第２の構成例に係る固体撮像装置の概略構成を示す縦断面図である。
【図７Ｋ】本実施形態の第２の構成例に係る固体撮像装置の概略構成を示す縦断面図である。
【図８Ａ】本実施形態の第３の構成例に係る固体撮像装置の概略構成を示す縦断面図である。
【図８Ｂ】本実施形態の第３の構成例に係る固体撮像装置の概略構成を示す縦断面図である。
【図８Ｃ】本実施形態の第３の構成例に係る固体撮像装置の概略構成を示す縦断面図である。
【図８Ｄ】本実施形態の第３の構成例に係る固体撮像装置の概略構成を示す縦断面図である。
【図８Ｅ】本実施形態の第３の構成例に係る固体撮像装置の概略構成を示す縦断面図である。
【図８Ｆ】本実施形態の第３の構成例に係る固体撮像装置の概略構成を示す縦断面図である。
【図８Ｇ】本実施形態の第３の構成例に係る固体撮像装置の概略構成を示す縦断面図である。
【図９Ａ】本実施形態の第４の構成例に係る固体撮像装置の概略構成を示す縦断面図である。
【図９Ｂ】本実施形態の第４の構成例に係る固体撮像装置の概略構成を示す縦断面図である。
【図９Ｃ】本実施形態の第４の構成例に係る固体撮像装置の概略構成を示す縦断面図である。
【図９Ｄ】本実施形態の第４の構成例に係る固体撮像装置の概略構成を示す縦断面図である。
【図９Ｅ】本実施形態の第４の構成例に係る固体撮像装置の概略構成を示す縦断面図である。
【図９Ｆ】本実施形態の第４の構成例に係る固体撮像装置の概略構成を示す縦断面図である。
【図９Ｇ】本実施形態の第４の構成例に係る固体撮像装置の概略構成を示す縦断面図である。
【図９Ｈ】本実施形態の第４の構成例に係る固体撮像装置の概略構成を示す縦断面図である。
【図９Ｉ】本実施形態の第４の構成例に係る固体撮像装置の概略構成を示す縦断面図である。
【図９Ｊ】本実施形態の第４の構成例に係る固体撮像装置の概略構成を示す縦断面図である。
【図９Ｋ】本実施形態の第４の構成例に係る固体撮像装置の概略構成を示す縦断面図である。
【図１０Ａ】本実施形態の第５の構成例に係る固体撮像装置の概略構成を示す縦断面図である。
【図１０Ｂ】本実施形態の第５の構成例に係る固体撮像装置の概略構成を示す縦断面図である。
【図１０Ｃ】本実施形態の第５の構成例に係る固体撮像装置の概略構成を示す縦断面図である。
【図１０Ｄ】本実施形態の第５の構成例に係る固体撮像装置の概略構成を示す縦断面図である。
【図１０Ｅ】本実施形態の第５の構成例に係る固体撮像装置の概略構成を示す縦断面図である。
【図１０Ｆ】本実施形態の第５の構成例に係る固体撮像装置の概略構成を示す縦断面図である。
【図１０Ｇ】本実施形態の第５の構成例に係る固体撮像装置の概略構成を示す縦断面図である。
【図１１Ａ】本実施形態の第６の構成例に係る固体撮像装置の概略構成を示す縦断面図である。
【図１１Ｂ】本実施形態の第６の構成例に係る固体撮像装置の概略構成を示す縦断面図である。
【図１１Ｃ】本実施形態の第６の構成例に係る固体撮像装置の概略構成を示す縦断面図である。
【図１１Ｄ】本実施形態の第６の構成例に係る固体撮像装置の概略構成を示す縦断面図である。
【図１１Ｅ】本実施形態の第６の構成例に係る固体撮像装置の概略構成を示す縦断面図である。
【図１１Ｆ】本実施形態の第６の構成例に係る固体撮像装置の概略構成を示す縦断面図である。
【図１２Ａ】本実施形態の第７の構成例に係る固体撮像装置の概略構成を示す縦断面図である。
【図１２Ｂ】本実施形態の第７の構成例に係る固体撮像装置の概略構成を示す縦断面図である。
【図１２Ｃ】本実施形態の第７の構成例に係る固体撮像装置の概略構成を示す縦断面図である。
【図１２Ｄ】本実施形態の第７の構成例に係る固体撮像装置の概略構成を示す縦断面図である。
【図１２Ｅ】本実施形態の第７の構成例に係る固体撮像装置の概略構成を示す縦断面図である。
【図１２Ｆ】本実施形態の第７の構成例に係る固体撮像装置の概略構成を示す縦断面図である。
【図１２Ｇ】本実施形態の第７の構成例に係る固体撮像装置の概略構成を示す縦断面図である。
【図１２Ｈ】本実施形態の第７の構成例に係る固体撮像装置の概略構成を示す縦断面図である。
【図１２Ｉ】本実施形態の第７の構成例に係る固体撮像装置の概略構成を示す縦断面図である。
【図１２Ｊ】本実施形態の第７の構成例に係る固体撮像装置の概略構成を示す縦断面図である。
【図１２Ｋ】本実施形態の第７の構成例に係る固体撮像装置の概略構成を示す縦断面図である。
【図１２Ｌ】本実施形態の第７の構成例に係る固体撮像装置の概略構成を示す縦断面図である。
【図１３Ａ】本実施形態の第８の構成例に係る固体撮像装置の概略構成を示す縦断面図である。
【図１３Ｂ】本実施形態の第８の構成例に係る固体撮像装置の概略構成を示す縦断面図である。
【図１３Ｃ】本実施形態の第８の構成例に係る固体撮像装置の概略構成を示す縦断面図である。
【図１３Ｄ】本実施形態の第８の構成例に係る固体撮像装置の概略構成を示す縦断面図である。
【図１３Ｅ】本実施形態の第８の構成例に係る固体撮像装置の概略構成を示す縦断面図である。
【図１３Ｆ】本実施形態の第８の構成例に係る固体撮像装置の概略構成を示す縦断面図である。
【図１３Ｇ】本実施形態の第８の構成例に係る固体撮像装置の概略構成を示す縦断面図である。
【図１３Ｈ】本実施形態の第８の構成例に係る固体撮像装置の概略構成を示す縦断面図である。
【図１４Ａ】本実施形態の第９の構成例に係る固体撮像装置の概略構成を示す縦断面図である。
【図１４Ｂ】本実施形態の第９の構成例に係る固体撮像装置の概略構成を示す縦断面図である。
【図１４Ｃ】本実施形態の第９の構成例に係る固体撮像装置の概略構成を示す縦断面図である。
【図１４Ｄ】本実施形態の第９の構成例に係る固体撮像装置の概略構成を示す縦断面図である。
【図１４Ｅ】本実施形態の第９の構成例に係る固体撮像装置の概略構成を示す縦断面図である。
【図１４Ｆ】本実施形態の第９の構成例に係る固体撮像装置の概略構成を示す縦断面図である。
【図１４Ｇ】本実施形態の第９の構成例に係る固体撮像装置の概略構成を示す縦断面図である。
【図１４Ｈ】本実施形態の第９の構成例に係る固体撮像装置の概略構成を示す縦断面図である。
【図１４Ｉ】本実施形態の第９の構成例に係る固体撮像装置の概略構成を示す縦断面図である。
【図１４Ｊ】本実施形態の第９の構成例に係る固体撮像装置の概略構成を示す縦断面図である。
【図１４Ｋ】本実施形態の第９の構成例に係る固体撮像装置の概略構成を示す縦断面図である。
【図１５Ａ】本実施形態の第１０の構成例に係る固体撮像装置の概略構成を示す縦断面図である。
【図１５Ｂ】本実施形態の第１０の構成例に係る固体撮像装置の概略構成を示す縦断面図である。
【図１５Ｃ】本実施形態の第１０の構成例に係る固体撮像装置の概略構成を示す縦断面図である。
【図１５Ｄ】本実施形態の第１０の構成例に係る固体撮像装置の概略構成を示す縦断面図である。
【図１５Ｅ】本実施形態の第１０の構成例に係る固体撮像装置の概略構成を示す縦断面図である。
【図１５Ｆ】本実施形態の第１０の構成例に係る固体撮像装置の概略構成を示す縦断面図である。
【図１５Ｇ】本実施形態の第１０の構成例に係る固体撮像装置の概略構成を示す縦断面図である。
【図１６Ａ】本実施形態の第１１の構成例に係る固体撮像装置の概略構成を示す縦断面図である。
【図１６Ｂ】本実施形態の第１１の構成例に係る固体撮像装置の概略構成を示す縦断面図である。
【図１６Ｃ】本実施形態の第１１の構成例に係る固体撮像装置の概略構成を示す縦断面図である。
【図１６Ｄ】本実施形態の第１１の構成例に係る固体撮像装置の概略構成を示す縦断面図である。
【図１６Ｅ】本実施形態の第１１の構成例に係る固体撮像装置の概略構成を示す縦断面図である。
【図１６Ｆ】本実施形態の第１１の構成例に係る固体撮像装置の概略構成を示す縦断面図である。
【図１６Ｇ】本実施形態の第１１の構成例に係る固体撮像装置の概略構成を示す縦断面図である。
【図１７Ａ】本実施形態の第１２の構成例に係る固体撮像装置の概略構成を示す縦断面図である。
【図１７Ｂ】本実施形態の第１２の構成例に係る固体撮像装置の概略構成を示す縦断面図である。
【図１７Ｃ】本実施形態の第１２の構成例に係る固体撮像装置の概略構成を示す縦断面図である。
【図１７Ｄ】本実施形態の第１２の構成例に係る固体撮像装置の概略構成を示す縦断面図である。
【図１７Ｅ】本実施形態の第１２の構成例に係る固体撮像装置の概略構成を示す縦断面図である。
【図１７Ｆ】本実施形態の第１２の構成例に係る固体撮像装置の概略構成を示す縦断面図である。
【図１７Ｇ】本実施形態の第１２の構成例に係る固体撮像装置の概略構成を示す縦断面図である。
【図１７Ｈ】本実施形態の第１２の構成例に係る固体撮像装置の概略構成を示す縦断面図である。
【図１７Ｉ】本実施形態の第１２の構成例に係る固体撮像装置の概略構成を示す縦断面図である。
【図１７Ｊ】本実施形態の第１２の構成例に係る固体撮像装置の概略構成を示す縦断面図である。
【図１８Ａ】本実施形態の第１３の構成例に係る固体撮像装置の概略構成を示す縦断面図である。
【図１８Ｂ】本実施形態の第１３の構成例に係る固体撮像装置の概略構成を示す縦断面図である。
【図１８Ｃ】本実施形態の第１３の構成例に係る固体撮像装置の概略構成を示す縦断面図である。
【図１８Ｄ】本実施形態の第１３の構成例に係る固体撮像装置の概略構成を示す縦断面図である。
【図１８Ｅ】本実施形態の第１３の構成例に係る固体撮像装置の概略構成を示す縦断面図である。
【図１８Ｆ】本実施形態の第１３の構成例に係る固体撮像装置の概略構成を示す縦断面図である。
【図１８Ｇ】本実施形態の第１３の構成例に係る固体撮像装置の概略構成を示す縦断面図である。
【図１９Ａ】本実施形態の第１４の構成例に係る固体撮像装置の概略構成を示す縦断面図である。
【図１９Ｂ】本実施形態の第１４の構成例に係る固体撮像装置の概略構成を示す縦断面図である。
【図１９Ｃ】本実施形態の第１４の構成例に係る固体撮像装置の概略構成を示す縦断面図である。
【図１９Ｄ】本実施形態の第１４の構成例に係る固体撮像装置の概略構成を示す縦断面図である。
【図１９Ｅ】本実施形態の第１４の構成例に係る固体撮像装置の概略構成を示す縦断面図である。
【図１９Ｆ】本実施形態の第１４の構成例に係る固体撮像装置の概略構成を示す縦断面図である。
【図１９Ｇ】本実施形態の第１４の構成例に係る固体撮像装置の概略構成を示す縦断面図である。
【図１９Ｈ】本実施形態の第１４の構成例に係る固体撮像装置の概略構成を示す縦断面図である。
【図１９Ｉ】本実施形態の第１４の構成例に係る固体撮像装置の概略構成を示す縦断面図である。
【図１９Ｊ】本実施形態の第１４の構成例に係る固体撮像装置の概略構成を示す縦断面図である。
【図１９Ｋ】本実施形態の第１４の構成例に係る固体撮像装置の概略構成を示す縦断面図である。
【図２０Ａ】本実施形態の第１５の構成例に係る固体撮像装置の概略構成を示す縦断面図である。
【図２０Ｂ】本実施形態の第１５の構成例に係る固体撮像装置の概略構成を示す縦断面図である。
【図２０Ｃ】本実施形態の第１５の構成例に係る固体撮像装置の概略構成を示す縦断面図である。
【図２０Ｄ】本実施形態の第１５の構成例に係る固体撮像装置の概略構成を示す縦断面図である。
【図２０Ｅ】本実施形態の第１５の構成例に係る固体撮像装置の概略構成を示す縦断面図である。
【図２０Ｆ】本実施形態の第１５の構成例に係る固体撮像装置の概略構成を示す縦断面図である。
【図２０Ｇ】本実施形態の第１５の構成例に係る固体撮像装置の概略構成を示す縦断面図である。
【図２１Ａ】本実施形態の第１６の構成例に係る固体撮像装置の概略構成を示す縦断面図である。
【図２１Ｂ】本実施形態の第１６の構成例に係る固体撮像装置の概略構成を示す縦断面図である。
【図２１Ｃ】本実施形態の第１６の構成例に係る固体撮像装置の概略構成を示す縦断面図である。
【図２１Ｄ】本実施形態の第１６の構成例に係る固体撮像装置の概略構成を示す縦断面図である。
【図２１Ｅ】本実施形態の第１６の構成例に係る固体撮像装置の概略構成を示す縦断面図である。
【図２１Ｆ】本実施形態の第１６の構成例に係る固体撮像装置の概略構成を示す縦断面図である。
【図２１Ｇ】本実施形態の第１６の構成例に係る固体撮像装置の概略構成を示す縦断面図である。
【図２１Ｈ】本実施形態の第１６の構成例に係る固体撮像装置の概略構成を示す縦断面図である。
【図２１Ｉ】本実施形態の第１６の構成例に係る固体撮像装置の概略構成を示す縦断面図である。
【図２１Ｊ】本実施形態の第１６の構成例に係る固体撮像装置の概略構成を示す縦断面図である。
【図２１Ｋ】本実施形態の第１６の構成例に係る固体撮像装置の概略構成を示す縦断面図である。
【図２１Ｌ】本実施形態の第１６の構成例に係る固体撮像装置の概略構成を示す縦断面図である。
【図２１Ｍ】本実施形態の第１６の構成例に係る固体撮像装置の概略構成を示す縦断面図である。
【図２２Ａ】本実施形態の第１７の構成例に係る固体撮像装置の概略構成を示す縦断面図である。
【図２２Ｂ】本実施形態の第１７の構成例に係る固体撮像装置の概略構成を示す縦断面図である。
【図２２Ｃ】本実施形態の第１７の構成例に係る固体撮像装置の概略構成を示す縦断面図である。
【図２２Ｄ】本実施形態の第１７の構成例に係る固体撮像装置の概略構成を示す縦断面図である。
【図２２Ｅ】本実施形態の第１７の構成例に係る固体撮像装置の概略構成を示す縦断面図である。
【図２２Ｆ】本実施形態の第１７の構成例に係る固体撮像装置の概略構成を示す縦断面図である。
【図２２Ｇ】本実施形態の第１７の構成例に係る固体撮像装置の概略構成を示す縦断面図である。
【図２２Ｈ】本実施形態の第１７の構成例に係る固体撮像装置の概略構成を示す縦断面図である。
【図２２Ｉ】本実施形態の第１７の構成例に係る固体撮像装置の概略構成を示す縦断面図である。
【図２２Ｊ】本実施形態の第１７の構成例に係る固体撮像装置の概略構成を示す縦断面図である。
【図２２Ｋ】本実施形態の第１７の構成例に係る固体撮像装置の概略構成を示す縦断面図である。
【図２２Ｌ】本実施形態の第１７の構成例に係る固体撮像装置の概略構成を示す縦断面図である。
【図２２Ｍ】本実施形態の第１７の構成例に係る固体撮像装置の概略構成を示す縦断面図である。
【図２３Ａ】本実施形態の第１８の構成例に係る固体撮像装置の概略構成を示す縦断面図である。
【図２３Ｂ】本実施形態の第１８の構成例に係る固体撮像装置の概略構成を示す縦断面図である。
【図２３Ｃ】本実施形態の第１８の構成例に係る固体撮像装置の概略構成を示す縦断面図である。
【図２３Ｄ】本実施形態の第１８の構成例に係る固体撮像装置の概略構成を示す縦断面図である。
【図２３Ｅ】本実施形態の第１８の構成例に係る固体撮像装置の概略構成を示す縦断面図である。
【図２３Ｆ】本実施形態の第１８の構成例に係る固体撮像装置の概略構成を示す縦断面図である。
【図２３Ｇ】本実施形態の第１８の構成例に係る固体撮像装置の概略構成を示す縦断面図である。
【図２３Ｈ】本実施形態の第１８の構成例に係る固体撮像装置の概略構成を示す縦断面図である。
【図２３Ｉ】本実施形態の第１８の構成例に係る固体撮像装置の概略構成を示す縦断面図である。
【図２３Ｊ】本実施形態の第１８の構成例に係る固体撮像装置の概略構成を示す縦断面図である。
【図２３Ｋ】本実施形態の第１８の構成例に係る固体撮像装置の概略構成を示す縦断面図である。
【図２４Ａ】本実施形態の第１９の構成例に係る固体撮像装置の概略構成を示す縦断面図である。
【図２４Ｂ】本実施形態の第１９の構成例に係る固体撮像装置の概略構成を示す縦断面図である。
【図２４Ｃ】本実施形態の第１９の構成例に係る固体撮像装置の概略構成を示す縦断面図である。
【図２４Ｄ】本実施形態の第１９の構成例に係る固体撮像装置の概略構成を示す縦断面図である。
【図２４Ｅ】本実施形態の第１９の構成例に係る固体撮像装置の概略構成を示す縦断面図である。
【図２４Ｆ】本実施形態の第１９の構成例に係る固体撮像装置の概略構成を示す縦断面図である。
【図２４Ｇ】本実施形態の第１９の構成例に係る固体撮像装置の概略構成を示す縦断面図である。
【図２４Ｈ】本実施形態の第１９の構成例に係る固体撮像装置の概略構成を示す縦断面図である。
【図２４Ｉ】本実施形態の第１９の構成例に係る固体撮像装置の概略構成を示す縦断面図である。
【図２４Ｊ】本実施形態の第１９の構成例に係る固体撮像装置の概略構成を示す縦断面図である。
【図２４Ｋ】本実施形態の第１９の構成例に係る固体撮像装置の概略構成を示す縦断面図である。
【図２４Ｌ】本実施形態の第１９の構成例に係る固体撮像装置の概略構成を示す縦断面図である。
【図２４Ｍ】本実施形態の第１９の構成例に係る固体撮像装置の概略構成を示す縦断面図である。
【図２５Ａ】本実施形態の第２０の構成例に係る固体撮像装置の概略構成を示す縦断面図である。
【図２５Ｂ】本実施形態の第２０の構成例に係る固体撮像装置の概略構成を示す縦断面図である。
【図２５Ｃ】本実施形態の第２０の構成例に係る固体撮像装置の概略構成を示す縦断面図である。
【図２５Ｄ】本実施形態の第２０の構成例に係る固体撮像装置の概略構成を示す縦断面図である。
【図２５Ｅ】本実施形態の第２０の構成例に係る固体撮像装置の概略構成を示す縦断面図である。
【図２５Ｆ】本実施形態の第２０の構成例に係る固体撮像装置の概略構成を示す縦断面図である。
【図２５Ｇ】本実施形態の第２０の構成例に係る固体撮像装置の概略構成を示す縦断面図である。
【図２５Ｈ】本実施形態の第２０の構成例に係る固体撮像装置の概略構成を示す縦断面図である。
【図２５Ｉ】本実施形態の第２０の構成例に係る固体撮像装置の概略構成を示す縦断面図である。
【図２５Ｊ】本実施形態の第２０の構成例に係る固体撮像装置の概略構成を示す縦断面図である。
【図２５Ｋ】本実施形態の第２０の構成例に係る固体撮像装置の概略構成を示す縦断面図である。
【図２６Ａ】本実施形態に係る固体撮像装置が適用され得る電子機器の一例である、スマートフォンの外観を示す図である。
【図２６Ｂ】本実施形態に係る固体撮像装置が適用され得る電子機器の他の例である、デジタルカメラの外観を示す図である。
【図２６Ｃ】本実施形態に係る固体撮像装置が適用され得る電子機器の他の例である、デジタルカメラの外観を示す図である。
【図２７Ａ】本開示に係る技術を適用し得る固体撮像装置の構成例を示す断面図である。
【図２７Ｂ】本開示に係る技術が適用され得る固体撮像装置の概略構成を示す説明図である。
【図２７Ｃ】本開示に係る技術が適用され得るビデオカメラの構成例を示す説明図である。
【図２７Ｄ】内視鏡手術システムの概略的な構成の一例を示す図である。
【図２７Ｅ】カメラヘッド及びＣＣＵの機能構成の一例を示すブロック図である。
【図２７Ｆ】車両制御システムの概略的な構成の一例を示すブロック図である。
【図２７Ｇ】車外情報検出部及び撮像部の設置位置の一例を示す説明図である。
【発明を実施するための形態】
【００１２】
以下に添付図面を参照しながら、本開示の好適な実施形態について詳細に説明する。なお、本明細書及び図面において、実質的に同一の機能構成を有する構成要素については、同一の符号を付することにより重複説明を省略する。
【００１３】
また、以下に示す各図面では、説明のため、一部の構成部材の大きさを誇張して表現している場合がある。各図面において図示される各構成部材の相対的な大きさは、必ずしも実際の構成部材間における大小関係を正確に表現するものではない。
【００１４】
なお、説明は以下の順序で行うものとする。
１．固体撮像装置の全体構成
２．接続構造の配置について
３．第２基板の方向について
３−１．ＰＷＥＬＬの面積に基づく検討
３−２．消費電力及びＧＮＤ配線の配置に基づく検討
４．固体撮像装置の構成のバリエーション
４−１．第１の構成例
４−２．第２の構成例
４−３．第３の構成例
４−４．第４の構成例
４−５．第５の構成例
４−６．第６の構成例
４−７．第７の構成例
４−８．第８の構成例
４−９．第９の構成例
４−１０．第１０の構成例
４−１１．第１１の構成例
４−１２．第１２の構成例
４−１３．第１３の構成例
４−１４．第１４の構成例
４−１５．第１５の構成例
４−１６．第１６の構成例
４−１７．第１７の構成例
４−１８．第１８の構成例
４−１９．第１９の構成例
４−２０．第２０の構成例
４−２１．まとめ
５．適用例
６．補足
【００１５】
（１．固体撮像装置の全体構成）
図１は、本開示の一実施形態に係る固体撮像装置の概略構成を示す縦断面図である。図１に示すように、本実施形態に係る固体撮像装置１は、第１基板１１０Ａと、第２基板１１０Ｂと、第３基板１１０Ｃと、が積層されて構成される、３層積層型の固体撮像装置である。図中において、破線Ａ−Ａは、第１基板１１０Ａと第２基板１１０Ｂとの貼り合わせ面を示しており、破線Ｂ−Ｂは、第２基板１１０Ｂと第３基板１１０Ｃとの貼り合わせ面を示している。第１基板１１０Ａは、画素部が設けられる画素基板である。第２基板１１０Ｂ及び第３基板１１０Ｃには、固体撮像装置１の動作に係る各種の信号処理を行うための回路が設けられる。第２基板１１０Ｂ及び第３基板１１０Ｃは、例えば、ロジック回路が設けられるロジック基板又はメモリ回路が設けられるメモリ基板である。固体撮像装置１は、第１基板１１０Ａの後述する裏面側から入射した光を画素部において光電変換する、裏面照射型のＣＭＯＳ（Complementary  Metal−Oxide−Semiconductor）イメージセンサである。なお、以下、図１についての説明では、一例として、第２基板１１０Ｂがロジック基板であり、第３基板１１０Ｃがメモリ基板である場合について説明する。
【００１６】
積層型の固体撮像装置１では、各基板の機能に対応するように、各回路をより適切に構成することが可能であるため、固体撮像装置１の高機能化をより容易に実現することができる。図示する構成例であれば、第１基板１１０Ａにおける画素部と、第２基板１１０Ｂ及び第３基板１１０Ｃにおけるロジック回路又はメモリ回路と、を各基板の機能に対応するように適切に構成することができるため、高機能な固体撮像装置１を実現することができる。
【００１７】
なお、以下では、第１基板１１０Ａ、第２基板１１０Ｂ及び第３基板１１０Ｃの積層方向をｚ軸方向とも呼称する。また、ｚ軸方向において第１基板１１０Ａが位置する方向をｚ軸の正方向と定義する。また、ｚ軸方向と垂直な面（水平面）上において互いに直交する２方向を、それぞれ、ｘ軸方向及びｙ軸方向とも呼称する。また、以下では、各基板において、後述する半導体基板１０１、１２１、１３１が基板主面方向に対向して備える２つの面のうち、トランジスタ等の機能部品が設けられる側の面、又は当該機能部品を動作させるための後述する多層配線層１０５、１２５、１３５が設けられる側の面を、表面（フロントサイドサーフェイス）とも呼称し、当該表面に対向するもう一方の面を、裏面（バックサイドサーフェイス）とも呼称する。そして、各基板において、当該表面を備える側を表面側（フロントサイド）とも呼称し、当該裏面を備える側を裏面側（バックサイド）とも呼称する。
【００１８】
第１基板１１０Ａは、例えばシリコン（Ｓｉ）からなる半導体基板１０１と、当該半導体基板１０１上に形成される多層配線層１０５と、を主に有する。半導体基板１０１上には、画素が２次元状に並べられた画素部と、画素信号を処理する画素信号処理回路と、が主に形成される。各画素は、観察対象からの光（観察光）を受光し光電変換するフォトダイオード（ＰＤ）と、当該ＰＤによって取得された観察光に対応する電気信号（画素信号）を読み出すためのトランジスタ等を有する駆動回路と、から主に構成される。画素信号処理回路において、画素信号に対して、例えばアナログ−デジタル変換（ＡＤ変換）等の各種の信号処理が実行される。なお、本実施形態では、画素部は、画素が２次元状に配列されて構成されるものに限定されず、画素が３次元状に配列されて構成されてもよい。また、本実施形態では、半導体基板１０１に代えて、半導体以外の材料によって形成される基板が用いられてもよい。例えば、半導体基板１０１に代えてサファイア基板が用いられてもよい。この場合、当該サファイア基板の上に光電変換を行う膜（例えば有機光電変換膜）が堆積されて画素が形成される形態が適用されてもよい。
【００１９】
画素部及び画素信号処理回路が形成された半導体基板１０１の表面には、絶縁膜１０３が積層される。絶縁膜１０３の内部には、画素信号、及び駆動回路のトランジスタを駆動するための駆動信号等の各種の信号を伝達するための信号線配線を含む多層配線層１０５が形成される。多層配線層１０５には、更に、電源配線やグランド配線（ＧＮＤ配線）等が含まれる。なお、以下では、簡単のため、信号線配線のことを単に信号線と記載することがある。また、電源配線及びＧＮＤ配線を併せて電源線と記載することがある。多層配線層１０５の最下層の配線は、例えばタングステン（Ｗ）等の導電材料が埋め込まれたコンタクト１０７によって、画素部又は画素信号処理回路と電気的に接続され得る。なお、実際には、所定の厚さの層間絶縁膜の形成と、配線層の形成と、を繰り返すことにより、複数層の配線層が形成され得るが、図１では、簡単のため、これら複数層の層間絶縁膜を絶縁膜１０３と総称し、複数層の配線層を多層配線層１０５と総称する。
【００２０】
なお、多層配線層１０５には、外部との間で各種の信号のやり取りを行うための外部入出力部（Ｉ／Ｏ部）として機能するパッド１５１が形成され得る。パッド１５１は、チップの外周に沿って設けられ得る。
【００２１】
第２基板１１０Ｂは、例えばロジック基板である。第２基板１１０Ｂは、例えばＳｉからなる半導体基板１２１と、当該半導体基板１２１上に形成される多層配線層１２５と、を主に有する。半導体基板１２１上には、ロジック回路が形成される。当該ロジック回路では、固体撮像装置１の動作に係る各種の信号処理が実行される。例えば、当該ロジック回路では、第１基板１１０Ａの画素部を駆動するための駆動信号の制御（すなわち、画素部の駆動制御）や、外部との信号のやり取りが制御され得る。なお、本実施形態では、半導体基板１２１に代えて、半導体以外の材料によって形成される基板が用いられてもよい。例えば、半導体基板１２１に代えてサファイア基板が用いられてもよい。この場合、当該サファイア基板の上に半導体膜（例えばＳｉ膜）が堆積され、当該半導体膜においてロジック回路が形成される形態が適用されてもよい。
【００２２】
ロジック回路が形成された半導体基板１２１の表面には、絶縁膜１２３が積層される。絶縁膜１２３の内部には、ロジック回路の動作に係る各種の信号を伝達するための多層配線層１２５が形成される。多層配線層１２５には、更に、電源配線やＧＮＤ配線等が含まれる。多層配線層１２５の最下層の配線は、例えばＷ等の導電材料が埋め込まれたコンタクト１２７によって、ロジック回路と電気的に接続され得る。なお、第１基板１１０Ａの絶縁膜１０３及び多層配線層１０５と同様に、第２基板１１０Ｂについても、絶縁膜１２３は複数層の層間絶縁膜の総称であり、多層配線層１２５は複数層の配線層の総称であり得る。
【００２３】
第３基板１１０Ｃは、例えばメモリ基板である。第３基板１１０Ｃは、例えばＳｉからなる半導体基板１３１と、当該半導体基板１３１上に形成される多層配線層１３５と、を主に有する。半導体基板１３１上には、メモリ回路が形成される。当該メモリ回路では、第１基板１１０Ａの画素部で取得され、画素信号処理回路によってＡＤ変換された画素信号が、一時的に保持される。メモリ回路に画素信号を一旦保持することにより、グローバルシャッター方式が実現されるとともに、固体撮像装置１から外部への当該画素信号の読み出しをより高速で行うことが可能になる。従って、高速撮影時においても、歪みの抑制された、より高品質な画像を撮影することが可能になる。なお、本実施形態では、半導体基板１３１に代えて、半導体以外の材料によって形成される基板が用いられてもよい。例えば、半導体基板１３１に代えてサファイア基板が用いられてもよい。この場合、当該サファイア基板の上にメモリ素子を形成するための膜（例えば相変化材料膜）が堆積され、当該膜を用いてメモリ回路が形成される形態が適用されてもよい。
【００２４】
メモリ回路が形成された半導体基板１３１の表面には、絶縁膜１３３が積層される。絶縁膜１３３の内部には、メモリ回路の動作に係る各種の信号を伝達するための多層配線層１３５が形成される。多層配線層１３５には、更に、電源配線やＧＮＤ配線等が含まれる。多層配線層１３５の最下層の配線は、例えばＷ等の導電材料が埋め込まれたコンタクト１３７によって、メモリ回路と電気的に接続され得る。なお、第１基板１１０Ａの絶縁膜１０３及び多層配線層１０５と同様に、第３基板１１０Ｃについても、絶縁膜１３３は複数層の層間絶縁膜の総称であり、多層配線層１３５は複数層の配線層の総称であり得る。
【００２５】
なお、多層配線層１３５には、外部との間で各種の信号のやり取りを行うためのＩ／Ｏ部として機能するパッド１５１が形成され得る。パッド１５１は、チップの外周に沿って設けられ得る。
【００２６】
第１基板１１０Ａ、第２基板１１０Ｂ、及び第３基板１１０Ｃが、それぞれウエハの状態で作製される。その後、これらが貼り合わされ、各基板に備わる信号線同士及び電源線同士の電気的な接続を取るための各工程が行われる。
【００２７】
具体的には、まず、ウエハ状態である第１基板１１０Ａの半導体基板１０１の表面（多層配線層１０５が設けられる側の面）と、ウエハ状態である第２基板１１０Ｂの半導体基板１２１の表面（多層配線層１２５が設けられる側の面）と、が対向するように、当該第１基板１１０Ａと当該第２基板１１０Ｂとが貼り合わされる。以下では、このような、２つの基板が、その半導体基板の表面同士を対向させて貼り合わされる状態を、Ｆａｃｅ  ｔｏ  Ｆａｃｅ（ＦｔｏＦ）ともいう。
【００２８】
次に、ウエハ状態である第２基板１１０Ｂの半導体基板１２１の裏面（多層配線層１２５が設けられる側とは逆側の面）と、ウエハ状態である第３基板１１０Ｃの半導体基板１３１の表面（多層配線層１３５が設けられる側の面）と、が対向するように、第１基板１１０Ａ及び第２基板１１０Ｂの積層構造体に対して、当該第３基板１１０Ｃが更に貼り合わされる。なお、この際、第２基板１１０Ｂについては、貼り合わせ工程の前に、半導体基板１２１が薄肉化され、その裏面側に所定の厚さの絶縁膜１２９が形成される。以下では、このような、２つの基板がその半導体基板の表面と裏面とを対向させて貼り合わされる状態を、Ｆａｃｅ  ｔｏ  Ｂａｃｋ（ＦｔｏＢ）ともいう。
【００２９】
次に、第１基板１１０Ａの半導体基板１０１が薄肉化され、その裏面上に絶縁膜１０９が形成される。そして、第１基板１１０Ａ内の信号線及び電源線と第２基板１１０Ｂ内の信号線及び電源線とをそれぞれ電気的に接続するために、ＴＳＶ１５７が形成される。なお、本明細書では、簡単のため、一の基板内の配線と他の基板内の配線とが電気的に接続されることを、単に、一の基板と他の基板とが電気的に接続される、と略記することがある。このとき、基板同士が電気的に接続されると表現した際に、実際に電気的に接続される配線は、信号線であってもよいし、電源線であってもよい。また、本明細書では、ＴＳＶとは、第１基板１１０Ａ、第２基板１１０Ｂ、及び第３基板１１０Ｃのうちのいずれかの基板の一面から、半導体基板１０１、１２１、１３１のうちの少なくとも１つの半導体基板を貫通して設けられるビアのことを意味する。本実施形態では、上述したように、半導体基板１０１、１２１、１３１に代えて半導体以外の材料からなる基板も用いられ得るが、本明細書では、このような半導体以外の材料からなる基板を貫通して設けられるビアのことも、便宜上、ＴＳＶと呼称する。
【００３０】
ＴＳＶ１５７は、第１基板１１０Ａの裏面側から第２基板１１０Ｂに向かって形成され、当該第１基板１１０Ａに備わる信号線及び電源線と当該第２基板１１０Ｂに備わる信号線及び電源線とをそれぞれ電気的に接続するように設けられる。具体的には、ＴＳＶ１５７は、第１基板１１０Ａの裏面側から、第１基板１１０Ａの多層配線層１０５内の所定の配線を露出させる第１の貫通孔と、第２基板１１０Ｂの多層配線層１２５内の所定の配線を露出させる当該第１の貫通孔とは異なる第２の貫通孔と、を形成し、これら第１及び第２の貫通孔に導電材料を埋め込むことによって形成される。ＴＳＶ１５７によって、当該第１基板１１０Ａの多層配線層１０５内の所定の配線と、当該第２基板１１０Ｂの多層配線層１２５内の所定の配線と、が電気的に接続されることとなる。なお、このように、互いに異なる２つの貫通孔（少なくとも一の半導体基板を貫通する開口部）によって複数の基板の配線間を電気的に接続するＴＳＶは、ツインコンタクトとも呼称される。
【００３１】
図１に示す構成例では、ＴＳＶ１５７は、貫通孔に対して、後述する多層配線層１０５、１２５、１３５を構成する第１の金属（例えば銅（Ｃｕ））を埋め込むことによって形成されている。ただし、ＴＳＶ１５７を構成する導電材料は第１の金属と同一でなくてもよく、当該導電材料としては任意の材料が用いられてよい。
【００３２】
ＴＳＶ１５７が形成されたら、次に、第１基板１１０Ａの半導体基板１０１の裏面側に、絶縁膜１０９を介して、カラーフィルタ層１１１（ＣＦ層１１１）及びマイクロレンズアレイ１１３（ＭＬアレイ１１３）が形成される。
【００３３】
ＣＦ層１１１は、複数のＣＦが２次元状に配列されて構成される。ＭＬアレイ１１３は、複数のＭＬが２次元状に配列されて構成される。ＣＦ層１１１及びＭＬアレイ１１３は、画素部の直上に形成され、１つの画素のＰＤに対して１つのＣＦ及び１つのＭＬが配設される。
【００３４】
ＣＦ層１１１の各ＣＦは、例えば赤色、緑色、及び青色のいずれかの色を有する。ＣＦを通過した観察光が画素のＰＤに入射し、画素信号が取得されることにより、観察対象について、当該カラーフィルタの色の成分の画素信号が取得されることとなる（すなわち、カラーでの撮像が可能となる）。実際には、１つのＣＦに対応する１つの画素が副画素として機能し、複数の副画素によって１つの画素が形成され得る。例えば、固体撮像装置１では、赤色のＣＦが設けられる画素（すなわち、赤色の画素）、緑色のＣＦが設けられる画素（すなわち、緑色の画素）、青色のＣＦが設けられる画素（すなわち、青色の画素）、及びＣＦが設けられない画素（すなわち、白色の画素）の４色の副画素によって、１つの画素が形成され得る。ただし、本明細書では、説明のため、便宜的に、副画素と画素を区別せず、１つの副画素に対応する構成のことも、単に画素と呼称することとする。なお、ＣＦの配列方法は特に限定されず、例えば、デルタ配列、ストライプ配列、ダイアゴナル配列、又はレクタングル配列等、各種の配列であってよい。
【００３５】
ＭＬアレイ１１３は、各ＣＦの直上に各ＭＬが位置するように形成される。ＭＬアレイ１１３が設けられることにより、ＭＬによって集光された観察光がＣＦを介して画素のＰＤに入射することとなるため、観察光の集光効率を向上させ、固体撮像装置１としての感度を向上させる効果を得ることができる。
【００３６】
ＣＦ層１１１及びＭＬアレイ１１３が形成されたら、次に、第１基板１１０Ａの多層配線層１０５、及び第３基板１１０Ｃの多層配線層１３５に設けられるパッド１５１を露出させるために、パッド開口部１５３ａ、１５３ｂが形成される。パッド開口部１５３ａは、第１基板１１０Ａの裏面側から、第１基板１１０Ａの多層配線層１０５に設けられるパッド１５１の金属面まで達するように形成される。パッド開口部１５３ｂは、第１基板１１０Ａの裏面側から、第１基板１１０Ａ及び第２基板１１０Ｂを貫通し、第３基板１１０Ｃの多層配線層１３５に設けられるパッド１５１の金属面まで達するように形成される。パッド開口部１５３ａ、１５３ｂを介して、例えばワイヤボンディングによって、パッド１５１と外部の他の回路とが電気的に接続される。つまり、当該外部の他の回路を介して、第１基板１１０Ａ及び第３基板１１０Ｃの各々に備わる信号線同士及び電源線同士が電気的に接続され得る。
【００３７】
なお、本明細書では、図１に示すように図中にパッド開口部１５３が複数存在する場合に、便宜的に、パッド開口部１５３ａ、パッド開口部１５３ｂ、・・・と、符号の末尾にそれぞれ異なるアルファベットを付すことにより、これら複数のパッド開口部１５３を区別することとする。
【００３８】
そして、ウエハ状態で積層され加工された積層ウエハ構造体を、個々の固体撮像装置１ごとにダイシングすることにより、固体撮像装置１が完成する。
【００３９】
以上、固体撮像装置１の概略構成について説明した。以上説明したように、固体撮像装置１では、ＴＳＶ１５７によって第１基板１１０Ａ及び第２基板１１０Ｂの各々に備わる信号線同士及び電源線同士が電気的に接続され、パッド開口部１５３ａ、１５３ｂによって露出させられるパッド１５１同士を、固体撮像装置１の外部に備わる配線等の電気的接続手段を介して接続することによって、第２基板１１０Ｂ及び第３基板１１０Ｃの各々に備わる信号線同士及び電源線同士が電気的に接続され得る。つまり、ＴＳＶ１５７、パッド１５１、及びパッド開口部１５３ａ、１５３ｂを介して、第１基板１１０Ａ、第２基板１１０Ｂ、及び第３基板１１０Ｃの各々に備わる信号線同士及び電源線同士が電気的に接続され得る。なお、本明細書では、図１に示すＴＳＶ１５７、パッド１５１、及びパッド開口部１５３ａ、１５３ｂのような、基板の各々に備わる信号線同士及び電源線同士を電気的に接続し得る構造のことを、接続構造とも総称する。図１に示す構成では用いられていないが、後述する電極接合構造１５９（基板同士の貼り合わせ面に存在し、当該貼り合わせ面にそれぞれ形成される電極同士が直接接触した状態で接合している構造）も接続構造に含まれる。
【００４０】
なお、第１基板１１０Ａの多層配線層１０５、第２基板１１０Ｂの多層配線層１２５、及び第３基板１１０Ｃの多層配線層１３５は、比較的低抵抗である第１の金属によって形成される複数の第１金属配線層１４１が積層されて構成され得る。第１の金属は例えば銅（Ｃｕ）である。Ｃｕ配線を用いることにより、より高速での信号のやり取りが可能となる。ただし、パッド１５１については、ワイヤボンディングのワイヤとの接着性等を考慮して、第１の金属とは異なる第２の金属によって形成され得る。従って、図示する構成例では、パッド１５１が設けられる第１基板１１０Ａの多層配線層１０５及び第３基板１１０Ｃの多層配線層１３５には、当該パッド１５１と同層に、第２の金属によって形成される第２金属配線層１４３が含まれる。第２の金属は例えばアルミニウム（Ａｌ）である。Ａｌ配線は、パッド１５１の他、例えば、一般的に幅広な配線として形成される電源配線やＧＮＤ配線として用いられ得る。
【００４１】
また、第１の金属及び第２の金属は、上記で例示したＣｕ及びＡｌに限定されない。第１の金属及び第２の金属としては、各種の金属が用いられてよい。あるいは、多層配線層１０５、１２５、１３５の各配線層は、金属以外の導電材料によって形成されてもよい。これらの配線層は、導電材料によって形成されればよく、その材料は限定されない。また、２種類の導電材料を用いるのではなく、パッド１５１を含む多層配線層１０５、１２５、１３５の全てが同一の導電材料によって形成されてもよい。
【００４２】
また、本実施形態では、ＴＳＶ１５７、並びに後述する電極接合構造１５９を構成する電極及びビアも、第１の金属（例えばＣｕ）によって形成される。例えば、第１の金属がＣｕである場合、これらの構造は、ダマシン法、又はデュアルダマシン法によって形成され得る。ただし、本実施形態はかかる例に限定されず、これらの構造のうちの一部又は全てが、第２の金属、第１の金属及び第２の金属のいずれとも異なる他の金属、又は他の非金属の導電材料によって形成されてもよい。例えば、ＴＳＶ１５７及び電極接合構造１５９を構成するビアは、開口部にＷ等の埋め込み性が良い金属材料を埋め込むことにより形成されてもよい。ビア径が比較的小さい場合には、埋め込み性を考慮して、かかるＷを用いた構造が好適に適用され得る。また、ＴＳＶ１５７は、必ずしも貫通孔に導電材料が埋め込まれて形成されなくてもよく、貫通孔の内壁（側壁及び底部）に導電材料が成膜されることによって形成されてもよい。
【００４３】
また、図１及び以降の各図面においては図示を省略している場合があるが、固体撮像装置１において、第１の金属及び第２の金属等の導電材料が半導体基板１０１、１２１、１３１と接触しているように図示されている部位については、この両者を電気的に絶縁するための絶縁材料が存在している。当該絶縁材料は、例えば、シリコン酸化物（ＳｉＯ２）、又はシリコン窒化物（ＳｉＮ）等、各種の公知の材料であってよい。当該絶縁材料は、導電材料と半導体基板１０１、１２１、１３１との間に介在するように存在してもよいし、両者の接触部位から離れた半導体基板１０１、１２１、１３１の内部に存在してもよい。例えば、ＴＳＶ１５７については、半導体基板１０１、１２１、１３１に設けられる貫通孔の内側壁と、当該貫通孔に埋め込まれる導電材料との間に、絶縁材料が存在し得る（すなわち、当該貫通孔の内側壁に絶縁材料が成膜され得る）。あるいは、ＴＳＶ１５７については、半導体基板１０１、１２１、１３１に設けられる貫通孔から水平面内方向に所定の距離だけ離れた部位であって、当該半導体基板１０１、１２１、１３１の内部の部位に、絶縁材料が存在していてもよい。また、図１及び以降の各図面においては図示を省略している場合があるが、第１の金属がＣｕである場合には、Ｃｕが半導体基板１０１、１２１、１３１又は絶縁膜１０３、１０９、１２３、１２９、１３３と接触している部位については、Ｃｕの拡散を防止するためにバリアメタルが存在している。当該バリアメタルとしては、例えばチタン窒化物（ＴｉＮ）又はタンタル窒化物（ＴａＮ）等、各種の公知の材料が用いられてよい。
【００４４】
また、各基板の半導体基板１０１、１２１、１３１に形成される各構成（第１基板１１０Ａに設けられる画素部及び画素信号処理回路、第２基板１１０Ｂに設けられるロジック回路、及び第３基板１１０Ｃに設けられるメモリ回路）、多層配線層１０５、１２５、１３５、並びに絶縁膜１０３、１０９、１２３、１２９、１３３の具体的な構成や、形成方法は、各種の公知のものと同様であってよいため、ここでは詳細な説明を省略する。
【００４５】
例えば、絶縁膜１０３、１０９、１２３、１２９、１３３は、絶縁性を有する材料によって形成されればよく、その材料は限定されない。絶縁膜１０３、１０９、１２３、１２９、１３３は、例えば、ＳｉＯ２又はＳｉＮ等によって形成され得る。また、絶縁膜１０３、１０９、１２３、１２９、１３３のそれぞれは、１つの種類の絶縁材料によって形成されなくてもよく、複数の種類の絶縁材料が積層されて形成されてもよい。また、例えば、絶縁膜１０３、１２３、１３３において、より高速での信号の伝達が求められる配線が形成される領域については、絶縁性を有するＬｏｗ−ｋ材料が用いられてもよい。Ｌｏｗ−ｋ材料を用いることにより、配線間の寄生容量を小さくすることができるため、信号の高速伝送により寄与することが可能になる。
【００４６】
その他、各基板の半導体基板１０１、１２１、１３１に形成される各構成、多層配線層１０５、１２５、１３５、及び絶縁膜１０３、１０９、１２３、１２９、１３３の具体的な構成や形成方法については、例えば、本願出願人による先行出願である特許文献１に記載のものを適宜適用することができる。
【００４７】
また、以上説明した構成例では、第１基板１１０Ａに、画素信号に対してＡＤ変換等の信号処理を行う画素信号処理回路が搭載されていたが、本実施形態はかかる例に限定されない。当該画素信号処理回路の機能のうちの一部又は全てが、第２基板１１０Ｂに設けられてもよい。この場合には、例えば、複数個の画素を列（カラム）方向と行（ロウ）方向の双方に向かって並べるようにアレイ状に配置した画素アレイにおいて、各画素に備えられるＰＤによって取得された画素信号が、画素ごとに第２基板１１０Ｂの画素信号処理回路に伝送されて、画素ごとにＡＤ変換が行われる、いわゆる画素ごとアナログ−デジタルコンバージョン（画素ＡＤＣ）方式の固体撮像装置１が実現され得る。これにより、画素アレイの列ごとに１つのＡＤ変換回路を備えて、列に含まれる複数個の画素のＡＤ変換を逐次行う、一般的なカラムごとアナログ−デジタルコンバージョン（カラムＡＤＣ）方式の固体撮像装置１に比べて、より高速で画素信号のＡＤ変換及び読み出しを行うことが可能となる。なお、画素ＡＤＣを実行可能に固体撮像装置１を構成する場合には、画素ごとに、第１基板１１０Ａ及び第２基板１１０Ｂの各々に備わる信号線同士を電気的に接続する接続構造が設けられることとなる。
【００４８】
また、以上説明した構成例では、第２基板１１０Ｂがロジック基板であり、第３基板１１０Ｃがメモリ基板である場合について説明したが、本実施形態はかかる例に限定されない。第２基板１１０Ｂ及び第３基板１１０Ｃは画素基板以外の機能を有する基板であればよく、その機能は任意に決定されてよい。例えば、固体撮像装置１は、メモリ回路を有しなくてもよい。この場合には、例えば、第２基板１１０Ｂ及び第３基板１１０Ｃは、いずれもロジック基板として機能し得る。あるいは、ロジック回路及びメモリ回路が、第２基板１１０Ｂ及び第３基板１１０Ｃに分散して形成され、これらの基板が協働して、ロジック基板及びメモリ基板としての機能を果たしてもよい。あるいは、第２基板１１０Ｂがメモリ基板であり、第３基板１１０Ｃがロジック基板であってもよい。
【００４９】
また、以上説明した構成例では、各基板において、半導体基板１０１、１２１、１３１としてＳｉ基板が用いられていたが、本実施形態はかかる例に限定されない。半導体基板１０１、１２１、１３１としては、例えば、ガリウムヒ素（ＧａＡｓ）基板や、シリコンカーバイド（ＳｉＣ）基板等、他の種類の半導体基板が用いられてもよい。あるいは、上述したように、半導体基板１０１、１２１、１３１に代えて、例えばサファイア基板等、半導体以外の材料によって形成される基板が用いられてもよい。
【００５０】
（２．接続構造の配置について）
図１を参照して説明したように、固体撮像装置１では、接続構造を介して、各基板に備わる信号線及び／又は電源線が、複数の基板に渡って相互に電気的に接続され得る。これらの接続構造の水平面内での配置は、各基板（各チップ）の構成、性能等を考慮して、固体撮像装置１全体としての性能が向上し得るように、適宜決定され得る。ここでは、固体撮像装置１における接続構造の水平面内での配置のいくつかのバリエーションについて説明する。
【００５１】
図２Ａ及び図２Ｂは、固体撮像装置１における接続構造の水平面内での配置の一例について説明するための図である。図２Ａ及び図２Ｂは、例えば、固体撮像装置１において、第１基板１１０Ａに画素信号に対してＡＤ変換等の処理を行う画素信号処理回路が搭載される場合における、接続構造の配置を示している。
【００５２】
図２Ａでは、固体撮像装置１を構成する第１基板１１０Ａ、第２基板１１０Ｂ、及び第３基板１１０Ｃを概略的に示している。そして、第１基板１１０Ａの下面（第２基板１１０Ｂと対向する面）と第２基板１１０Ｂの上面（第１基板１１０Ａと対向する面）との接続構造を介した電気的接続を破線で模擬的に示し、第２基板１１０Ｂの下面（第３基板１１０Ｃと対向する面）と第３基板１１０Ｃの上面（第２基板１１０Ｂと対向する面）との接続構造を介した電気的接続を実線で模擬的に示している。
【００５３】
第１基板１１０Ａの上面には、画素部２０６及び接続構造２０１の位置を示している。接続構造２０１は、電源信号及びＧＮＤ信号等の各種の信号を外部とやり取りするためのＩ／Ｏ部として機能する。具体的には、接続構造２０１は、第１基板１１０Ａの上面に設けられるパッド１５１であり得る。あるいは、図１に示すように、第１基板１１０Ａの多層配線層１０５、第２基板１１０Ｂの多層配線層１２５、又は第３基板１１０Ｃの多層配線層１３５内にパッド１５１が設けられている場合には、接続構造２０１は、当該パッド１５１を露出させるように設けられるパッド開口部１５３であり得る。あるいは、接続構造２０１は、後述する引き出し線開口部１５５であり得る。図２Ａに示すように、第１基板１１０Ａでは、そのチップの中央に画素部２０６が設けられ、Ｉ／Ｏ部を構成する接続構造２０１は、当該画素部２０６の周囲に（すなわち、チップの外周に沿って）配置されている。また、図示しないが、画素信号処理回路も、当該画素部２０６の周囲に配置され得る。
【００５４】
図２Ｂでは、第１基板１１０Ａの下面における接続構造２０２の位置、第２基板１１０Ｂの上面における接続構造２０３の位置、第２基板１１０Ｂの下面における接続構造２０４の位置、及び第３基板１１０Ｃの上面における接続構造２０５の位置を概略的に示している。これら接続構造２０２〜２０５は、基板間に設けられるＴＳＶ１５７又は後述する電極接合構造１５９であり得る。あるいは、図１に示すように、第２基板１１０Ｂの多層配線層１２５、又は第３基板１１０Ｃの多層配線層１３５内にパッド１５１が設けられている場合には、接続構造２０２〜２０５のうち接続構造２０１の直下に位置するものは、当該パッド１５１を露出させるように設けられるパッド開口部１５３であり得る。あるいは、当該接続構造２０２〜２０５は、後述する引き出し線開口部１５５であり得る。なお、図２Ｂでは、図２Ａに示す電気的な接続を表す直線の形態に合わせて、接続構造２０２〜２０５を示している。つまり、第１基板１１０Ａの下面における接続構造２０２、及び第２基板１１０Ｂの上面における接続構造２０３については破線で示し、第２基板１１０Ｂの下面における接続構造２０４、及び第３基板１１０Ｃの上面における接続構造２０５については実線で示している。
【００５５】
上述したように、図示する構成例では、画素信号処理回路が、第１基板１１０Ａの画素部２０６の周囲に搭載されている。従って、第１基板１１０Ａにおいて、画素部２０６で取得された画素信号は、当該画素信号処理回路においてＡＤ変換等の処理が行われた後、第２基板１１０Ｂに備わる回路に伝送される。また、上述したように、第１基板１１０Ａにおいては、Ｉ／Ｏ部を構成する接続構造２０１も、第１基板１１０Ａの画素部２０６の周囲に配置されている。よって、図２Ｂに示すように、第１基板１１０Ａの下面における接続構造２０２は、画素信号処理回路及びＩ／Ｏ部を第２基板１１０Ｂに備わる回路と電気的に接続するために、当該画素信号処理回路及び当該Ｉ／Ｏ部が存在する領域に対応して、チップの外周に沿って配置される。また、これに対応して、第２基板１１０Ｂの上面における接続構造２０３も、チップの外周に沿って配置される。
【００５６】
一方、第２基板１１０Ｂ及び第３基板１１０Ｃに搭載されるロジック回路又はメモリ回路は、チップの全面に形成され得るため、この回路が搭載される位置に対応して、図２Ｂに示すように、第２基板１１０Ｂの下面における接続構造２０４、及び第３基板１１０Ｃの上面における接続構造２０５は、チップの全面に渡って配置される。
【００５７】
図２Ｃ及び図２Ｄは、固体撮像装置１における接続構造の水平面内での配置の他の例について説明するための図である。図２Ｃ及び図２Ｄは、例えば、固体撮像装置１が画素ＡＤＣを実行可能に構成される場合における、接続構造の配置を示している。この場合、画素信号処理回路が、第１基板１１０Ａではなく、第２基板１１０Ｂに搭載されることとなる。
【００５８】
図２Ｃでは、図２Ａと同様に、固体撮像装置１を構成する第１基板１１０Ａ、第２基板１１０Ｂ、及び第３基板１１０Ｃを概略的に示している。そして、第１基板１１０Ａの下面（第２基板１１０Ｂと対向する面）と第２基板１１０Ｂの上面（第１基板１１０Ａと対向する面）との接続構造を介した電気的接続を破線又は点線で模擬的に示し、第２基板１１０Ｂの下面（第３基板１１０Ｃと対向する面）と第３基板１１０Ｃの上面（第２基板１１０Ｂと対向する面）との接続構造を介した電気的接続を実線で模擬的に示している。第１基板１１０Ａの下面と第２基板１１０Ｂの上面との電気的接続を示す線のうち、破線は、図２Ａにおいても存在した、例えばＩ／Ｏ部に係る電気的接続を示しており、点線は、図２Ａにおいては存在していなかった、画素ＡＤＣに係る電気的接続を示している。
【００５９】
図２Ｄでは、図２Ｂと同様に、第１基板１１０Ａの下面における接続構造２０２の位置、第２基板１１０Ｂの上面における接続構造２０３の位置、第２基板１１０Ｂの下面における接続構造２０４の位置、及び第３基板１１０Ｃの上面における接続構造２０５の位置を概略的に示している。なお、図２Ｄでは、図２Ｃに示す電気的な接続を表す直線の形態に合わせて、接続構造２０２〜２０５を示している。つまり、第１基板１１０Ａの下面における接続構造２０２及び第２基板１１０Ｂの上面における接続構造２０３のうち、図２Ａにおいても存在した、例えばＩ／Ｏ部に係る電気的接続に対応するものについては破線で示し、画素ＡＤＣに係る電気的接続に対応し得るものについては点線で示している。また、第２基板１１０Ｂの下面における接続構造２０４、及び第３基板１１０Ｃの上面における接続構造２０５については実線で示している。
【００６０】
上述したように、図示する構成例では、画素信号処理回路が第２基板１１０Ｂに搭載されており、画素ＡＤＣが可能に構成されている。つまり、画素部２０６の各画素で取得された画素信号は、画素ごとに、直下の第２基板１１０Ｂに搭載される画素信号処理回路に伝送され、当該画素信号処理回路においてＡＤ変換等の処理が行われる。従って、図２Ｃ及び図２Ｄに示すように、当該構成例では、第１基板１１０Ａの下面における接続構造２０２は、Ｉ／Ｏ部からの信号を第２基板１１０Ｂに備わる回路に伝送するために、当該Ｉ／Ｏ部が存在する領域に対応してチップの外周に沿って配置されるとともに（図中破線で示す接続構造２０２）、画素部２０６の各画素からの画素信号を第２基板１１０Ｂに備わる回路に伝送するために、当該画素部２０６が存在する領域の全体に渡って配置されることとなる（図中点線で示す接続構造２０２）。
【００６１】
第２基板１１０Ｂ及び第３基板１１０Ｃの各々に備わる信号線同士及び電源線同士の電気的な接続については、図２Ａ及び図２Ｂに示す構成例と同様であるため、図２Ｃ及び図２Ｄに示すように、第２基板１１０Ｂの下面における接続構造２０４、及び第３基板１１０Ｃの上面における接続構造２０５は、チップの全面に渡って配置される。
【００６２】
図２Ｅ及び図２Ｆは、固体撮像装置１における接続構造の水平面内での配置の更に他の例について説明するための図である。図２Ｅ及び図２Ｆは、例えば、第２基板１１０Ｂにメモリ回路が搭載される場合における、接続構造の配置を示している。
【００６３】
図２Ｅでは、図２Ａと同様に、固体撮像装置１を構成する第１基板１１０Ａ、第２基板１１０Ｂ、及び第３基板１１０Ｃを概略的に示している。そして、第１基板１１０Ａの下面（第２基板１１０Ｂと対向する面）と第２基板１１０Ｂの上面（第１基板１１０Ａと対向する面）との接続構造を介した電気的接続を破線又は点線で模擬的に示し、第２基板１１０Ｂの下面（第３基板１１０Ｃと対向する面）と第３基板１１０Ｃの上面（第２基板１１０Ｂと対向する面）との接続構造を介した電気的接続を実線又は点線で模擬的に示している。第１基板１１０Ａの下面と第２基板１１０Ｂの上面との電気的接続を示す線のうち、破線は、図２Ａにおいても存在した、例えばＩ／Ｏ部に係る電気的接続を示しており、点線は、図２Ａにおいては存在していなかったメモリ回路に係る電気的接続を示している。また、第２基板１１０Ｂの下面と第３基板１１０Ｃの上面との電気的接続を示す線のうち、実線は、図２Ａにおいても存在した、例えばメモリ回路の動作とは直接的には関係しない信号に係る電気的接続を示しており、点線は、図２Ａにおいては存在していなかったメモリ回路に係る電気的接続を示している。
【００６４】
図２Ｆでは、図２Ｂと同様に、第１基板１１０Ａの下面における接続構造２０２の位置、第２基板１１０Ｂの上面における接続構造２０３の位置、第２基板１１０Ｂの下面における接続構造２０４の位置、及び第３基板１１０Ｃの上面における接続構造２０５の位置を概略的に示している。なお、図２Ｆでは、図２Ｅに示す電気的な接続を表す直線の形態に合わせて、接続構造２０２〜２０５を示している。つまり、第１基板１１０Ａの下面における接続構造２０２及び第２基板１１０Ｂの上面における接続構造２０３のうち、図２Ａにおいても存在した、例えばＩ／Ｏ部に係る電気的接続に対応するものについては破線で示し、メモリ回路に係る電気的接続に対応し得るものについては点線で示している。また、第２基板１１０Ｂの下面における接続構造２０４及び第３基板１１０Ｃの上面における接続構造２０５のうち、図２Ａにおいても存在した、例えばメモリ回路の動作とは直接的には関係しない信号に係る電気的接続に対応するものについては実線で示し、メモリ回路に係る電気的接続に対応し得るものについては点線で示している。
【００６５】
上述したように、図示する構成例では、メモリ回路が第２基板１１０Ｂに搭載されている。この場合、画素信号処理回路は第１基板１１０Ａに搭載されており、第１基板１１０Ａにおいて画素部２０６によって取得され当該画素信号処理回路によってＡＤ変換された画素信号が、第２基板１１０Ｂのメモリ回路に伝送され、保持され得る。そして、第２基板１１０Ｂのメモリ回路に保持された画素信号を例えば外部に読み出すために、第２基板１１０Ｂのメモリ回路と第３基板１１０Ｃのロジック回路との間で信号の伝送が行われる。
【００６６】
従って、当該構成例では、第１基板１１０Ａの下面における接続構造２０２としては、Ｉ／Ｏ部及び画素信号処理回路からの信号を第２基板１１０Ｂに伝送するために、当該Ｉ／Ｏ部及び画素信号処理回路が搭載される領域に対応してチップの外周に沿って配置されるもの（図中破線で示す接続構造２０２）とともに、ＡＤ変換された画素信号を第２基板１１０Ｂのメモリ回路に伝送するためのもの（図中点線で示す接続構造２０２）が配置されることとなる。このとき、遅延時間を揃えるために、第１基板１１０Ａの回路から第２基板１１０Ｂのメモリ回路への画素信号の伝送経路の配線長、及び第２基板１１０Ｂのメモリ回路と第３基板１１０Ｃのロジック回路との間の信号の伝送経路の配線長は、それぞれ、できるだけ均等であることが望ましい。従って、例えば、図２Ｆに示すように、第１基板１１０Ａの回路と第２基板１１０Ｂのメモリ回路との間、及び第２基板１１０Ｂのメモリ回路と第３基板１１０Ｃの回路との間で信号をやり取りするための接続構造２０２〜２０５は、水平面内の中央付近に集中的に設けられ得る。ただし、配線長を略均一にできるのであれば、接続構造２０２〜２０５は、必ずしも図示する例のように水平面内の中央付近に設けられなくてもよい。
【００６７】
以上、固体撮像装置１における接続構造の水平面内での配置のいくつかの例について説明した。なお、本実施形態は以上説明した例に限定されない。固体撮像装置１において各基板に搭載される構成は適宜決定されてよく、その構成に応じて、固体撮像装置１における接続構造の水平面内での配置も適宜決定されてよい。各基板に搭載される構成、及びそれに応じた接続構造の水平面内での配置としては、各種の公知のものが適用されてよい。また、図２Ａ〜図２Ｆに示す例では、Ｉ／Ｏ部を構成する接続構造２０１が、チップの外周の３辺に沿うように配置されていたが、本実施形態はかかる例に限定されない。Ｉ／Ｏ部の配置についても、各種の公知のものが適用されてよい。例えば、Ｉ／Ｏ部を構成する接続構造２０１は、チップの外周の１辺、２辺又は４辺に沿うように配置されてもよい。
【００６８】
（３．第２基板の方向について）
図１に示す構成例では、固体撮像装置１において、第１基板１１０Ａと第２基板１１０ＢとがＦｔｏＦで貼り合わされていた（すなわち、第２基板１１０Ｂの表面側は第１基板１１０Ａの方を向いていた）。一方、固体撮像装置１は、第１基板１１０Ａと第２基板１１０ＢとがＦｔｏＢで貼り合わされて構成されてもよい（すなわち、第２基板１１０Ｂの表面側は第３基板１１０Ｃの方を向いていてもよい）。
【００６９】
第２基板１１０Ｂの方向をどちらにするかは、例えば各基板（各チップ）の構成、性能等を考慮して、固体撮像装置１全体としての性能が向上し得るように、適宜決定されてよい。ここでは、例として、第２基板１１０Ｂの方向を決定する際の２つの考え方について説明する。
【００７０】
（３−１．ＰＷＥＬＬの面積に基づく検討）
図３Ａは、図１に示す構成例と同様に、第１基板１１０Ａと第２基板１１０ＢとがＦｔｏＦで貼り合わされた固体撮像装置１の概略構成を示す縦断面図である。図３Ｂは、図１に示す構成例とは異なり、第１基板１１０Ａと第２基板１１０ＢとがＦｔｏＢで貼り合わされた固体撮像装置１ａの概略構成を示す縦断面図である。固体撮像装置１ａの構成は、第２基板１１０Ｂの方向が逆向きであること以外は、図１に示す固体撮像装置１と同様である。
【００７１】
図３Ａ及び図３Ｂでは、多層配線層１０５、１２５、１３５に含まれる各配線の機能（信号線、ＧＮＤ配線又は電源配線）を、これらの配線に異なるハッチングを重畳して付与することにより表現している（つまり、図３Ａ及び図３Ｂに記載の各配線のハッチングは、図１に記載の各配線のハッチングに対して、図３Ａ及び図３Ｂに記載の凡例に示す配線の機能を表すハッチングを重ねたものとなっている（後述する図４Ａ及び図４Ｂについても同様である））。図示するように、固体撮像装置１、１ａにおいては、信号線、ＧＮＤ配線及び電源配線を外部に引き出すための端子（上述したパッド１５１に対応する）が、チップの外周に沿って設けられている。これらの端子のそれぞれは、水平面内において画素部２０６を挟む位置に、対になって設けられる。従って、固体撮像装置１、１ａの内部においては、信号線、ＧＮＤ配線及び電源配線が、これらの端子間を接続するように延設されることとなり、水平面内に張り巡らされることとなる。
【００７２】
また、図３Ａ及び図３Ｂでは、第１基板１１０Ａ、第２基板１１０Ｂ、及び第３基板１１０Ｃに設けられるＰＷＥＬＬに「Ｐ」を、ＮＷＥＬＬに「Ｎ」を付している。例えば、図示する構成では、画素部の各画素に備えられるＰＤは、光電変換の結果発生した電子を読み出すために、ＰＷＥＬＬ中にＮ型拡散領域が形成されたＰＤとなっており、当該ＰＤで発生した電子を読み出すために各画素に備えられる駆動回路のトランジスタはＮ型ＭＯＳトランジスタであるため、当該画素部のＷＥＬＬはＰＷＥＬＬである。一方、第２基板１１０Ｂ及び第３基板１１０Ｃに設けられるロジック回路及びメモリ回路については、ＣＭＯＳ回路で構成されるため、ＰＭＯＳ及びＮＭＯＳが混在する。そのため、ＰＷＥＬＬ及びＮＷＥＬＬが、例えば同程度の面積で存在している。従って、図示する構成例では、第１基板１１０Ａの方が、第２基板１１０Ｂ及び第３基板１１０Ｃよりも、ＰＷＥＬＬの面積が大きい。
【００７３】
ここで、固体撮像装置１、１ａにおいては、ＰＷＥＬＬにはＧＮＤ電位が与えられ得る。従って、ＰＷＥＬＬと電源配線とが絶縁体を挟んで対向する構成が存在すると、両者の間に寄生容量が形成されることとなる。
【００７４】
このＰＷＥＬＬと電源配線との間に形成される寄生容量について、図４Ａ及び図４Ｂを参照して説明する。図４Ａは、図３Ａに示す固体撮像装置１における、ＰＷＥＬＬと電源配線との間の寄生容量について説明するための図である。図４Ａでは、図３Ａに示す固体撮像装置１に対して、ＰＷＥＬＬと電源配線との間の寄生容量を、模擬的に二点鎖線で示している。図４Ａに示すように、固体撮像装置１では、第１基板１１０Ａと第２基板１１０ＢとがＦｔｏＦで貼り合わされるため、図示するように、第１基板１１０Ａの画素部のＰＷＥＬＬと、第２基板１１０Ｂの多層配線層１２５内の電源配線とが、絶縁膜１０３、１２３を構成する絶縁体を挟んで対向することとなる。従って、当該領域において、両者の間に寄生容量が形成され得る。
【００７５】
一方、図４Ｂは、図３Ｂに示す固体撮像装置１ａにおける、ＰＷＥＬＬと電源配線との間の寄生容量について説明するための図である。図４Ｂでは、図３Ｂに示す固体撮像装置１ａに対して、ＰＷＥＬＬと電源配線との間の寄生容量を、模擬的に二点鎖線で示している。図４Ｂに示すように、固体撮像装置１ａでは、第２基板１１０Ｂと第３基板１１０ＣとがＦｔｏＦで貼り合わされるため、図示するように、第３基板１１０Ｃのロジック回路又はメモリ回路のＰＷＥＬＬと、第２基板１１０Ｂの多層配線層１２５内の電源配線とが、絶縁膜１２３、１３３を構成する絶縁体を挟んで対向することとなる。従って、当該領域において、両者の間に寄生容量が形成され得る。
【００７６】
上記寄生容量は、ＰＷＥＬＬの面積が大きいほど大きくなると考えられる。従って、図４Ａ及び図４Ｂに示す構成例であれば、図４Ａに示す第１基板１１０Ａと第２基板１１０ＢとがＦｔｏＦで貼り合わされる構成の方が、図４Ｂに示す第１基板１１０Ａと第２基板１１０ＢとがＦｔｏＢで貼り合わされる構成よりも、寄生容量が大きくなる。
【００７７】
第２基板１１０Ｂにおける電源配線に係る寄生容量が大きければ、当該第２基板１１０Ｂにおける電源−ＧＮＤの電流経路についてのインピーダンスが低下する。従って、当該第２基板１１０Ｂにおける電源系をより安定化することが可能になる。具体的には、例えば第２基板１１０Ｂにおける回路の動作の変動に伴って消費電力が変動した場合であっても、その消費電力の変動による電源レベルの揺らぎが抑制され得る。よって、第２基板１１０Ｂに係る回路を高速で動作させた場合であっても、その動作をより安定化させることができ、固体撮像装置１全体の性能の向上を図ることが可能になる。
【００７８】
このように、ＰＷＥＬＬの面積に注目すると、図３Ａ〜図４Ｂに示す構成例では、第１基板１１０Ａと第２基板１１０ＢとがＦｔｏＦで貼り合わされる固体撮像装置１の方が、第１基板１１０Ａと第２基板１１０ＢとがＦｔｏＢで貼り合わされる固体撮像装置１ａよりも、第２基板１１０Ｂの電源配線についてより大きな寄生容量が形成され、高速動作させた際に高い安定性を得ることができる。つまり、固体撮像装置１の方がより好ましい構成であると言える。
【００７９】
ただし、各基板の設計によっては、第３基板１１０Ｃの方が第１基板１１０ＡよりもＰＷＥＬＬの面積が大きい場合もあり得る。この場合には、第２基板１１０Ｂの電源配線と第３基板１１０ＣのＰＷＥＬＬとの間により大きな寄生容量が形成される、固体撮像装置１ａの構成の方が、固体撮像装置１よりも、高速動作させた際に高い安定性を得ることができると考えられる。
【００８０】
まとめると、第２基板１１０Ｂの方向について、ＰＷＥＬＬの面積に基づいて検討すると、第１基板１１０ＡのＰＷＥＬＬの面積が第３基板１１０ＣのＰＷＥＬＬの面積よりも大きい場合には、第２基板１１０Ｂの表面側が第１基板１１０Ａの方を向くように、すなわち第１基板１１０Ａと第２基板１１０ＢとがＦｔｏＦで貼り合わされるように、固体撮像装置１が構成されることが好ましい。逆に、第３基板１１０ＣのＰＷＥＬＬの面積が第１基板１１０ＡのＰＷＥＬＬの面積よりも大きい場合には、第２基板１１０Ｂの表面側が第３基板１１０Ｃの方を向くように、すなわち第１基板１１０Ａと第２基板１１０ＢとがＦｔｏＢで貼り合わされるように、固体撮像装置１ａが構成されることが好ましい。
【００８１】
本実施形態では、このようなＰＷＥＬＬの面積に基づく観点から、第２基板１１０Ｂの方向が決定されてよい。図１及び後述する図６Ａ〜図２５Ｋに示す本実施形態に係る固体撮像装置１〜２１ｋは、例えば、第１基板１１０ＡのＰＷＥＬＬの面積が第３基板１１０ＣのＰＷＥＬＬの面積よりも大きく構成されており、それに応じて、第１基板１１０Ａと第２基板１１０ＢとがＦｔｏＦで貼り合わされるように構成されている。従って、固体撮像装置１〜２１ｋによれば、高速動作時においても高い動作安定性を得ることが可能になる。
【００８２】
なお、第１基板１１０ＡのＰＷＥＬＬの面積が第３基板１１０ＣのＰＷＥＬＬの面積よりも大きい場合としては、例えば、第１基板１１０Ａには光電変換の結果発生した電子を読み出すためのＰＤ、及び当該ＰＤから電子を読み出すためのＮＭＯＳトランジスタ、をＰＷＥＬＬ中に備えた画素部のみが搭載され、第２基板１１０Ｂ及び第３基板１１０Ｃに各種の回路（画素信号処理回路、ロジック回路、及びメモリ回路等）が搭載される場合が考えられる。一方、第３基板１１０ＣのＰＷＥＬＬの面積が第１基板１１０ＡのＰＷＥＬＬの面積よりも大きい場合としては、例えば、第１基板１１０Ａに、画素部及び各種の回路がともに搭載され、第１基板１１０Ａにおける当該各種の回路が占める面積が比較的大きい場合が考えられる。
【００８３】
（３−２．消費電力及びＧＮＤ配線の配置に基づく検討）
図３Ａに示す固体撮像装置１と図３Ｂに示す固体撮像装置１ａについて、上記ではＰＷＥＬＬの面積に注目したが、ここでは、各基板における消費電力とＧＮＤ配線の配置に注目する。
【００８４】
図５Ａは、図３Ａに示す固体撮像装置１における、電源配線及びＧＮＤ配線の配置を概略的に示す図である。図５Ｂは、図３Ｂに示す固体撮像装置１ａにおける、電源配線及びＧＮＤ配線の配置を概略的に示す図である。図５Ａ及び図５Ｂでは、固体撮像装置１、１ａの構造を簡易的に図示するとともに、電源配線及びＧＮＤ配線の概略的な配置を、電源配線を二点鎖線で示し、ＧＮＤ配線を一点鎖線で示すことで表している。また、図中の矢印の大きさは、電源配線及びＧＮＤ配線を流れる電流量を模擬的に表している。
【００８５】
図５Ａ及び図５Ｂに示すように、電源配線は、第１基板１１０Ａの上面（すなわち、固体撮像装置１、１ａの上面）に設けられる電源端子（ＶＣＣ）からｚ軸方向に延伸する垂直電源配線３０３と、第１基板１１０Ａの多層配線層１０５、第２基板１１０Ｂの多層配線層１２５、及び第３基板１１０Ｃの多層配線層１３５内において水平方向に延伸する水平電源配線３０４と、から主に構成されるとみなすことができる。以下、垂直電源配線３０３及び水平電源配線３０４を総称して電源配線３０３、３０４とも記載する。なお、実際には、第１基板１１０Ａの多層配線層１０５及び第２基板１１０Ｂの多層配線層１２５内にも水平電源配線３０４が存在し得るが、図５Ａ及び図５Ｂでは、簡単のため、その図示を省略し、第３基板１１０Ｃの多層配線層１３５内の水平電源配線３０４のみを図示している。
【００８６】
また、ＧＮＤ配線は、第１基板１１０Ａの上面に設けられるＧＮＤ端子からｚ軸方向に延伸する垂直ＧＮＤ配線３０５と、第１基板１１０Ａの多層配線層１０５、第２基板１１０Ｂの多層配線層１２５、及び第３基板１１０Ｃの多層配線層１３５内において水平方向に延伸する水平ＧＮＤ配線３０６と、から主に構成されるとみなすことができる。以下、垂直ＧＮＤ配線３０５及び水平ＧＮＤ配線３０６を総称してＧＮＤ配線３０５、３０６とも記載する。なお、区別のため、第１基板１１０Ａの水平ＧＮＤ配線３０６を水平ＧＮＤ配線３０６ａとも記載し、第２基板１１０Ｂの水平ＧＮＤ配線３０６を水平ＧＮＤ配線３０６ｂとも記載し、第３基板１１０Ｃの水平ＧＮＤ配線３０６を水平ＧＮＤ配線３０６ｃとも記載することとする。
【００８７】
ここでは、一例として、第１基板１１０Ａの消費電力よりも、第３基板１１０Ｃの消費電力の方が大きい場合について考える。例えば、第３基板１１０Ｃは、ロジック基板であるとする。ロジック回路は、複数の回路ブロックに分かれており、処理する内容によって動作する回路ブロックも変化する。つまり、固体撮像装置１、１ａにおける一連の動作中に、ロジック回路内において主に動作する場所は変動し得る。従って、ロジック回路内において電源電流が流れる場所には偏りがあり（例えば、電源電流は、回路の動作に伴うトランジスタゲート容量と配線容量の充放電に起因して発生する）、しかもその場所は変動し得る。
【００８８】
今、図５Ａ及び図５Ｂに示すように、第３基板１１０Ｃのロジック回路内の２つの回路ブロック３０１、３０２に注目する。これら２つの回路ブロック３０１、３０２が動作する際には、電源端子−電源配線３０３、３０４−回路ブロック３０１、３０２−ＧＮＤ配線３０５、３０６−ＧＮＤ端子の電流経路が形成される。
【００８９】
ここで、あるタイミングでの消費電力について、回路ブロック３０１の方が回路ブロック３０２よりも大きいとする。この場合、図５Ａ及び図５Ｂに示すように、当該タイミングでは、電源配線３０３、３０４から、回路ブロック３０１に対して、回路ブロック３０２よりも多くの電流が供給されることとなる。この消費電力の差に起因して、回路ブロック３０１、３０２を介して垂直ＧＮＤ配線３０５に流れる電流量についても、回路ブロック３０１の近くの垂直ＧＮＤ配線３０５（区別のため、垂直ＧＮＤ配線３０５ａとも記載することとする）の方が、回路ブロック３０２の近くの垂直ＧＮＤ配線３０５（区別のため、垂直ＧＮＤ配線３０５ｂとも記載することとする）よりも大きくなる。
【００９０】
第１基板１１０Ａ及び第２基板１１０Ｂには、水平ＧＮＤ配線３０６ａ、３０６ｂが存在するから、この垂直ＧＮＤ配線３０５ａ、３０５ｂ間における電流量の不均衡は、第１基板１１０Ａの上面のＧＮＤ端子に向かう途中で、第１基板１１０Ａ及び第２基板１１０Ｂの当該水平ＧＮＤ配線３０６ａ、３０６ｂによって解消される。つまり、垂直ＧＮＤ配線３０５ａ、３０５ｂ間における電流量の不均衡を解消するように、第１基板１１０Ａ及び第２基板１１０Ｂの水平ＧＮＤ配線３０６ａ、３０６ｂに電流が流れることとなる。従って、固体撮像装置１、１ａには、図５Ａ及び図５Ｂにおいて実線の矢印で示すように、水平電源配線３０４−回路ブロック３０１、３０２−水平ＧＮＤ配線３０６ｃ−垂直ＧＮＤ配線３０５ａ−水平ＧＮＤ配線３０６ａ、３０６ｂというループ状の電流経路が形成される。
【００９１】
このとき、図５Ａに示すように、第１基板１１０Ａと第２基板１１０ＢとがＦｔｏＦで貼り合わされる固体撮像装置１では、第１基板１１０Ａ及び第２基板１１０Ｂの水平ＧＮＤ配線３０６ａ、３０６ｂが、いずれも、第３基板１１０Ｃの水平電源配線３０４から比較的遠いところに配置されることとなる。従って、上記ループ状の電流経路において、ループの開口幅が大きくなり、これにより当該ループ状の電流経路におけるインダクタンスが大きくなる。つまり、インピーダンスが高くなる。よって、電源電流の安定性が低下し、固体撮像装置１全体としての性能が低下してしまう恐れがある。
【００９２】
一方、図５Ｂに示すように、第１基板１１０Ａと第２基板１１０ＢとがＦｔｏＢで貼り合わされる固体撮像装置１ａでは、第１基板１１０Ａの水平ＧＮＤ配線３０６ａは、第３基板１１０Ｃの水平電源配線３０４から比較的遠いところに配置されるものの、第２基板１１０Ｂの水平ＧＮＤ配線３０６ｂは、第３基板１１０Ｃの水平電源配線３０４から比較的近いところに配置されることとなる。従って、上記ループ状の電流経路において、ループの開口幅が小さくなり、これにより当該ループ状の電流経路におけるインダクタンスが小さくなる。つまり、インピーダンスが低くなる。よって、電源電流をより安定化させることができ、固体撮像装置１全体としての性能をより向上させることが可能となる。
【００９３】
このように、消費電力及びＧＮＤ配線の配置に注目すると、第３基板１１０Ｃの消費電力が第１基板１１０Ａの消費電力よりも大きい場合には、当該第３基板１１０Ｃの水平電源配線３０４のより近くに第２基板１１０Ｂの水平ＧＮＤ配線３０６ｂを配置させることができる、第１基板１１０Ａと第２基板１１０ＢとがＦｔｏＢで貼り合わされる固体撮像装置１ａの方が、第１基板１１０Ａと第２基板１１０ＢとがＦｔｏＦで貼り合わされる固体撮像装置１よりも、より安定的な動作が実現できると考えられる。つまり、固体撮像装置１ａの方がより好ましい構成であると言える。
【００９４】
ただし、各基板の設計によっては、第１基板１１０Ａの方が第３基板１１０Ｃよりも消費電力が大きい場合もあり得る。この場合には、第１基板１１０Ａの水平電源配線と第２基板１１０Ｂの水平ＧＮＤ配線３０６ｂとの距離をより近くすることができる、固体撮像装置１の構成の方が、固体撮像装置１ａよりも、より安定的な動作が期待できると考えられる。
【００９５】
まとめると、第２基板１１０Ｂの方向について、消費電力及びＧＮＤ配線の配置に基づいて検討すると、第１基板１１０Ａの消費電力が第３基板１１０Ｃの消費電力よりも大きい場合には、第２基板１１０Ｂの表面側が第１基板１１０Ａの方を向くように、すなわち第１基板１１０Ａと第２基板１１０ＢとがＦｔｏＦで貼り合わされるように、固体撮像装置１が構成されることが好ましい。逆に、第３基板１１０Ｃの消費電力が第１基板１１０Ａの消費電力よりも大きい場合には、第２基板１１０Ｂの表面側が第３基板１１０Ｃの方を向くように、すなわち第１基板１１０Ａと第２基板１１０ＢとがＦｔｏＢで貼り合わされるように、固体撮像装置１ａが構成されることが好ましい。
【００９６】
本実施形態では、このような消費電力及びＧＮＤ配線の配置に基づく観点から、第２基板１１０Ｂの方向が決定されてよい。図１及び後述する図６Ａ〜図２５Ｋに示す本実施形態に係る固体撮像装置１〜２１ｋは、例えば、第１基板１１０Ａの消費電力が第３基板１１０Ｃの消費電力よりも大きく構成されており、それに応じて、第１基板１１０Ａと第２基板１１０ＢとがＦｔｏＦで貼り合わされるように構成されている。従って、固体撮像装置１〜２１ｋによれば、より安定的な動作が実現され得る。
【００９７】
なお、第３基板１１０Ｃの消費電力が第１基板１１０Ａの消費電力よりも大きい場合としては、例えば、第１基板１１０Ａには画素部のみが搭載され、第２基板１１０Ｂ及び第３基板１１０Ｃに多くの回路（例えば、画素信号処理回路、ロジック回路、及びメモリ回路等）が搭載される場合が考えられる。このような構成としては、具体的には、例えば、第１基板１１０Ａには画素部のみが搭載され、第２基板１１０Ｂには画素信号処理回路及びメモリ回路が搭載され、第３基板１１０Ｃにロジック回路が搭載される構成等が考えられる。この際、画素信号処理回路におけるデジタル回路（例えば、ＡＤ変換のための参照電圧を生成するデジタル回路等）は、第３基板１１０Ｃに搭載されてもよい。あるいは、第３基板１１０Ｃに、アクセス頻度の高いメモリ回路（例えば、１フレームに複数回、画素信号が書き込み又は読み出しされるメモリ回路）が搭載される場合にも、当該第３基板１１０Ｃの消費電力は大きくなると考えられる。
【００９８】
一方、第１基板１１０Ａの消費電力が第３基板１１０Ｃの消費電力よりも大きい場合としては、例えば、第１基板１１０Ａに、画素部及び各種の回路がともに搭載され、第１基板１１０Ａにおける当該各種の回路が占める面積が比較的大きい場合が考えられる。あるいは、第３基板１１０Ｃに、アクセス頻度の低いメモリ回路（例えば、１フレームに１回だけ、画素信号が書き込み又は読み出しされるメモリ回路）が搭載される場合にも、第３基板１１０Ｃの消費電力が小さくなり、相対的に第１基板１１０Ａの消費電力が大きくなると考えられる。
【００９９】
なお、第１基板１１０Ａ及び第３基板１１０Ｃの消費電力を比較する際には、消費電力そのものが比較されてもよいし、消費電力の大小を表し得る他の指標が比較されてもよい。当該他の指標としては、例えば、各基板の回路に搭載されるゲート数（例えば、１００ゲートと１Ｍゲート）や、各基板の回路の動作周波数（例えば、１００ＭＨｚと１ＧＨｚ）等が挙げられる。
【０１００】
ここで、図５Ａに示す、第１基板１１０Ａと第２基板１１０ＢとがＦｔｏＦで貼り合わされる固体撮像装置１において、上記ループ状の電流経路におけるインピーダンスを低下させるための方法として、図５Ｃに示すように、第１基板１１０Ａの水平ＧＮＤ配線３０６ａと、第２基板１１０Ｂの水平ＧＮＤ配線３０６ｂとの間を、ｚ軸方向に延伸する複数の配線（すなわち、垂直ＧＮＤ配線）で接続する方法が考えられる。図５Ｃは、図５Ａに示す固体撮像装置１におけるインピーダンスを低下させるための一構成例を示す図である。なお、図５Ｃに示す固体撮像装置１ｂは、図５Ａに示す固体撮像装置１に対して、第１基板１１０Ａの水平ＧＮＤ配線３０６ａと、第２基板１１０Ｂの水平ＧＮＤ配線３０６ｂとを、複数の垂直ＧＮＤ配線で接続したものに対応し、その他の構成は固体撮像装置１と同様である。
【０１０１】
図５Ｃに示す構成を採用することにより、水平ＧＮＤ配線３０６ａ、３０６ｂが強化され、上記ループ状の電流経路におけるインピーダンスを低下させることができるため、固体撮像装置１ｂ全体としての性能をより向上させることが可能となると考えられる。なお、図５Ｃでは、一例として、第３基板１１０Ｃの消費電力が第１基板１１０Ａの消費電力よりも大きく、かつ、第１基板１１０Ａと第２基板１１０ＢとがＦｔｏＦで貼り合わされる場合において、そのループ状の電流経路のインピーダンスを低下させ得る構成を示しているが、第１基板１１０Ａの消費電力が第３基板１１０Ｃの消費電力よりも大きく、かつ、第１基板１１０Ａと第２基板１１０ＢとがＦｔｏＢで貼り合わされる場合において、そのループ状の電流経路のインピーダンスを低下させるためには、第２基板１１０Ｂの水平ＧＮＤ配線３０６ｂと、第３基板１１０Ｃの水平ＧＮＤ配線３０６ｃとの間を、複数の垂直ＧＮＤ配線で接続すればよい。
【０１０２】
しかしながら、図５Ｃに示す構成を実現するためには、第１基板１１０Ａの多層配線層１０５と、第２基板１１０Ｂの多層配線層１２５に、そのＧＮＤ配線同士を接続するための接続構造を設ける必要がある。従って、多層配線層１０５、１２５内におけるＧＮＤ配線の配置、及び他の配線の配置が、当該接続構造が設けられることを考慮した制約を受けることとなる。具体的には、図５Ｃに示す構成では、第１基板１１０Ａ及び第２基板１１０Ｂにおいて、垂直ＧＮＤ配線、及びそれらを基板間で接続するための接続構造が、水平面内におけるチップの外周部だけでなく、チップの中央部にもより多く分布することとなるため、そのことを考慮して各配線を配置させる必要がある。つまり、多層配線層１０５、１２５における各配線の設計の自由度が低下する。
【０１０３】
これに対して、上述したように、本実施形態では、第２基板１１０Ｂの向きを調整することにより、上記ループ状の電流経路のインピーダンスを低下させる。従って、図５Ｃに示す構成とは異なり、水平面内において、垂直ＧＮＤ配線がチップの外周部により多く分布するように、当該垂直ＧＮＤ配線を配置させることができる。よって、多層配線層１０５、１２５における各配線の設計の自由度を低下させることなく、電流経路におけるインピーダンスの低下、すなわち固体撮像装置１、１ａの動作の安定化を図ることができる。
【０１０４】
なお、水平面内のチップの外周部及びチップの中央部における垂直ＧＮＤ配線の配置の疎密については、例えば以下のように判断できる。例えば、チップを水平面内で３×３の領域に等分した９つの領域において、中央の１つの領域に存在する垂直ＧＮＤ配線の数が、周囲の８つの領域に存在する垂直ＧＮＤ配線の数よりも多い場合には、チップの中央部における垂直ＧＮＤ配線の数が多いと判断できる（すなわち、図５Ｃに示す固体撮像装置１ｂの構成が適用されている可能性があると判断できる）。一方、中央の１つの領域に存在する垂直ＧＮＤ配線の数が、周囲の８つの領域に存在する垂直ＧＮＤ配線の数よりも少ない場合には、チップの外周部における垂直ＧＮＤ配線の数が多いと判断できる（すなわち、図５Ａ及び図５Ｂに示す固体撮像装置１、１ａの構成が適用されている可能性があると判断できる）。
【０１０５】
ここでは一例としてチップを水平面内で９つの領域に等分した場合について説明したが、分割する領域の数はかかる例に限定されず、４×４の１６個の領域、又は５×５の２５個の領域等、適宜変更されてよい。例えば、チップを４×４の１６個の領域に分割する場合には、中央の４つの領域と、その周囲の１２個の領域と、における垂直ＧＮＤ配線の数で、粗密を判断すればよい。あるいは、チップを５×５の２５個の領域に分割する場合には、中央の１つの領域とその周囲の２４個の領域と、又は中央の９つの領域とその周囲の１６個の領域と、における垂直ＧＮＤ配線の数で、粗密を判断すればよい。
【０１０６】
（４．固体撮像装置の構成のバリエーション）
図１に示す固体撮像装置１の構成は、本実施形態に係る固体撮像装置の一例である。本実施形態に係る固体撮像装置は、図１に示すものとは異なる接続構造を有するように構成されてもよい。ここでは、本実施形態に係る固体撮像装置の、接続構造が異なる他の構成例について説明する。なお、以下に説明する各固体撮像装置の構成は、図１に示す固体撮像装置１の構成の一部を変更したものに対応する。従って、図１を参照して既に説明している構成については、その詳細な説明を省略する。また、以下に説明する各固体撮像装置の概略構成を示す各図面については、図面が煩雑になることを避けるために、図１では付していた一部の符号を省略している。また、図１及び以下の各図面について、同一の種類のハッチングを付している部材は、同一の材料によって形成されていることを表す。
【０１０７】
本実施形態に係る固体撮像装置は、いずれの構成においても、図１に示す固体撮像装置１のように、ツインコンタクト型のＴＳＶ１５７が少なくとも設けられる。ここで、ツインコンタクトとは、所定の配線を露出させる第１の貫通孔と、当該所定の配線とは異なる他の配線を露出させる当該第１の貫通孔とは異なる第２の貫通孔と、に導電材料が埋め込まれた構造、又は当該第１及び第２の貫通孔の内壁に導電材料が成膜された構造、を有するビアのことをいう。
【０１０８】
一方、固体撮像装置では、第１基板１１０Ａ、第２基板１１０Ｂ、及び第３基板１１０Ｃの各々に備わる信号線同士及び電源線同士の全てが電気的に接続される必要があるから、当該固体撮像装置には、上記ＴＳＶ１５７以外にも、上記ＴＳＶ１５７によっては電気的に接続されない信号線及び電源線を備える基板同士の間には、これらの信号線及び電源線を電気的に接続するための他の接続構造が更に設けられ得る。
【０１０９】
本実施形態では、これらの接続構造の具体的な構成に応じて、固体撮像装置を２０個のカテゴリに分類する。
【０１１０】
第１の構成例（図６Ａ〜図６Ｅ）は、第１基板１１０Ａ及び第２基板１１０Ｂの各々に備わる信号線同士及び電源線同士を電気的に接続するための接続構造としてツインコンタクト型の２層間のＴＳＶ１５７が設けられるが、当該ＴＳＶ１５７以外には、後述するツインコンタクト型若しくはシェアードコンタクト型のＴＳＶ１５７、並びに後述する電極接合構造１５９が存在しない構成例である。ここで、本明細書において、２層間のＴＳＶとは、第１基板１１０Ａ、第２基板１１０Ｂ、及び第３基板１１０Ｃのうち、隣り合う２つの基板の各々に備わる信号線同士及び電源線同士を電気的に接続し得るように設けられるＴＳＶのことを意味する。
【０１１１】
上記のように、第１基板１１０Ａ及び第２基板１１０Ｂの各々に備わる信号線同士及び電源線同士を電気的に接続するＴＳＶ１５７以外に、ＴＳＶ１５７及び電極接合構造１５９が設けられないため、第１の構成例に係る固体撮像装置では、第１基板１１０Ａ及び第３基板１１０Ｃの各々に備わる信号線同士及び電源線同士の電気的な接続、及び／又は第２基板１１０Ｂ及び第３基板１１０Ｃの各々に備わる信号線同士及び電源線同士の電気的な接続は、Ｉ／Ｏ部を介して実現される。つまり、第１の構成例に係る固体撮像装置では、第１基板１１０Ａ及び第２基板１１０Ｂの各々に備わる信号線同士及び電源線同士を電気的に接続するＴＳＶ１５７とともに、他の接続構造として、第１基板１１０Ａ及び第３基板１１０Ｃの各々に備わる信号線同士及び電源線同士を電気的に接続し得るパッド１５１、及び／又は第２基板１１０Ｂ及び第３基板１１０Ｃの各々に備わる信号線同士及び電源線同士を電気的に接続し得るパッド１５１が設けられる。なお、図１に示す固体撮像装置１も、第１の構成例に含まれる。
【０１１２】
第２の構成例（図７Ａ〜図７Ｋ）は、第１基板１１０Ａ及び第２基板１１０Ｂの各々に備わる信号線同士及び電源線同士を電気的に接続するツインコンタクト型の２層間のＴＳＶ１５７とともに、第２基板１１０Ｂ及び第３基板１１０Ｃの各々に備わる信号線同士及び電源線同士を電気的に接続するための接続構造として、更に、ツインコンタクト型の２層間のＴＳＶ１５７が少なくとも設けられた構成例である。
【０１１３】
第３の構成例（図８Ａ〜図８Ｇ）は、第１基板１１０Ａ及び第２基板１１０Ｂの各々に備わる信号線同士及び電源線同士を電気的に接続するツインコンタクト型の２層間のＴＳＶ１５７とともに、接続構造として、後述するツインコンタクト型の３層間のＴＳＶ１５７が少なくとも設けられた構成例である。なお、本明細書において、３層間のＴＳＶとは、第１基板１１０Ａ、第２基板１１０Ｂ、及び第３基板１１０Ｃの全てに跨って延在するＴＳＶのことを意味する。第１基板１１０Ａの裏面側から第３基板１１０Ｃに向かって形成されるツインコンタクト型の３層間のＴＳＶ１５７は、その構造上、第１基板１１０Ａ及び第３基板１１０Ｃの各々に備わる信号線同士及び電源線同士、又は第２基板１１０Ｂ及び第３基板１１０Ｃの各々に備わる信号線同士及び電源線同士を電気的に接続し得る。また、第３基板１１０Ｃの裏面側から第１基板１１０Ａに向かって形成されるツインコンタクト型の３層間のＴＳＶ１５７は、その構造上、第１基板１１０Ａ及び第２基板１１０Ｂの各々に備わる信号線同士及び電源線同士、又は第１基板１１０Ａ及び第３基板１１０Ｃの各々に備わる信号線同士及び電源線同士を電気的に接続し得る。
【０１１４】
第４の構成例（図９Ａ〜図９Ｋ）は、第１基板１１０Ａ及び第２基板１１０Ｂの各々に備わる信号線同士及び電源線同士を電気的に接続するツインコンタクト型の２層間のＴＳＶ１５７とともに、第２基板１１０Ｂ及び第３基板１１０Ｃの各々に備わる信号線同士及び電源線同士を電気的に接続するための接続構造として、後述するシェアードコンタクト型の２層間のＴＳＶ１５７が少なくとも設けられた構成例である。ここで、シェアードコンタクトとは、一の基板内の所定の配線の一部を露出させつつ他の基板内の所定の配線を露出させるように設けられる１つの貫通孔に、導電材料が埋め込まれた構造、又は前記貫通孔の内壁に導電材料が成膜された構造、を有するビアのことをいう。
【０１１５】
例えば、第１基板１１０Ａ及び第２基板１１０Ｂの各々に備わる信号線同士及び電源線同士を電気的に接続するシェアードコンタクト型のＴＳＶ１５７を、当該第１基板１１０Ａの裏面側から形成する場合であれば、まず、当該第１基板１１０Ａの多層配線層１０５内において所定の間隔を有して並べられて配置される２本の同電位配線と、当該第２基板１１０Ｂの多層配線層１２５内において第１基板１１０Ａの多層配線層１０５内の当該２本の同電位配線の間のスペースの直下に位置する配線と、に対して、当該第１基板１１０Ａの裏面側から、当該２本の同電位配線の間のスペースよりも大きい径を有する貫通孔が、ドライエッチングにより当該２本の同電位配線の直上から形成される。この際、当該大きい径を有する貫通孔は、当該２本の同電位配線を露出させないように形成される。次に、フォトリソグラフィー及びドライエッチングにより、当該２本の同電位配線の間のスペースよりも小さい径を有する貫通孔が、当該２本の同電位配線の間のスペースの直下に位置する第２基板１１０Ｂの多層配線層１２５内の配線を露出させるように形成される。次に、エッチバックによって、大きい径を有する貫通孔を成長させることにより、第１基板１１０Ａの多層配線層１０５内の当該２本の同電位配線の一部を露出させる。以上の工程により、結果として、貫通孔は、第１基板１１０Ａの多層配線層１０５内の２本の同電位配線の一部を露出させつつ、当該２本の配線の間のスペースの直下に位置する第２基板１１０Ｂの多層配線層１２５内の配線を露出させる形状を有することとなる。そして、かかる貫通孔に対して導電材料を埋め込むことにより、又は当該貫通孔の内壁に導電材料を成膜することにより、シェアードコンタクト型のＴＳＶ１５７が形成され得る。かかる方法によれば、大きい径を有する貫通孔及び小さい径を有する貫通孔を形成する際に、２本の同電位配線に対するドライエッチングが行われないため、当該２本の同電位配線の角が削れてしまう事態や、コンタミネーションの発生を抑制することができる。従って、より信頼性の高い固体撮像装置１が実現され得る。
【０１１６】
なお、上記の例では、第１基板１１０Ａ及び第２基板１１０Ｂの各々に備わる信号線同士及び電源線同士を電気的に接続するシェアードコンタクト型のＴＳＶ１５７を当該第１基板１１０Ａの裏面側から形成する場合について説明したが、第２基板１１０Ｂ及び第３基板１１０Ｃの各々に備わる信号線同士及び電源線同士を電気的に接続するシェアードコンタクト型のＴＳＶ１５７を当該第２基板１１０Ｂの表面側から又は当該第３基板１１０Ｃの裏面側から形成する場合や、後述するシェアードコンタクト型の３層間のＴＳＶ１５７を第１基板１１０Ａの裏面側から又は第３基板１１０Ｃの裏面側から形成する場合も、同様である。また、上記の例では、所定の間隔を有して並べられて配置される２本の配線の間のスペースを通過するように貫通孔が設けられていたが、例えば、開口を有するリング形状の配線を形成し、当該配線の開口を通過するように貫通孔が設けられてもよい。
【０１１７】
また、上記の方法とは異なる方法によってシェアードコンタクト型のＴＳＶ１５７を形成することも可能である。例えば、上記と同様に、第１基板１１０Ａ及び第２基板１１０Ｂの各々に備わる信号線同士及び電源線同士を電気的に接続するシェアードコンタクト型のＴＳＶ１５７を、当該第１基板１１０Ａの裏面側から形成する場合において、第１基板１１０Ａの裏面側から、当該第１基板１１０Ａの多層配線層１０５内の２本の同電位配線の間のスペースよりも大きい径を有する貫通孔を、ドライエッチングにより当該２本の同電位配線の直上から形成する際に、当該２本の同電位配線を露出させないようにドライエッチングを途中で止めるのではなく、当該２本の同電位配線の一部を露出させつつそのままドライエッチングを継続してもよい。この場合、当該２本の同電位配線を構成する導電材料（例えばＣｕ）と、絶縁膜１０３を構成する絶縁材料（例えばＳｉＯ２）とのエッチングの選択比により、当該貫通孔については、当該２本の同電位配線についてはエッチングがほとんど進まず、当該２本の同電位配線の間のスペースにおいては絶縁膜１０３に対するエッチングが進行し得る。従って、結果的に、当該貫通孔は、第１基板１１０Ａの多層配線層１０５内の２本の配線の一部を露出させつつ、当該２本の配線の間のスペースの直下に位置する第２基板１１０Ｂの多層配線層１２５内の配線を露出させる形状を有することとなる。このようにして形成された貫通孔に対して導電材料を埋め込むことにより、又は当該貫通孔の内壁に導電材料を成膜することにより、シェアードコンタクト型のＴＳＶ１５７が形成されてもよい。
【０１１８】
また、シェアードコンタクト型のＴＳＶ１５７は、必ずしも、２本の同電位配線の間のスペース、又はリング形状の配線の開口を通過するように設けられなくてもよい。例えば、貫通孔を形成する際に、より上層に位置する配線（上記の例であれば第１基板１１０Ａの多層配線層１０５内の配線）は、１本の配線であってもよい。具体的には、例えば、上記と同様に、第１基板１１０Ａ及び第２基板１１０Ｂの各々に備わる信号線同士及び電源線同士を電気的に接続するシェアードコンタクト型のＴＳＶ１５７を、当該第１基板１１０Ａの裏面側から形成する場合であれば、第１基板１１０Ａの多層配線層１０５内の１本の配線の一部を露出させつつ、第２基板１１０Ｂの多層配線層１２５内の配線を露出させる形状を有するように、貫通孔が形成されてもよい。そして、当該貫通孔に対して導電材料を埋め込むことにより、又は当該貫通孔の内壁に導電材料を成膜することにより、シェアードコンタクト型のＴＳＶ１５７が形成されてもよい。ただし、この形態においては、より上層の配線が１本であることにより、上述したより上層の配線が２本である場合、又は開口を有するリング形状である場合に比べて、例えばアライメントのずれ等により、より上層の配線が露出しないように貫通孔が形成されてしまい、コンタクト不良が生じやすくなることが懸念される。従って、かかる配線が１本である形態は、ＴＳＶ１５７と当該１本の配線とのコンタクト性が確保され得るように、貫通孔と当該１本の配線との重なりに十分なマージンを取ることができる場合に適用されることが好ましい。
【０１１９】
第５の構成例（図１０Ａ〜図１０Ｇ）は、第１基板１１０Ａ及び第２基板１１０Ｂの各々に備わる信号線同士及び電源線同士を電気的に接続するツインコンタクト型の２層間のＴＳＶ１５７とともに、接続構造として、後述するシェアードコンタクト型の３層間のＴＳＶ１５７が少なくとも設けられた構成例である。シェアードコンタクト型の３層間のＴＳＶ１５７は、その構造上、第１基板１１０Ａ、第２基板１１０Ｂ、及び第３基板１１０Ｃのうちの少なくともいずれか２つの基板の各々に備わる信号線同士及び電源線同士を電気的に接続し得る。
【０１２０】
なお、第２〜第５の構成例、並びに後述する第７〜第１０の構成例、第１２〜第１５の構成例、及び第１７〜第２０の構成例についての説明では、図面中に、ツインコンタクト型又はシェアードコンタクト型のＴＳＶ１５７が複数存在する場合があり得る。このような場合には、便宜的に、ＴＳＶ１５７ａ、ＴＳＶ１５７ｂ、・・・と、符号の末尾にそれぞれ異なるアルファベットを付すことにより、これら複数のＴＳＶ１５７を区別することとする。
【０１２１】
第６の構成例（図１１Ａ〜図１１Ｆ）は、第１基板１１０Ａ及び第２基板１１０Ｂの各々に備わる信号線同士及び電源線同士を電気的に接続するツインコンタクト型の２層間のＴＳＶ１５７とともに、第２基板１１０Ｂ及び第３基板１１０Ｃの各々に備わる信号線同士及び電源線同士を電気的に接続するための接続構造として、当該第２基板１１０Ｂと当該第３基板１１０Ｃとの間に後述する電極接合構造１５９が少なくとも設けられた構成例である。ここで、本明細書において、電極接合構造１５９とは、２つの基板の貼り合わせ面にそれぞれ形成される電極同士が直接接触した状態で接合している構造のことを意味する。
【０１２２】
第７の構成例（図１２Ａ〜図１２Ｌ）は、第１基板１１０Ａ及び第２基板１１０Ｂの各々に備わる信号線同士及び電源線同士を電気的に接続するツインコンタクト型の２層間のＴＳＶ１５７とともに、接続構造として、後述する第２基板１１０Ｂと第３基板１１０Ｃとの間の電極接合構造１５９と、第２基板１１０Ｂ及び第３基板１１０Ｃの各々に備わる信号線同士及び電源線同士を電気的に接続する更なるツインコンタクト型の２層間のＴＳＶ１５７と、が、少なくとも設けられた構成例である。
【０１２３】
第８の構成例（図１３Ａ〜図１３Ｈ）は、第１基板１１０Ａ及び第２基板１１０Ｂの各々に備わる信号線同士及び電源線同士を電気的に接続するツインコンタクト型の２層間のＴＳＶ１５７とともに、接続構造として、後述する第２基板１１０Ｂと第３基板１１０Ｃとの間の電極接合構造１５９と、後述するツインコンタクト型の３層間のＴＳＶ１５７と、が、少なくとも設けられた構成例である。
【０１２４】
第９の構成例（図１４Ａ〜図１４Ｋ）は、第１基板１１０Ａ及び第２基板１１０Ｂの各々に備わる信号線同士及び電源線同士を電気的に接続するツインコンタクト型の２層間のＴＳＶ１５７とともに、接続構造として、後述する第２基板１１０Ｂと第３基板１１０Ｃとの間の電極接合構造１５９と、第２基板１１０Ｂ及び第３基板１１０Ｃの各々に備わる信号線同士及び電源線同士を電気的に接続する後述するシェアードコンタクト型の２層間のＴＳＶ１５７と、が、少なくとも設けられた構成例である。
【０１２５】
第１０の構成例（図１５Ａ〜図１５Ｇ）は、第１基板１１０Ａ及び第２基板１１０Ｂの各々に備わる信号線同士及び電源線同士を電気的に接続するツインコンタクト型の２層間のＴＳＶ１５７とともに、接続構造として、後述する第２基板１１０Ｂと第３基板１１０Ｃとの間の電極接合構造１５９と、後述するシェアードコンタクト型の３層間のＴＳＶ１５７と、が、少なくとも設けられた構成例である。
【０１２６】
第１１の構成例（図１６Ａ〜図１６Ｇ）は、接続構造として、ツインコンタクト型の３層間のＴＳＶ１５７が設けられるが、当該ＴＳＶ１５７以外には、ツインコンタクト型若しくはシェアードコンタクト型のＴＳＶ１５７、並びに後述する電極接合構造１５９が存在しない構成例である。第１１の構成例に係る固体撮像装置では、当該ＴＳＶ１５７によって電気的に接続されない信号線及び電源線を備える基板同士は、Ｉ／Ｏ部を介して信号線及び電源線が電気的に接続される。つまり、第１１の構成例に係る固体撮像装置では、当該ＴＳＶ１５７とともに、他の接続構造として、当該ＴＳＶ１５７によって電気的に接続されない信号線及び電源線を備える基板の各々に対してパッド１５１が設けられる。
【０１２７】
第１２の構成例（図１７Ａ〜図１７Ｊ）は、ツインコンタクト型の３層間のＴＳＶ１５７とともに、第２基板１１０Ｂ及び第３基板１１０Ｃの各々に備わる信号線同士及び電源線同士を電気的に接続するための接続構造として、ツインコンタクト型の２層間のＴＳＶ１５７が少なくとも設けられた構成例である。
【０１２８】
第１３の構成例（図１８Ａ〜図１８Ｇ）は、ツインコンタクト型の３層間のＴＳＶ１５７とともに、接続構造として、更に、ツインコンタクト型の３層間のＴＳＶ１５７が少なくとも設けられた構成例である。
【０１２９】
第１４の構成例（図１９Ａ〜図１９Ｋ）は、ツインコンタクト型の３層間のＴＳＶ１５７とともに、第２基板１１０Ｂ及び第３基板１１０Ｃの各々に備わる信号線同士及び電源線同士を電気的に接続するための接続構造として、後述するシェアードコンタクト型の２層間のＴＳＶ１５７が少なくとも設けられた構成例である。
【０１３０】
第１５の構成例（図２０Ａ〜図２０Ｇ）は、ツインコンタクト型の３層間のＴＳＶ１５７とともに、接続構造として、後述するシェアードコンタクト型の３層間のＴＳＶ１５７が少なくとも設けられた構成例である。
【０１３１】
第１６の構成例（図２１Ａ〜図２１Ｍ）は、ツインコンタクト型の３層間のＴＳＶ１５７とともに、第２基板１１０Ｂ及び第３基板１１０Ｃの各々に備わる信号線同士及び電源線同士を電気的に接続するための接続構造として、当該第２基板１１０Ｂと当該第３基板１１０Ｃとの間に後述する電極接合構造１５９が少なくとも設けられた構成例である。
【０１３２】
第１７の構成例（図２２Ａ〜図２２Ｍ）は、ツインコンタクト型の３層間のＴＳＶ１５７とともに、接続構造として、後述する第２基板１１０Ｂと第３基板１１０Ｃとの間の電極接合構造１５９と、第２基板１１０Ｂ及び第３基板１１０Ｃの各々に備わる信号線同士及び電源線同士を電気的に接続するツインコンタクト型の２層間のＴＳＶ１５７と、が、少なくとも設けられた構成例である。
【０１３３】
第１８の構成例（図２３Ａ〜図２３Ｋ）は、ツインコンタクト型の３層間のＴＳＶ１５７とともに、接続構造として、後述する第２基板１１０Ｂと第３基板１１０Ｃとの間の電極接合構造１５９と、更なるツインコンタクト型の３層間のＴＳＶ１５７と、が、少なくとも設けられた構成例である。
【０１３４】
第１９の構成例（図２４Ａ〜図２４Ｍ）は、ツインコンタクト型の３層間のＴＳＶ１５７とともに、接続構造として、後述する第２基板１１０Ｂと第３基板１１０Ｃとの間の電極接合構造１５９と、後述する第２基板１１０Ｂ及び第３基板１１０Ｃの各々に備わる信号線同士及び電源線同士を電気的に接続するシェアードコンタクト型の２層間のＴＳＶ１５７と、が、少なくとも設けられた構成例である。
【０１３５】
第２０の構成例（図２５Ａ〜図２５Ｋ）は、ツインコンタクト型の３層間のＴＳＶ１５７とともに、接続構造として、後述する第２基板１１０Ｂと第３基板１１０Ｃとの間の電極接合構造１５９と、後述するシェアードコンタクト型の３層間のＴＳＶ１５７と、が、少なくとも設けられた構成例である。
【０１３６】
以下、第１〜第２０の構成例について順に説明する。なお、以下の各図では、本実施形態に係る固体撮像装置が少なくとも有する接続構造の例を示している。以下の各図に示す構成は、本実施形態に係る固体撮像装置が、図示する接続構造しか有しないことを意味するものではなく、当該固体撮像装置は、図示する接続構造以外の接続構造も適宜有し得る。また、以下の各図の説明において、第１金属配線層は例えばＣｕ配線層であり、第２金属配線層は例えばＡｌ配線層である。
【０１３７】
（４−１．第１の構成例）
図６Ａ〜図６Ｅは、本実施形態の第１の構成例に係る固体撮像装置の概略構成を示す縦断面図である。本実施形態に係る固体撮像装置は、図６Ａ〜図６Ｅに示す構成を有し得る。
【０１３８】
図６Ａに示す固体撮像装置２ａは、接続構造として、ツインコンタクト型の２層間のＴＳＶ１５７と、第１基板１１０Ａの多層配線層１０５内に設けられるパッド１５１、及び当該パッド１５１を露出させるパッド開口部１５３ａと、第３基板１１０Ｃの多層配線層１３５内に設けられるパッド１５１、及び当該パッド１５１を露出させるパッド開口部１５３ｂと、を有する。ＴＳＶ１５７は、第２基板１１０Ｂの裏面側から第１基板１１０Ａに向かって形成され、当該第１基板１１０Ａ及び当該第２基板１１０Ｂの各々に備わる信号線同士及び電源線同士を電気的に接続するように設けられる。図６Ａに示す構成では、当該ＴＳＶ１５７によって、第１基板１１０Ａの多層配線層１０５内の第２金属配線層の所定の配線と、第２基板１１０Ｂの多層配線層１２５内の第１金属配線層の所定の配線と、が電気的に接続されている。また、パッド１５１、及びパッド開口部１５３ａ、１５３ｂによって、第１基板１１０Ａ及び第３基板１１０Ｃの各々に備わる信号線同士及び電源線同士が電気的に接続され得る。
【０１３９】
図６Ｂに示す固体撮像装置２ｂは、接続構造として、ツインコンタクト型の２層間のＴＳＶ１５７と、第２基板１１０Ｂの多層配線層１２５内の所定の配線を引き出す引き出し線開口部１５５ａと、第３基板１１０Ｃの多層配線層１３５内の所定の配線を引き出す引き出し線開口部１５５ｂと、第１基板１１０Ａの裏面側の面上に配置され、これら引き出し線開口部１５５ａ、１５５ｂを構成する導電材料によって当該所定の配線と電気的に接続されるパッド１５１と、を有する。ＴＳＶ１５７は、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図６Ｂに示す構成では、当該ＴＳＶ１５７によって、第１基板１１０Ａの多層配線層１０５内の第１金属配線層の所定の配線と、第２基板１１０Ｂの多層配線層１２５内の第１金属配線層の所定の配線と、が電気的に接続されている。
【０１４０】
ここで、引き出し線開口部１５５ａ、１５５ｂとは、基板１１０Ａ、１１０Ｂ、１１０Ｃ内の所定の配線（図示する例では第２基板１１０Ｂ内及び第３基板１１０Ｃ内の所定の配線）を外部に引き出すための開口部である。引き出し線開口部１５５ａ、１５５ｂは、その引き出す対象である配線を露出させるように形成される開口部の内壁に、導電材料（例えばＷ）が成膜された構造を有する。この導電材料からなる膜は、引き出し線開口部１５５ａ、１５５ｂの内部から、図示するように、第１基板１１０Ａの裏面側の面上にまで延設される。パッド１５１は、この延設された導電材料からなる膜上に形成されており、当該導電材料からなる膜によって、引き出し線開口部１５５ａ、１５５ｂによって引き出された基板内の配線と電気的に接続される。図６Ｂに示す構成では、引き出し線開口部１５５ａは、第２基板１１０Ｂの多層配線層１２５内の第１金属配線層の所定の配線を引き出すように構成されており、引き出し線開口部１５５ｂは、第３基板１１０Ｃの多層配線層１３５内の第１金属配線層の所定の配線を引き出すように構成されている。なお、引き出し線開口部１５５ａ、１５５ｂにおいて、開口部の内壁に成膜される導電材料は、Ｗに限定されず、当該導電材料としては、各種の公知の導電材料が用いられてよい。
【０１４１】
本明細書では、図６Ｂに示すように、引き出し線開口部１５５ａ、１５５ｂによって引き出された配線に、第１基板１１０Ａの裏面側に配置されたパッド１５１が電気的に接続されている構造を、引き出しパッド構造とも呼称する。また、本明細書では、引き出しパッド構造に対応して、例えば図６Ａに示すような基板内に形成されているパッド１５１に対してパッド開口部１５３ａ、１５３ｂが設けられた構造を、埋め込みパッド構造とも呼称する（図１に示す構造も埋め込みパッド構造である）。引き出しパッド構造は、埋め込みパッド構造において基板内に形成されているパッド１５１を、基板の外（第１基板１１０Ａの裏面側の面上）に引き出した構造であると言える。
【０１４２】
また、図６Ｂに示す構成では、２つの引き出し線開口部１５５ａ、１５５ｂによって引き出された配線が、導電材料からなる膜を介して、同一のパッド１５１に電気的に接続されている。つまり、２つの引き出し線開口部１５５ａ、１５５ｂによって１つのパッド１５１が共有されている。ただし、本実施形態はかかる例に限定されない。図６Ｂに示すように複数の引き出し線開口部１５５ａ、１５５ｂが存在する場合には、そのそれぞれに対してパッド１５１が設けられてもよい。この場合には、引き出し線開口部１５５ａを構成する導電材料からなる膜と、引き出し線開口部１５５ｂを構成する導電材料からなる膜と、が、互いに隔絶されるように（すなわち、両者が非導通となるように）、第１基板１１０Ａの裏面側の面上に延設され、その膜上にそれぞれパッド１５１が設けられ得る。
【０１４３】
なお、本明細書では、図６Ｂに示すように図中に引き出し線開口部１５５が複数存在する場合に、便宜的に、引き出し線開口部１５５ａ、引き出し線開口部１５５ｂ、・・・と、符号の末尾にそれぞれ異なるアルファベットを付すことにより、これら複数の引き出し線開口部１５５を区別することとする。
【０１４４】
図６Ｃに示す固体撮像装置２ｃは、図６Ｂに示す固体撮像装置２ｂに対して、引き出しパッド構造の構成が変更されたものに対応する。具体的には、図６Ｃに示す構成では、引き出しパッド構造は、引き出し線開口部１５５ａ、１５５ｂを構成する導電材料からなる膜、及び当該膜上に形成されるパッド１５１が、当該パッド１５１が設けられる部位において、ともに、絶縁膜１０９内に埋め込まれている構造を有する。
【０１４５】
なお、本明細書では、図６Ｃに示すような、パッド１５１が第１基板１１０Ａの裏面側の面上において絶縁膜１０９内に埋め込まれている引き出しパッド構造のことを、埋め込み型の引き出しパッド構造ともいう。また、これに対応して、図６Ｂに示すような、パッド１５１が第１基板１１０Ａの裏面側の面上において絶縁膜１０９内に埋め込まれずに配置される引き出しパッド構造のことを、非埋め込み型の引き出しパッド構造ともいう。
【０１４６】
図６Ｃに示す構成では、図６Ｂに示す構成と同様に、２つの引き出し線開口部１５５ａ、１５５ｂによって、１つのパッド１５１が共有されている。ただし、本実施形態はかかる例に限定されない。図６Ｂに示す非埋め込み型の引き出しパッド構造と同様に、埋め込み型の引き出しパッド構造においても、２つの引き出し線開口部１５５ａ、１５５ｂのそれぞれに対応するように、複数のパッド１５１が設けられてもよい。
【０１４７】
図６Ｄに示す固体撮像装置２ｄは、接続構造として、ツインコンタクト型の２層間のＴＳＶ１５７と、第３基板１１０Ｃに対する引き出しパッド構造（すなわち、第３基板１１０Ｃの多層配線層１３５内の所定の配線に対する引き出し線開口部１５５ｃ、及び第１基板１１０Ａの裏面側の面上のパッド１５１）と、を有する。ＴＳＶ１５７は、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図６Ｄに示す構成では、当該ＴＳＶ１５７によって、第１基板１１０Ａの多層配線層１０５内の第１金属配線層の所定の配線と、第２基板１１０Ｂの多層配線層１２５内の第１金属配線層の所定の配線と、が電気的に接続されている。
【０１４８】
ここで、図６Ａ〜図６Ｃに示す構成とは異なり、図６Ｄに示すＴＳＶ１５７は、貫通孔の内部に第１の金属が埋め込まれて構成されるのではなく、貫通孔の内壁に導電材料が成膜されて構成されている。図示する例では、当該導電材料として、引き出し線開口部１５５を構成する導電材料と同じ材料（例えばＷ）が成膜されている。このように、本実施形態では、ＴＳＶ１５７として、図６Ａ〜図６Ｃに示すような貫通孔に導電材料が埋め込まれた構成を有するものが用いられてもよいし、図６Ｄに示すような貫通孔の内壁に導電材料が成膜された構成を有するものが用いられてもよい。なお、ＴＳＶ１５７において、貫通孔の内壁に成膜される導電材料は、Ｗに限定されず、当該導電材料としては、各種の公知の導電材料が用いられてよい。また、ＴＳＶ１５７を構成する導電材料は、引き出し線開口部１５５を構成する導電材料と異なる材料であってもよい。
【０１４９】
なお、本明細書では、図６Ａ〜図６Ｃに示すように、貫通孔に導電材料が埋め込まれた構成を有するＴＳＶ１５７を、埋め込み型のＴＳＶ１５７とも呼称する。また、図６Ｄに示すように、貫通孔の内壁に導電材料が成膜された構成を有するＴＳＶ１５７を、非埋め込み型のＴＳＶ１５７とも呼称する。
【０１５０】
ここで、図６Ｄに示す構成では、ＴＳＶ１５７において貫通孔の内壁に成膜される導電材料からなる膜と、引き出し線開口部１５５ｃにおいて開口部の内壁に成膜される導電材料からなる膜と、が、一体的に形成され、この導電材料からなる膜が第１基板１１０Ａの裏面側の面上まで延設されている。そして、その第１基板１１０Ａの裏面側の面上に延設された導電材料からなる膜の上に、パッド１５１が形成されている。つまり、図６Ｄに示す構成では、ＴＳＶ１５７とパッド１５１とが電気的に接続されており、更には、ＴＳＶ１５７によって電気的に接続されている第１基板１１０Ａの多層配線層１０５内の所定の配線及び第２基板１１０Ｂの多層配線層１２５内の所定の配線と、パッド１５１とも、電気的に接続されていることとなる。
【０１５１】
このように、図６Ｄに示す構成では、ツインコンタクト型及び非埋め込み型のＴＳＶ１５７は、第１基板１１０Ａ及び第２基板１１０Ｂの各々に備わる信号線同士及び電源線同士を電気的に接続するＴＳＶとしての機能を有するとともに、その２つの貫通孔に応じた２つの引き出し線開口部１５５ａ、１５５ｂ（すなわち、第１基板１１０Ａの多層配線層１０５内の所定の配線を第１基板１１０Ａの裏面側の面上のパッド１５１にまで引き出す引き出し線開口部１５５ａ、及び第２基板１１０Ｂの多層配線層１２５内の所定の配線を第１基板１１０Ａの裏面側の面上のパッド１５１にまで引き出す引き出し線開口部１５５ｂ）としての機能を有している。
【０１５２】
以下では、図６Ｄに示すＴＳＶ１５７のように、ＴＳＶ１５７としての機能と、引き出し線開口部１５５ａ、１５５ｂとしての機能と、を併せ持つ構造のことを、ＴＳＶ兼用引き出し線開口部とも記載することとする。図６Ｄに示す構成は、接続構造として、ＴＳＶ兼用引き出し線開口部１５５ａ、１５５ｂ（すなわち、ＴＳＶ１５７）と、引き出し線開口部１５５ｃと、を有する構成であると言える。なお、以下の各図面においては、図面が煩雑になることを避けるために、ＴＳＶ兼用引き出し線開口部には、ＴＳＶを示す符号「１５７」の記載を省略し、引き出し線開口部を示す符号「１５５」のみを付すこととする。
【０１５３】
図６Ｅに示す固体撮像装置２ｅは、図６Ｄに示す固体撮像装置２ｄに対して、非埋め込み型の引き出しパッド構造に代えて埋め込み型の引き出しパッド構造が設けられたものに対応する。
【０１５４】
なお、図６Ａ〜図６Ｅに示す各構成に対して、ツインコンタクト型の２層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０１５５】
また、図６Ａに示す構成においては、図示する例では、第１基板１１０Ａ及び第３基板１１０Ｃに対してパッド１５１が設けられているが、本実施形態はかかる例に限定されない。第１の構成例では、ＴＳＶ１５７によって第１基板１１０Ａ及び第２基板１１０Ｂの各々に備わる信号線同士及び電源線同士が電気的に接続されているから、当該ＴＳＶ１５７によって電気的に接続されない信号線及び電源線を備える第２基板１１０Ｂ及び第３基板１１０Ｃ、又は第１基板１１０Ａ及び第３基板１１０Ｃは、それぞれ信号線及び電源線を電気的に接続するために、パッド１５１が設けられてもよい。つまり、図６Ａに示す構成においては、図示するパッド１５１の構成例に代えて、第２基板１１０Ｂ及び第３基板１１０Ｃに対してパッド１５１が設けられてもよい。同様に、図６Ｂ及び図６Ｃに示す各構成においては、図示する例では、第２基板１１０Ｂ及び第３基板１１０Ｃに対してパッド１５１が設けられているが、これに代えて、第１基板１１０Ａ及び第３基板１１０Ｃに対してパッド１５１が設けられてもよい。
【０１５６】
また、図６Ｄ及び図６Ｅに示す各構成においては、図示する例では、ＴＳＶ兼用引き出し線開口部１５５ａ、１５５ｂ及び引き出し線開口部１５５ｃによって１つのパッド１５１が共有されているが、本実施形態はかかる例に限定されない。これらの各構成では、ＴＳＶ兼用引き出し線開口部１５５ａ、１５５ｂに対して（すなわち、ＴＳＶ１５７に対して）、及び引き出し線開口部１５５ｃに対して、それぞれ１つのパッド１５１が設けられてもよい。この場合、ＴＳＶ兼用引き出し線開口部１５５ａ、１５５ｂを構成する導電材料からなる膜と、引き出し線開口部１５５ｃを構成する導電材料からなる膜と、は、互いに隔絶されるように（すなわち、両者が非導通となるように）、第１基板１１０Ａの裏面側の面上において延設され得る。
【０１５７】
（４−２．第２の構成例）
図７Ａ〜図７Ｋは、本実施形態の第２の構成例に係る固体撮像装置の概略構成を示す縦断面図である。本実施形態に係る固体撮像装置は、図７Ａ〜図７Ｋに示す構成を有し得る。
【０１５８】
図７Ａに示す固体撮像装置３ａは、接続構造として、ツインコンタクト型及び埋め込み型の２層間のＴＳＶ１５７ａ、１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０１５９】
ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図７Ａに示す構成では、当該ＴＳＶ１５７ｂによって、第２基板１１０Ｂの多層配線層１２５内の第２金属配線層の所定の配線と、第３基板１１０Ｃの多層配線層１３５内の第２金属配線層の所定の配線と、が電気的に接続されている。
【０１６０】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図７Ａに示す構成では、ＴＳＶ１５７ａの一方のビアは第１基板１１０Ａの多層配線層１０５内の第１金属配線層の所定の配線と接触しており、他方のビアは、ＴＳＶ１５７ｂの上端と接触している。つまり、ＴＳＶ１５７ａは、第１基板１１０Ａの多層配線層１０５内の所定の配線と、ＴＳＶ１５７ｂと、を電気的に接続するように形成される。更には、ＴＳＶ１５７ａによって、第１基板１１０Ａの多層配線層１０５内の所定の配線と、ＴＳＶ１５７ｂによって電気的に接続されている第２基板１１０Ｂの多層配線層１２５内の所定の配線、及び第３基板１１０Ｃの多層配線層１３５内の所定の配線と、が電気的に接続されることとなる。
【０１６１】
図７Ｂに示す固体撮像装置３ｂは、図７Ａに示す固体撮像装置３ａに対して、ＴＳＶ１５７ｂによって電気的に接続される配線の種類（材料）が変更されたものに対応する。具体的には、図７Ｂに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０１６２】
図７Ｃに示す固体撮像装置３ｃは、図７Ａに示す固体撮像装置３ａに対して、ＴＳＶ１５７ａの構造が変更されたものに対応する。具体的には、上記図７Ａに示す構成では、ＴＳＶ１５７ａは、第１基板１１０Ａの多層配線層１０５内の所定の配線と、ＴＳＶ１５７ｂと、を電気的に接続するように設けられていたが、図７Ｃに示す構成では、ＴＳＶ１５７ａは、第１基板１１０Ａの多層配線層１０５内の所定の配線と、第２基板１１０Ｂの多層配線層１２５内の所定の配線と、を電気的に接続するように設けられる。図７Ｃに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。
【０１６３】
図７Ｄに示す固体撮像装置３ｄは、図７Ｃに示す固体撮像装置３ｃに対して、ＴＳＶ１５７ａ、１５７ｂによって電気的に接続される配線の種類が変更されたものに対応する。具体的には、図７Ｄに示す構成では、ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。また、ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０１６４】
図７Ｅに示す固体撮像装置３ｅは、図７Ｄに示す固体撮像装置３ｄに対して、ＴＳＶ１５７ｂの構造が変更されたものに対応する。具体的には、図７Ｅに示す構成では、ＴＳＶｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図７Ｅに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０１６５】
図７Ｆに示す固体撮像装置３ｆは、図７Ｂに示す固体撮像装置３ｂに対して、埋め込みパッド構造が変更されたものに対応する。具体的には、図７Ｆに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０１６６】
図７Ｇに示す固体撮像装置３ｇは、図７Ｆに示す固体撮像装置３ｆに対して、引き出しパッド構造の構成が変更されたものに対応する。具体的には、図７Ｇに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０１６７】
図７Ｈに示す固体撮像装置３ｈは、図７Ｂに示す固体撮像装置３ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０１６８】
図７Ｉに示す固体撮像装置３ｉは、図７Ｄに示す固体撮像装置３ｄに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０１６９】
図７Ｊに示す固体撮像装置３ｊは、図７Ｈに示す固体撮像装置３ｈに対して、ＴＳＶ兼用引き出し線開口部１５５ａ、１５５ｂに係る非埋め込み型の引き出しパッド構造が、埋め込み型の引き出しパッド構造に変更されたものに対応する。
【０１７０】
図７Ｋに示す固体撮像装置３ｋは、図７Ｉに示す固体撮像装置３ｉに対して、ＴＳＶ兼用引き出し線開口部１５５ａ、１５５ｂに係る非埋め込み型の引き出しパッド構造が、埋め込み型の引き出しパッド構造に変更されたものに対応する。
【０１７１】
なお、図７Ａ〜図７Ｋに示す各構成において、ツインコンタクト型の２層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０１７２】
また、図７Ａ〜図７Ｇに示す各構成において、パッド１５１が設けられる基板は、図示する例に限定されない。第２の構成例では、一方のＴＳＶ１５７ａによって第１基板１１０Ａ及び第２基板１１０Ｂの各々に備わる信号線同士及び電源線同士が電気的に接続されており、他方のＴＳＶ１５７ｂによって第２基板１１０Ｂ及び第３基板１１０Ｃの各々に備わる信号線同士及び電源線同士が電気的に接続されているから、接続構造としてのパッド１５１は設けられなくてもよい。従って、例えば、図７Ａ〜図７Ｇに示す各構成においては、パッド１５１は、所望の信号を取り出すために、任意の基板１１０Ａ、１１０Ｂ、１１０Ｃに対して設けられてよい。
【０１７３】
また、引き出しパッド構造が設けられる場合においては、当該引き出しパッド構造は、非埋め込み型であってもよいし、埋め込み型であってもよい。例えば、図７Ｆに示す構成において、非埋め込み型の引き出しパッド構造に代えて埋め込み型の引き出しパッド構造が設けられてもよい。また、例えば、図７Ｇに示す構成において、埋め込み型の引き出しパッド構造に代えて非埋め込み型の引き出しパッド構造が設けられてもよい。
【０１７４】
（４−３．第３の構成例）
図８Ａ〜図８Ｇは、本実施形態の第３の構成例に係る固体撮像装置の概略構成を示す縦断面図である。本実施形態に係る固体撮像装置は、図８Ａ〜図８Ｇに示す構成を有し得る。
【０１７５】
図８Ａに示す固体撮像装置４ａは、接続構造として、ツインコンタクト型及び埋め込み型の２層間のＴＳＶ１５７ａと、ツインコンタクト型及び埋め込み型の３層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０１７６】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図８Ａに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図８Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。
【０１７７】
図８Ｂに示す固体撮像装置４ｂは、図８Ａに示す固体撮像装置４ａに対して、ＴＳＶ１５７ａによって電気的に接続される配線の種類が変更されたものに対応する。具体的には、図８Ｂに示す構成では、当該ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。
【０１７８】
図８Ｃに示す固体撮像装置４ｃは、接続構造として、ツインコンタクト型及び埋め込み型の２層間のＴＳＶ１５７ａと、ツインコンタクト型及び埋め込み型の３層間のＴＳＶ１５７ｂと、第２基板１１０Ｂに対する埋め込みパッド構造（すなわち、第２基板１１０Ｂの多層配線層１２５内に設けられるパッド１５１、及び当該パッド１５１を露出させるパッド開口部１５３ａ）と、第３基板１１０Ｃに対する埋め込みパッド構造（すなわち、第３基板１１０Ｃの多層配線層１３５内に設けられるパッド１５１、及び当該パッド１５１を露出させるパッド開口部１５３ｂ）と、を有する。
【０１７９】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図８Ｃに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ及び第２基板１１０Ｂの各々に備わる信号線同士及び電源線同士を電気的に接続するように設けられる。図８Ｃに示す構成では、当該ＴＳＶ１５７ｂによって、第１基板１１０Ａの多層配線層１０５内の第１金属配線層の所定の配線と、第２基板１１０Ｂの多層配線層１２５内の第１金属配線層の所定の配線と、が電気的に接続されている。また、２つの埋め込みパッド構造によって、第２基板１１０Ｂ及び第３基板１１０Ｃの各々に備わる信号線同士及び電源線同士が電気的に接続され得る。
【０１８０】
図８Ｄに示す固体撮像装置４ｄは、図８Ｂに示す固体撮像装置４ｂに対して、埋め込みパッド構造が変更されるとともに、ＴＳＶ１５７ｂによって電気的に接続される配線の種類が変更されたものに対応する。具体的には、図８Ｄに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。また、図８Ｄに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０１８１】
図８Ｅに示す固体撮像装置４ｅは、図８Ｄに示す固体撮像装置４ｄに対して、引き出しパッド構造の構成が変更されたものに対応する。具体的には、図８Ｅに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０１８２】
図８Ｆに示す固体撮像装置４ｆは、図８Ｅに示す固体撮像装置４ｅに対して、埋め込み型のＴＳＶ１５７ａが非埋め込み型のＴＳＶに変更されることにより、当該ＴＳＶ１５７ａ及び埋め込み型の引き出しパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０１８３】
図８Ｇに示す固体撮像装置４ｇは、図８Ｆに示す固体撮像装置４ｆに対して、ＴＳＶ兼用引き出し線開口部１５５ａ、１５５ｂに係る非埋め込み型の引き出しパッド構造が、埋め込み型の引き出しパッド構造に変更されたものに対応する。
【０１８４】
なお、図８Ａ〜図８Ｇに示す各構成に対して、ツインコンタクト型の２層間及び３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０１８５】
また、図８Ｃに示す構成においては、図示する例では、第２基板１１０Ｂ及び第３基板１１０Ｃに対してパッド１５１が設けられている。ただし、本実施形態はかかる例に限定されない。当該構成では、ＴＳＶ１５７ａ、ＴＳＶ１５７ｂによって第１基板１１０Ａ及び第２基板１１０Ｂの各々に備わる信号線同士及び電源線同士が電気的に接続されているから、当該ＴＳＶ１５７ａ、１５７ｂによって電気的に接続されない信号線及び電源線を備える第２基板１１０Ｂ及び第３基板１１０Ｃ、又は第１基板１１０Ａ及び第３基板１１０Ｃは、信号線及び電源線を電気的に接続するために、パッド１５１が設けられてもよい。つまり、図８Ｃに示す各構成においては、図示するパッド１５１の構成例に代えて、第１基板１１０Ａ及び第３基板１１０Ｃに対してパッド１５１が設けられてもよい。
【０１８６】
また、図８Ａ、図８Ｂ、図８Ｄ、及び図８Ｅに示す各構成において、パッド１５１が設けられる基板は、図示する例に限定されない。これらの各構成では、一方のＴＳＶ１５７ａによって第１基板１１０Ａ及び第２基板１１０Ｂの各々に備わる信号線同士及び電源線同士が電気的に接続されており、他方のＴＳＶ１５７ｂによって第１基板１１０Ａ及び第３基板１１０Ｃの各々に備わる信号線同士及び電源線同士が電気的に接続されているから、接続構造としてのパッド１５１は設けられなくてもよい。従って、例えば、図８Ａ、図８Ｂ、図８Ｄ、及び図８Ｅに示す各構成においては、パッド１５１は、所望の信号を取り出すために、任意の基板１１０Ａ、１１０Ｂ、１１０Ｃに対して設けられてよい。
【０１８７】
また、引き出しパッド構造が設けられる場合においては、当該引き出しパッド構造は、非埋め込み型であってもよいし、埋め込み型であってもよい。例えば、図８Ｄに示す構成において、非埋め込み型の引き出しパッド構造に代えて埋め込み型の引き出しパッド構造が設けられてもよい。また、例えば、図８Ｅに示す構成において、埋め込み型の引き出しパッド構造に代えて非埋め込み型の引き出しパッド構造が設けられてもよい。
【０１８８】
また、図８Ａ〜図８Ｇに示す各構成では、ツインコンタクト型及び埋め込み型の３層間のＴＳＶ１５７は、第３基板１１０Ｃの裏面側から第１基板１１０Ａに向かって形成されていたが、本実施形態はかかる例に限定されない。当該ＴＳＶ１５７は、第１基板１１０Ａの裏面側から第３基板１１０Ｃに向かって形成されてもよい。
【０１８９】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０１９０】
（４−４．第４の構成例）
図９Ａ〜図９Ｋは、本実施形態の第４の構成例に係る固体撮像装置の概略構成を示す縦断面図である。本実施形態に係る固体撮像装置は、図９Ａ〜図９Ｋに示す構成を有し得る。
【０１９１】
図９Ａに示す固体撮像装置５ａは、接続構造として、ツインコンタクト型及び埋め込み型の２層間のＴＳＶ１５７ａと、シェアードコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０１９２】
ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図９Ａに示す構成では、当該ＴＳＶ１５７ｂによって、第２基板１１０Ｂの多層配線層１２５内の第２金属配線層の所定の配線と、第３基板１１０Ｃの多層配線層１３５内の第２金属配線層の所定の配線と、が電気的に接続されている。
【０１９３】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図９Ａに示す構成では、ＴＳＶ１５７ａの一方のビアは第１基板１１０Ａの多層配線層１０５内の第１金属配線層の所定の配線と接触しており、他方のビアは、ＴＳＶ１５７ｂの上端と接触している。つまり、ＴＳＶ１５７ａは、第１基板１１０Ａの多層配線層１０５内の所定の配線と、ＴＳＶ１５７ｂと、を電気的に接続するように形成される。更には、ＴＳＶ１５７ａによって、第１基板１１０Ａの多層配線層１０５内の所定の配線と、ＴＳＶ１５７ｂによって電気的に接続されている第２基板１１０Ｂの多層配線層１２５内の所定の配線、及び第３基板１１０Ｃの多層配線層１３５内の所定の配線と、が電気的に接続されることとなる。
【０１９４】
図９Ｂに示す固体撮像装置５ｂは、図９Ａに示す固体撮像装置５ａに対して、ＴＳＶ１５７ｂによって電気的に接続される配線の種類が変更されたものに対応する。具体的には、図９Ｂに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０１９５】
図９Ｃに示す固体撮像装置５ｃは、図９Ａに示す固体撮像装置５ａに対して、ＴＳＶ１５７ａの構造が変更されたものに対応する。具体的には、上記図９Ａに示す構成では、ＴＳＶ１５７ａは、第１基板１１０Ａの多層配線層１０５内の所定の配線と、ＴＳＶ１５７ｂと、を電気的に接続するように設けられていたが、図９Ｃに示す構成では、ＴＳＶ１５７ａは、第１基板１１０Ａの多層配線層１０５内の所定の配線と、第２基板１１０Ｂの多層配線層１２５内の所定の配線と、を電気的に接続するように設けられる。図９Ｃに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。
【０１９６】
図９Ｄに示す固体撮像装置５ｄは、図９Ｃに示す固体撮像装置５ｃに対して、ＴＳＶ１５７ａ、１５７ｂによって電気的に接続される配線の種類が変更されたものに対応する。具体的には、図９Ｄに示す構成では、ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。また、ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０１９７】
図９Ｅに示す固体撮像装置５ｅは、図９Ｄに示す固体撮像装置５ｄに対して、ＴＳＶ１５７ｂの構造が変更されたものに対応する。具体的には、図９Ｅに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図９Ｅに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０１９８】
図９Ｆに示す固体撮像装置５ｆは、図９Ｂに示す固体撮像装置５ｂに対して、埋め込みパッド構造が変更されたものに対応する。具体的には、図９Ｆに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０１９９】
図９Ｇに示す固体撮像装置５ｇは、図９Ｆに示す固体撮像装置５ｆに対して、引き出しパッド構造の構成が変更されたものに対応する。具体的には、図９Ｇに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２００】
図９Ｈに示す固体撮像装置５ｈは、図９Ｂに示す固体撮像装置５ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２０１】
図９Ｉに示す固体撮像装置５ｉは、図９Ｄに示す固体撮像装置５ｄに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２０２】
図９Ｊに示す固体撮像装置５ｊは、図９Ｈに示す固体撮像装置５ｈに対して、ＴＳＶ兼用引き出し線開口部１５５ａ、１５５ｂに係る非埋め込み型の引き出しパッド構造が、埋め込み型の引き出しパッド構造に変更されたものに対応する。
【０２０３】
図９Ｋに示す固体撮像装置５ｋは、図９Ｉに示す固体撮像装置５ｉに対して、ＴＳＶ兼用引き出し線開口部１５５ａ、１５５ｂに係る非埋め込み型の引き出しパッド構造が、埋め込み型の引き出しパッド構造に変更されたものに対応する。
【０２０４】
なお、図９Ａ〜図９Ｋに示す各構成に対して、ツインコンタクト型の２層間のＴＳＶ１５７及びシェアードコンタクト型の２層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０２０５】
また、図９Ａ〜図９Ｇに示す各構成において、パッド１５１が設けられる基板は、図示する例に限定されない。第４の構成例では、一方のＴＳＶ１５７ａによって第１基板１１０Ａ及び第２基板１１０Ｂの各々に備わる信号線同士及び電源線同士が電気的に接続されており、他方のＴＳＶ１５７ｂによって第２基板１１０Ｂ及び第３基板１１０Ｃの各々に備わる信号線同士及び電源線同士が電気的に接続されているから、接続構造としてのパッド１５１は設けられなくてもよい。従って、例えば、図９Ａ〜図９Ｇに示す各構成においては、パッド１５１は、所望の信号を取り出すために、任意の基板１１０Ａ、１１０Ｂ、１１０Ｃに対して設けられてよい。
【０２０６】
また、引き出しパッド構造が設けられる場合においては、当該引き出しパッド構造は、非埋め込み型であってもよいし、埋め込み型であってもよい。例えば、図９Ｆに示す構成において、非埋め込み型の引き出しパッド構造に代えて埋め込み型の引き出しパッド構造が設けられてもよい。また、例えば、図９Ｇに示す構成において、埋め込み型の引き出しパッド構造に代えて非埋め込み型の引き出しパッド構造が設けられてもよい。
【０２０７】
（４−５．第５の構成例）
図１０Ａ〜図１０Ｇは、本実施形態の第５の構成例に係る固体撮像装置の概略構成を示す縦断面図である。本実施形態に係る固体撮像装置は、図１０Ａ〜図１０Ｇに示す構成を有し得る。
【０２０８】
図１０Ａに示す固体撮像装置６ａは、接続構造として、ツインコンタクト型及び埋め込み型の２層間のＴＳＶ１５７ａと、シェアードコンタクト型及び埋め込み型の３層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０２０９】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図１０Ａに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ及び第３基板１１０Ｃの各々に備わる信号線同士及び電源線同士を電気的に接続するように設けられる。図１０Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。
【０２１０】
図１０Ｂに示す固体撮像装置６ｂは、図１０Ａに示す固体撮像装置６ａに対して、ＴＳＶ１５７ａによって電気的に接続される配線の種類が変更されたものに対応する。具体的には、図１０Ｂに示す構成では、当該ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。
【０２１１】
図１０Ｃに示す固体撮像装置６ｃは、接続構造として、ツインコンタクト型及び埋め込み型の２層間のＴＳＶ１５７ａと、シェアードコンタクト型及び埋め込み型の３層間のＴＳＶ１５７ｂと、第２基板１１０Ｂに対する埋め込みパッド構造（すなわち、第２基板１１０Ｂの多層配線層１２５内に設けられるパッド１５１、及び当該パッド１５１を露出させるパッド開口部１５３）と、を有する。
【０２１２】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図１０Ｃに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ、第２基板１１０Ｂ、及び第３基板１１０Ｃの各々に備わる信号線同士及び電源線同士を電気的に接続するように設けられる。図１０Ｃに示す構成では、当該ＴＳＶ１５７ｂによって、第１基板１１０Ａの多層配線層１０５内の第１金属配線層の所定の配線と、第２基板１１０Ｂの多層配線層１２５内の第１金属配線層の所定の配線と、第３基板１１０Ｃの多層配線層１３５内の第１金属配線層の所定の配線と、が電気的に接続されている。
【０２１３】
図１０Ｄに示す固体撮像装置６ｄは、図１０Ｂに示す固体撮像装置６ｂに対して、埋め込みパッド構造が変更されるとともに、ＴＳＶ１５７ｂによって電気的に接続される配線の種類が変更されたものに対応する。具体的には、図１０Ｄに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。また、図１０Ｄに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０２１４】
図１０Ｅに示す固体撮像装置６ｅは、図１０Ｄに示す固体撮像装置６ｄに対して、引き出しパッド構造の構成が変更されたものに対応する。具体的には、図１０Ｅに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２１５】
図１０Ｆに示す固体撮像装置６ｆは、図１０Ｅに示す固体撮像装置６ｅに対して、埋め込み型のＴＳＶ１５７ａが非埋め込み型のＴＳＶに変更されることにより、当該ＴＳＶ１５７ａ及び埋め込み型の引き出しパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２１６】
図１０Ｇに示す固体撮像装置６ｇは、図１０Ｆに示す固体撮像装置６ｆに対して、ＴＳＶ兼用引き出し線開口部１５５ａ、１５５ｂに係る非埋め込み型の引き出しパッド構造が、埋め込み型の引き出しパッド構造に変更されたものに対応する。
【０２１７】
なお、図１０Ａ〜図１０Ｇに示す各構成に対して、ツインコンタクト型の２層間のＴＳＶ１５７及びシェアードコンタクト型の３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０２１８】
また、図１０Ａ〜図１０Ｅに示す各構成において、パッド１５１が設けられる基板は、図示する例に限定されない。これらの各構成では、一方のＴＳＶ１５７ａによって第１基板１１０Ａ及び第２基板１１０Ｂの各々に備わる信号線同士及び電源線同士が電気的に接続されており、他方のＴＳＶ１５７ｂによって第１基板１１０Ａ及び第３基板１１０Ｃの各々に備わる信号線同士及び電源線同士が少なくとも電気的に接続されているから、接続構造としてのパッド１５１は設けられなくてもよい。従って、例えば、図１０Ａ〜図１０Ｅに示す各構成においては、パッド１５１は、所望の信号を取り出すために、任意の基板１１０Ａ、１１０Ｂ、１１０Ｃに対して設けられてよい。
【０２１９】
また、引き出しパッド構造が設けられる場合においては、当該引き出しパッド構造は、非埋め込み型であってもよいし、埋め込み型であってもよい。例えば、図１０Ｄに示す構成において、非埋め込み型の引き出しパッド構造に代えて埋め込み型の引き出しパッド構造が設けられてもよい。また、例えば、図１０Ｅに示す構成において、埋め込み型の引き出しパッド構造に代えて非埋め込み型の引き出しパッド構造が設けられてもよい。
【０２２０】
また、図１０Ａ〜図１０Ｇに示す各構成では、シェアードコンタクト型及び埋め込み型の３層間のＴＳＶ１５７は、第３基板１１０Ｃの裏面側から第１基板１１０Ａに向かって形成されていたが、本実施形態はかかる例に限定されない。当該ＴＳＶ１５７は、第１基板１１０Ａの裏面側から第３基板１１０Ｃに向かって形成されてもよい。
【０２２１】
また、シェアードコンタクト型の３層間のＴＳＶ１５７は、第１基板１１０Ａ、第２基板１１０Ｂ、及び第３基板１１０Ｃのうちの少なくともいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０２２２】
（４−６．第６の構成例）
図１１Ａ〜図１１Ｆは、本実施形態の第６の構成例に係る固体撮像装置の概略構成を示す縦断面図である。本実施形態に係る固体撮像装置は、図１１Ａ〜図１１Ｆに示す構成を有し得る。
【０２２３】
図１１Ａに示す固体撮像装置７ａは、接続構造として、ツインコンタクト型及び埋め込み型の２層間のＴＳＶ１５７と、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０２２４】
ＴＳＶ１５７は、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図１１Ａに示す構成では、当該ＴＳＶ１５７によって、第１基板１１０Ａの多層配線層１０５内の第１金属配線層の所定の配線と、第２基板１１０Ｂの多層配線層１２５内の第２金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。
【０２２５】
ここで、具体的には、電極接合構造１５９は、第２基板１１０Ｂの貼り合わせ面に設けられる電極と、第３基板１１０Ｃの貼り合わせ面に設けられる電極と、が接触するように、当該第２基板１１０Ｂと当該第３基板１１０Ｃとを貼り合わせた状態で、熱処理を行い、電極同士を接合させることにより形成され得る。電極接合構造１５９は、第２基板１１０Ｂにおいて貼り合わせ面に形成される電極、及び当該電極を多層配線層１２５内の所定の配線に電気的に接続するためのビア、並びに第３基板１１０Ｃにおいて貼り合わせ面に形成される電極、及び当該電極を多層配線層１３５内の所定の配線に電気的に接続するためのビア、によって構成される。なお、このとき、第２基板１１０Ｂと第３基板１１０Ｃとは、ＦｔｏＢで貼り合わされるから、第２基板１１０Ｂ側に設けられるビアは、半導体基板１２１を貫通するビア（すなわち、ＴＳＶ）として形成される。
【０２２６】
図１１Ｂに示す固体撮像装置７ｂは、図１１Ａに示す固体撮像装置７ａに対して、ＴＳＶ１５７によって電気的に接続される配線の種類が変更されたものに対応する。具体的には、図１１Ｂに示す構成では、当該ＴＳＶ１５７によって、第１基板１１０Ａの多層配線層１０５内の第１金属配線層の所定の配線と、第２基板１１０Ｂの多層配線層１２５内の第１金属配線層の所定の配線と、が電気的に接続されている。
【０２２７】
図１１Ｃに示す固体撮像装置７ｃは、図１１Ｂに示す固体撮像装置７ｂに対して、埋め込みパッド構造が変更されたものに対応する。具体的には、図１１Ｃに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０２２８】
図１１Ｄに示す固体撮像装置７ｄは、図１１Ｃに示す固体撮像装置７ｃに対して、引き出しパッド構造の構成が変更されたものに対応する。具体的には、図１１Ｄに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２２９】
図１１Ｅに示す固体撮像装置７ｅは、図１１Ｄに示す固体撮像装置７ｄに対して、埋め込み型のＴＳＶ１５７が非埋め込み型のＴＳＶに変更されることにより、当該ＴＳＶ１５７及び埋め込み型の引き出しパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２３０】
図１１Ｆに示す固体撮像装置７ｆは、図１１Ｅに示す固体撮像装置７ｅに対して、ＴＳＶ兼用引き出し線開口部１５５ａ、１５５ｂに係る非埋め込み型の引き出しパッド構造が、埋め込み型の引き出しパッド構造に変更されたものに対応する。
【０２３１】
なお、図１１Ａ〜図１１Ｆに示す各構成において、ツインコンタクト型の２層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０２３２】
また、図１１Ａ〜図１１Ｄに示す各構成において、パッド１５１が設けられる基板は、図示する例に限定されない。第６の構成例では、ＴＳＶ１５７によって第１基板１１０Ａ及び第２基板１１０Ｂの各々に備わる信号線同士及び電源線同士が電気的に接続されており、電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図１１Ａ〜図１１Ｄに示す各構成においては、パッド１５１は、所望の信号を取り出すために、任意の基板１１０Ａ、１１０Ｂ、１１０Ｃに対して設けられてよい。
【０２３３】
また、引き出しパッド構造が設けられる場合においては、当該引き出しパッド構造は、非埋め込み型であってもよいし、埋め込み型であってもよい。例えば、図１１Ｃに示す構成において、非埋め込み型の引き出しパッド構造に代えて埋め込み型の引き出しパッド構造が設けられてもよい。また、例えば、図１１Ｄに示す構成において、埋め込み型の引き出しパッド構造に代えて非埋め込み型の引き出しパッド構造が設けられてもよい。
【０２３４】
（４−７．第７の構成例）
図１２Ａ〜図１２Ｌは、本実施形態の第７の構成例に係る固体撮像装置の概略構成を示す縦断面図である。本実施形態に係る固体撮像装置は、図１２Ａ〜図１２Ｌに示す構成を有し得る。
【０２３５】
図１２Ａに示す固体撮像装置８ａは、接続構造として、ツインコンタクト型及び埋め込み型の２層間のＴＳＶ１５７ａ、１５７ｂ、１５７ｃと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０２３６】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。ＴＳＶ１５７ｂ、１５７ｃは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。また、電極接合構造１５９によって、第２基板１１０Ｂ及び第３基板１１０Ｃの各々に備わる信号線同士及び電源線同士が電気的に接続される。
【０２３７】
ＴＳＶ１５７ｂ、１５７ｃについて、一方のＴＳＶ１５７ｂは、第２基板１１０Ｂの多層配線層１２５内の第２金属配線層の所定の配線と、第３基板１１０Ｃの多層配線層１３５内の電極と、を電気的に接続するように設けられている。当該電極は、多層配線層１３５内において、絶縁膜１３３から金属面が露出するように形成される。つまり、当該電極は、電極接合構造１５９を構成する電極と同様に形成されるものである。本明細書では、当該電極のように、電極接合構造１５９を構成する電極と同様に多層配線層１０５、１２５、１３５内において絶縁膜１０３、１２３、１３３から金属面が露出するように形成されるものの、電極接合構造１５９を構成していない電極のことを、便宜的に片側電極とも呼称する。これに対応して、多層配線層１０５、１２５、１３５内において絶縁膜１０３、１２３、１３３から金属面が露出するように形成され、電極接合構造１５９を構成している電極のことを、便宜的に両側電極とも呼称する。つまり、図１２Ａに示す構成では、ＴＳＶ１５７ｂは、第２基板１１０Ｂの多層配線層１２５内の所定の配線と、第３基板１１０Ｃの多層配線層１３５内の片側電極と、を電気的に接続するように設けられる。
【０２３８】
また、他方のＴＳＶ１５７ｃは、第２基板１１０Ｂの多層配線層１２５内の第２金属配線層の所定の配線と、第３基板１１０Ｃの多層配線層１３５内の第２金属配線層の所定の配線と、を電気的に接続するように設けられている。
【０２３９】
また、ＴＳＶ１５７ａは、その一方のビアが第１基板１１０Ａの多層配線層１０５内の第１金属配線層の所定の配線と接触し、他方のビアがＴＳＶ１５７ｂの上端と接触するように設けられる。つまり、ＴＳＶ１５７ａは、第１基板１１０Ａの多層配線層１０５内の所定の配線と、ＴＳＶ１５７ｂと、を電気的に接続するように形成される。更には、ＴＳＶ１５７ａによって、第１基板１１０Ａの多層配線層１０５内の所定の配線と、ＴＳＶ１５７ｂによって電気的に接続されている第２基板１１０Ｂの多層配線層１２５内の所定の配線、及び第３基板１１０Ｃの多層配線層１３５内の片側電極と、が電気的に接続されることとなる。
【０２４０】
図１２Ｂに示す固体撮像装置８ｂは、図１２Ａに示す固体撮像装置８ａに対して、ＴＳＶ１５７ｂの構造が変更されたものに対応する。具体的には、図１２Ｂに示す構成では、ＴＳＶ１５７ｂは、第２基板１１０Ｂの多層配線層１２５内の第２金属配線層の所定の配線と、電極接合構造１５９を構成する両側電極と、を電気的に接続するように設けられている。つまり、図１２Ｂに示す構成では、ＴＳＶ１５７ｂは、電極接合構造１５９を構成するビアとしての機能も有している。
【０２４１】
図１２Ｃに示す固体撮像装置８ｃは、図１２Ａに示す固体撮像装置８ａに対して、ＴＳＶ１５７ｂ、１５７ｃによって電気的に接続される配線の種類が変更されたものに対応する。具体的には、図１２Ｃに示す構成では、ＴＳＶ１５７ｂによって、第２基板１１０Ｂの多層配線層１２５内の第１金属配線層の所定の配線と、第３基板１１０Ｃの多層配線層１３５内の片側電極と、が電気的に接続されている。また、ＴＳＶ１５７ｃによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０２４２】
図１２Ｄに示す固体撮像装置８ｄは、図１２Ａに示す固体撮像装置８ａに対して、ＴＳＶ１５７ａの構造が変更されたものに対応する。具体的には、上記図１２Ａに示す構成では、ＴＳＶ１５７ａは、第１基板１１０Ａの多層配線層１０５内の所定の配線と、ＴＳＶ１５７ｂと、を電気的に接続するように設けられていたが、図１２Ｄに示す構成では、ＴＳＶ１５７ａは、第１基板１１０Ａの多層配線層１０５内の所定の配線と、第２基板１１０Ｂの多層配線層１２５内の所定の配線と、を電気的に接続するように設けられる。図１２Ｄに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。
【０２４３】
図１２Ｅに示す固体撮像装置８ｅは、図１２Ｄに示す固体撮像装置８ｄに対して、ＴＳＶ１５７ａ、１５７ｂ、１５７ｃによって電気的に接続される配線の種類が変更されたものに対応する。具体的には、図１２Ｅに示す構成では、ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。また、ＴＳＶ１５７ｂによって、第２基板１１０Ｂの多層配線層１２５内の第１金属配線層の所定の配線と、第３基板１１０Ｃの多層配線層１３５内の片側電極と、が電気的に接続されている。また、ＴＳＶ１５７ｃによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０２４４】
図１２Ｆに示す固体撮像装置８ｆは、図１２Ｅに示す固体撮像装置８ｅに対して、ＴＳＶ１５７ｂ、１５７ｃの構造が変更されたものに対応する。具体的には、図１２Ｆに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図１２Ｆに示す構成では、当該ＴＳＶ１５７ｂによって、第２基板１１０Ｂの裏面側の絶縁膜１２９内に設けられる片側電極と、第３基板１１０Ｃの多層配線層１３５内の第１金属配線層の所定の配線と、が電気的に接続されている。また、ＴＳＶ１５７ｃは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図１２Ｆに示す構成では、当該ＴＳＶ１５７ｃによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０２４５】
図１２Ｇに示す固体撮像装置８ｇは、図１２Ｃに示す固体撮像装置８ｃに対して、埋め込みパッド構造が変更されたものに対応する。具体的には、図１２Ｇに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０２４６】
図１２Ｈに示す固体撮像装置８ｈは、図１２Ｇに示す固体撮像装置８ｇに対して、引き出しパッド構造の構成が変更されたものに対応する。具体的には、図１２Ｈに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２４７】
図１２Ｉに示す固体撮像装置８ｉは、図１２Ｃに示す固体撮像装置８ｃに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２４８】
図１２Ｊに示す固体撮像装置８ｊは、図１２Ｅに示す固体撮像装置８ｅに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２４９】
図１２Ｋに示す固体撮像装置８ｋは、図１２Ｉに示す固体撮像装置８ｉに対して、ＴＳＶ兼用引き出し線開口部１５５ａ、１５５ｂに係る非埋め込み型の引き出しパッド構造が、埋め込み型の引き出しパッド構造に変更されたものに対応する。
【０２５０】
図１２Ｌに示す固体撮像装置８ｌは、図１２Ｊに示す固体撮像装置８ｊに対して、ＴＳＶ兼用引き出し線開口部１５５ａ、１５５ｂに係る非埋め込み型の引き出しパッド構造が、埋め込み型の引き出しパッド構造に変更されたものに対応する。
【０２５１】
なお、図１２Ａ〜図１２Ｌに示す各構成において、ツインコンタクト型の２層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０２５２】
また、図１２Ａ〜図１２Ｈに示す各構成において、パッド１５１が設けられる基板は、図示する例に限定されない。第７の構成例では、一方のＴＳＶ１５７ａによって第１基板１１０Ａ及び第２基板１１０Ｂの各々に備わる信号線同士及び電源線同士が電気的に接続されており、他方のＴＳＶ１５７ｂ、１５７ｃ及び電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図１２Ａ〜図１２Ｈに示す各構成においては、パッド１５１は、所望の信号を取り出すために、任意の基板１１０Ａ、１１０Ｂ、１１０Ｃに対して設けられてよい。
【０２５３】
また、引き出しパッド構造が設けられる場合においては、当該引き出しパッド構造は、非埋め込み型であってもよいし、埋め込み型であってもよい。例えば、図１２Ｇに示す構成において、非埋め込み型の引き出しパッド構造に代えて埋め込み型の引き出しパッド構造が設けられてもよい。また、例えば、図１２Ｈに示す構成において、埋め込み型の引き出しパッド構造に代えて非埋め込み型の引き出しパッド構造が設けられてもよい。
【０２５４】
また、図１２Ａ、及び図１２Ｃ〜図１２Ｌに示す各構成においては、図示する例では、ＴＳＶ１５７ｂは、片側電極とコンタクトしているが、本実施形態はかかる例に限定されない。これらの各構成では、図１２Ｂに示す構成と同様に、ＴＳＶ１５７ｂは、両側電極とコンタクトするように構成されてもよい。ＴＳＶ１５７ｂが両側電極とコンタクトするように構成される場合には、当該ＴＳＶ１５７ｂは、電極接合構造１５９を構成するビアとしての機能を有することとなる。
【０２５５】
（４−８．第８の構成例）
図１３Ａ〜図１３Ｈは、本実施形態の第８の構成例に係る固体撮像装置の概略構成を示す縦断面図である。本実施形態に係る固体撮像装置は、図１３Ａ〜図１３Ｈに示す構成を有し得る。
【０２５６】
図１３Ａに示す固体撮像装置９ａは、接続構造として、ツインコンタクト型及び埋め込み型の２層間のＴＳＶ１５７ａと、ツインコンタクト型及び埋め込み型の３層間のＴＳＶ１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０２５７】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図１３Ａに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ及び第３基板１１０Ｃの各々に備わる信号線同士及び電源線同士を電気的に接続するように設けられる。図１３Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。
【０２５８】
図１３Ｂに示す固体撮像装置９ｂは、図１３Ａに示す固体撮像装置９ａに対して、ＴＳＶ１５７ａによって電気的に接続される配線の種類が変更されたものに対応する。具体的には、図１３Ｂに示す構成では、当該ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。
【０２５９】
図１３Ｃに示す固体撮像装置９ｃは、図１３Ａに示す固体撮像装置９ａに対して、ＴＳＶ１５７ｂの構造が変更されたものに対応する。具体的には、図１３Ｃに示す構成では、ＴＳＶ１５７ｂは、第３基板１１０Ｃの裏面側から第１基板１１０Ａに向かって形成され、第１基板１１０Ａ及び第２基板１１０Ｂの各々に備わる信号線同士及び電源線同士を電気的に接続するように設けられる。図１３Ｃに示す構成では、当該ＴＳＶ１５７ｂによって、第１基板１１０Ａの多層配線層１０５内の第１金属配線層の所定の配線と、第２基板１１０Ｂの多層配線層１２５内の第１金属配線層の所定の配線と、が電気的に接続されている。
【０２６０】
図１３Ｄに示す固体撮像装置９ｄは、図１３Ｃに示す固体撮像装置９ｃに対して、ＴＳＶ１５７ｂの構造が変更されたものに対応する。具体的には、図１３Ｄに示す構成では、ＴＳＶ１５７ｂは、第３基板１１０Ｃの裏面側から第１基板１１０Ａに向かって形成され、第１基板１１０Ａ及び第２基板１１０Ｂの各々に備わる信号線同士及び電源線同士を電気的に接続するように設けられる。図１３Ｄに示す構成では、当該ＴＳＶ１５７ｂによって、第１基板１１０Ａの多層配線層１０５内の第１金属配線層の所定の配線と、第２基板１１０Ｂの裏面側の絶縁膜１２９内に設けられる片側電極と、が電気的に接続されている。
【０２６１】
図１３Ｅに示す固体撮像装置９ｅは、図１３Ｂに示す固体撮像装置９ｂに対して、埋め込みパッド構造が変更されるとともに、ＴＳＶ１５７ｂによって電気的に接続される配線の種類が変更されたものに対応する。具体的には、図１３Ｅに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。また、図１３Ｅに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０２６２】
図１３Ｆに示す固体撮像装置９ｆは、図１３Ｅに示す固体撮像装置９ｅに対して、引き出しパッド構造の構成が変更されたものに対応する。具体的には、図１３Ｆに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２６３】
図１３Ｇに示す固体撮像装置９ｇは、図１３Ｆに示す固体撮像装置９ｆに対して、埋め込み型のＴＳＶ１５７ａが非埋め込み型のＴＳＶに変更されることにより、当該ＴＳＶ１５７ａ及び埋め込み型の引き出しパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２６４】
図１３Ｈに示す固体撮像装置９ｈは、図１３Ｇに示す固体撮像装置９ｇに対して、ＴＳＶ兼用引き出し線開口部１５５ａ、１５５ｂに係る非埋め込み型の引き出しパッド構造が、埋め込み型の引き出しパッド構造に変更されたものに対応する。
【０２６５】
なお、図１３Ａ〜図１３Ｈに示す各構成において、ツインコンタクト型の２層間及び３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０２６６】
また、図１３Ａ〜図１３Ｆに示す各構成において、パッド１５１が設けられる基板は、図示する例に限定されない。これらの各構成では、ＴＳＶ１５７ａによって第１基板１１０Ａ及び第２基板１１０Ｂの各々に備わる信号線同士及び電源線同士が電気的に接続されており、電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図１３Ａ〜図１３Ｆに示す各構成においては、パッド１５１は、所望の信号を取り出すために、任意の基板１１０Ａ、１１０Ｂ、１１０Ｃに対して設けられてよい。
【０２６７】
また、引き出しパッド構造が設けられる場合においては、当該引き出しパッド構造は、非埋め込み型であってもよいし、埋め込み型であってもよい。例えば、図１３Ｅに示す構成において、非埋め込み型の引き出しパッド構造に代えて埋め込み型の引き出しパッド構造が設けられてもよい。また、例えば、図１３Ｆに示す構成において、埋め込み型の引き出しパッド構造に代えて非埋め込み型の引き出しパッド構造が設けられてもよい。
【０２６８】
また、図１３Ａ〜図１３Ｈに示す各構成では、ツインコンタクト型及び埋め込み型の３層間のＴＳＶ１５７は、第３基板１１０Ｃの裏面側から第１基板１１０Ａに向かって形成されていたが、本実施形態はかかる例に限定されない。当該ＴＳＶ１５７は、第１基板１１０Ａの裏面側から第３基板１１０Ｃに向かって形成されてもよい。
【０２６９】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０２７０】
また、図１３Ｄに示す構成においては、図示する例では、ＴＳＶ１５７ｂは、片側電極とコンタクトしているが、本実施形態はかかる例に限定されない。当該構成では、ＴＳＶ１５７ｂは、両側電極とコンタクトするように構成されてもよい。ＴＳＶ１５７ｂが両側電極とコンタクトするように構成される場合には、当該ＴＳＶ１５７ｂは、電極接合構造１５９を構成するビアとしての機能を有することとなる。
【０２７１】
（４−９．第９の構成例）
図１４Ａ〜図１４Ｋは、本実施形態の第９の構成例に係る固体撮像装置の概略構成を示す縦断面図である。本実施形態に係る固体撮像装置は、図１４Ａ〜図１４Ｋに示す構成を有し得る。
【０２７２】
図１４Ａに示す固体撮像装置１０ａは、接続構造として、ツインコンタクト型及び埋め込み型の２層間のＴＳＶ１５７ａと、シェアードコンタクト型及び埋め込み型の２層間のＴＳＶ１５７ｂ、ＴＳＶ１５７ｃと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０２７３】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。ＴＳＶ１５７ｂ、１５７ｃは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。また、電極接合構造１５９によって、第２基板１１０Ｂ及び第３基板１１０Ｃの各々に備わる信号線同士及び電源線同士が電気的に接続される。
【０２７４】
ＴＳＶ１５７ｂ、１５７ｃについて、一方のＴＳＶ１５７ｂは、第２基板１１０Ｂの多層配線層１２５内の第２金属配線層の所定の配線と、第３基板１１０Ｃの多層配線層１３５内の片側電極と、を電気的に接続するように設けられている。また、他方のＴＳＶ１５７ｃは、第２基板１１０Ｂの多層配線層１２５内の第２金属配線層の所定の配線と、第３基板１１０Ｃの多層配線層１３５内の第２金属配線層の所定の配線と、を電気的に接続するように設けられている。
【０２７５】
また、ＴＳＶ１５７ａは、その一方のビアが第１基板１１０Ａの多層配線層１０５内の第１金属配線層の所定の配線と接触し、他方のビアがＴＳＶ１５７ｂの上端と接触するように設けられる。つまり、ＴＳＶ１５７ａは、第１基板１１０Ａの多層配線層１０５内の所定の配線と、ＴＳＶ１５７ｂと、を電気的に接続するように形成される。更には、ＴＳＶ１５７ａによって、第１基板１１０Ａの多層配線層１０５内の所定の配線と、ＴＳＶ１５７ｂによって電気的に接続されている第２基板１１０Ｂの多層配線層１２５内の所定の配線、及び第３基板１１０Ｃの多層配線層１３５内の片側電極と、が電気的に接続されることとなる。
【０２７６】
図１４Ｂに示す固体撮像装置１０ｂは、図１４Ａに示す固体撮像装置１０ａに対して、ＴＳＶ１５７ｂ、１５７ｃによって電気的に接続される配線の種類が変更されたものに対応する。具体的には、図１４Ｂに示す構成では、ＴＳＶ１５７ｂによって、第２基板１１０Ｂの多層配線層１２５内の第１金属配線層の所定の配線と、第３基板１１０Ｃの多層配線層１３５内の片側電極と、が電気的に接続されている。また、ＴＳＶ１５７ｃによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０２７７】
図１４Ｃに示す固体撮像装置１０ｃは、図１４Ａに示す固体撮像装置１０ａに対して、ＴＳＶ１５７ａの構造が変更されたものに対応する。具体的には、上記図１４Ａに示す構成では、ＴＳＶ１５７ａは、第１基板１１０Ａの多層配線層１０５内の所定の配線と、ＴＳＶ１５７ｂと、を電気的に接続するように設けられていたが、図１４Ｃに示す構成では、ＴＳＶ１５７ａは、第１基板１１０Ａの多層配線層１０５内の所定の配線と、第２基板１１０Ｂの多層配線層１２５内の所定の配線と、を電気的に接続するように設けられる。図１４Ｃに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。
【０２７８】
図１４Ｄに示す固体撮像装置１０ｄは、図１４Ｃに示す固体撮像装置１０ｃに対して、ＴＳＶ１５７ａ、１５７ｂ、１５７ｃによって電気的に接続される配線の種類が変更されたものに対応する。具体的には、図１４Ｄに示す構成では、ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。また、ＴＳＶ１５７ｂによって、第２基板１１０Ｂの多層配線層１２５内の第１金属配線層の所定の配線と、第３基板１１０Ｃの多層配線層１３５内の片側電極と、が電気的に接続されている。また、ＴＳＶ１５７ｃによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０２７９】
図１４Ｅに示す固体撮像装置１０ｅは、図１４Ｄに示す固体撮像装置１０ｄに対して、ＴＳＶ１５７ｂ、１５７ｃの構造が変更されたものに対応する。具体的には、図１４Ｅに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図１４Ｅに示す構成では、当該ＴＳＶ１５７ｂによって、第２基板１１０Ｂの裏面側の絶縁膜１２９内に設けられる片側電極と、第３基板１１０Ｃの多層配線層１３５内の第１金属配線層の所定の配線と、が電気的に接続されている。また、図１４Ｅに示す構成では、ＴＳＶ１５７ｃは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図１４Ｅに示す構成では、当該ＴＳＶ１５７ｃによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０２８０】
図１４Ｆに示す固体撮像装置１０ｆは、図１４Ｂに示す固体撮像装置１０ｂに対して、埋め込みパッド構造が変更されたものに対応する。具体的には、図１４Ｆに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０２８１】
図１４Ｇに示す固体撮像装置１０ｇは、図１４Ｆに示す固体撮像装置１０ｆに対して、引き出しパッド構造の構成が変更されたものに対応する。具体的には、図１４Ｇに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２８２】
図１４Ｈに示す固体撮像装置１０ｈは、図１４Ｂに示す固体撮像装置１０ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２８３】
図１４Ｉに示す固体撮像装置１０ｉは、図１４Ｄに示す固体撮像装置１０ｄに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２８４】
図１４Ｊに示す固体撮像装置１０ｊは、図１４Ｈに示す固体撮像装置１０ｈに対して、ＴＳＶ兼用引き出し線開口部１５５ａ、１５５ｂに係る非埋め込み型の引き出しパッド構造が、埋め込み型の引き出しパッド構造に変更されたものに対応する。
【０２８５】
図１４Ｋに示す固体撮像装置１０ｋは、図１４Ｉに示す固体撮像装置１０ｉに対して、ＴＳＶ兼用引き出し線開口部１５５ａ、１５５ｂに係る非埋め込み型の引き出しパッド構造が、埋め込み型の引き出しパッド構造に変更されたものに対応する。
【０２８６】
なお、図１４Ａ〜図１４Ｋに示す各構成において、ツインコンタクト型の２層間のＴＳＶ１５７及びシェアードコンタクト型の２層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０２８７】
また、図１４Ａ〜図１４Ｇに示す各構成において、パッド１５１が設けられる基板は、図示する例に限定されない。第９の構成例では、ＴＳＶ１５７ａによって第１基板１１０Ａ及び第２基板１１０Ｂの各々に備わる信号線同士及び電源線同士が電気的に接続されており、ＴＳＶ１５７ｂ、１５７ｃによって第２基板１１０Ｂ及び第３基板１１０Ｃの各々に備わる信号線同士及び電源線同士が電気的に接続されているから、接続構造としてのパッド１５１は設けられなくてもよい。従って、例えば、図１４Ａ〜図１４Ｇに示す各構成においては、パッド１５１は、所望の信号を取り出すために、任意の基板１１０Ａ、１１０Ｂ、１１０Ｃに対して設けられてよい。
【０２８８】
また、引き出しパッド構造が設けられる場合においては、当該引き出しパッド構造は、非埋め込み型であってもよいし、埋め込み型であってもよい。例えば、図１４Ｆに示す構成において、非埋め込み型の引き出しパッド構造に代えて埋め込み型の引き出しパッド構造が設けられてもよい。また、例えば、図１４Ｇに示す構成において、埋め込み型の引き出しパッド構造に代えて非埋め込み型の引き出しパッド構造が設けられてもよい。
【０２８９】
また、図１４Ａ〜図１４Ｋに示す各構成においては、図示する例では、ＴＳＶ１５７ｂは、片側電極とコンタクトしているが、本実施形態はかかる例に限定されない。これらの各構成では、ＴＳＶ１５７ｂは、両側電極とコンタクトするように構成されてもよい。ＴＳＶ１５７ｂが両側電極とコンタクトするように構成される場合には、当該ＴＳＶ１５７ｂは、電極接合構造１５９を構成するビアとしての機能を有することとなる。
【０２９０】
（４−１０．第１０の構成例）
図１５Ａ〜図１５Ｇは、本実施形態の第１０の構成例に係る固体撮像装置の概略構成を示す縦断面図である。本実施形態に係る固体撮像装置は、図１５Ａ〜図１５Ｇに示す構成を有し得る。
【０２９１】
図１５Ａに示す固体撮像装置１１ａは、接続構造として、ツインコンタクト型及び埋め込み型の２層間のＴＳＶ１５７ａと、シェアードコンタクト型及び埋め込み型の３層間のＴＳＶ１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０２９２】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図１５Ａに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ及び第３基板１１０Ｃの各々に備わる信号線同士及び電源線同士を電気的に接続するように設けられる。図１０Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。
【０２９３】
図１５Ｂに示す固体撮像装置１１ｂは、図１５Ａに示す固体撮像装置１１ａに対して、ＴＳＶ１５７ａによって電気的に接続される配線の種類が変更されたものに対応する。具体的には、図１５Ｂに示す構成では、当該ＴＳＶ１５７ａによって、第１基板１１０Ａの多層配線層１０５内の第１金属配線層の所定の配線と、第２基板１１０Ｂの多層配線層１２５内の第１金属配線層の所定の配線と、が電気的に接続されている。
【０２９４】
図１５Ｃに示す固体撮像装置１１ｃは、接続構造として、ツインコンタクト型及び埋め込み型の２層間のＴＳＶ１５７ａと、シェアードコンタクト型及び埋め込み型の３層間のＴＳＶ１５７ｂと、第２基板１１０Ｂと第３基板１１０Ｃとの間に設けられる電極接合構造１５９と、第２基板１１０Ｂに対する埋め込みパッド構造（すなわち、第２基板１１０Ｂの多層配線層１２５内に設けられるパッド１５１、及び当該パッド１５１を露出させるパッド開口部１５３）と、を有する。
【０２９５】
ＴＳＶ１５７ａは、第１基板１１０Ａの裏面側から第２基板１１０Ｂに向かって形成され、当該第１基板１１０Ａ及び当該第２基板１１０Ｂの各々に備わる信号線同士及び電源線同士を電気的に接続するように設けられる。図１５Ｃに示す構成では、当該ＴＳＶ１５７ａによって、第１基板１１０Ａの多層配線層１０５内の第１金属配線層の所定の配線と、第２基板１１０Ｂの多層配線層１２５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ、第２基板１１０Ｂ、及び第３基板１１０Ｃの各々に備わる信号線同士及び電源線同士を電気的に接続するように設けられる。図１５Ｃに示す構成では、当該ＴＳＶ１５７ｂによって、第１基板１１０Ａの多層配線層１０５内の第１金属配線層の所定の配線と、第２基板１１０Ｂの多層配線層１２５内の第１金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。
【０２９６】
図１５Ｄに示す固体撮像装置１１ｄは、図１５Ｂに示す固体撮像装置１１ｂに対して、埋め込みパッド構造が変更されるとともに、ＴＳＶ１５７ｂによって電気的に接続される配線の種類が変更されたものに対応する。具体的には、図１５Ｄに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。また、図１５Ｄに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０２９７】
図１５Ｅに示す固体撮像装置１１ｅは、図１５Ｄに示す固体撮像装置１１ｄに対して、引き出しパッド構造の構成が変更されたものに対応する。具体的には、図１５Ｅに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０２９８】
図１５Ｆに示す固体撮像装置１１ｆは、図１５Ｅに示す固体撮像装置１１ｅに対して、埋め込み型のＴＳＶ１５７ａが非埋め込み型のＴＳＶに変更されることにより、当該ＴＳＶ１５７ａ及び埋め込み型の引き出しパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０２９９】
図１５Ｇに示す固体撮像装置１１ｇは、図１５Ｆに示す固体撮像装置１１ｆに対して、ＴＳＶ兼用引き出し線開口部１５５ａ、１５５ｂに係る非埋め込み型の引き出しパッド構造が、埋め込み型の引き出しパッド構造に変更されたものに対応する。
【０３００】
なお、図１５Ａ〜図１５Ｇに示す各構成において、ツインコンタクト型の２層間のＴＳＶ１５７及びシェアードコンタクト型の３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０３０１】
また、図１５Ａ〜図１５Ｅに示す各構成において、パッド１５１が設けられる基板は、図示する例に限定されない。これらの各構成では、一方のＴＳＶ１５７ａによって第１基板１１０Ａ及び第２基板１１０Ｂの各々に備わる信号線同士及び電源線同士が電気的に接続されており、他方のＴＳＶ１５７ｂによって第１基板１１０Ａ及び第３基板１１０Ｃの各々に備わる信号線同士及び電源線同士が少なくとも電気的に接続されており、電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図１５Ａ〜図１５Ｅに示す各構成においては、パッド１５１は、所望の信号を取り出すために、任意の基板１１０Ａ、１１０Ｂ、１１０Ｃに対して設けられてよい。
【０３０２】
また、引き出しパッド構造が設けられる場合においては、当該引き出しパッド構造は、非埋め込み型であってもよいし、埋め込み型であってもよい。例えば、図１５Ｄに示す構成において、非埋め込み型の引き出しパッド構造に代えて埋め込み型の引き出しパッド構造が設けられてもよい。また、例えば、図１５Ｅに示す構成において、埋め込み型の引き出しパッド構造に代えて非埋め込み型の引き出しパッド構造が設けられてもよい。
【０３０３】
また、図１５Ａ〜図１５Ｇに示す各構成では、シェアードコンタクト型及び埋め込み型の３層間のＴＳＶ１５７は、第３基板１１０Ｃの裏面側から第１基板１１０Ａに向かって形成されていたが、本実施形態はかかる例に限定されない。当該ＴＳＶ１５７は、第１基板１１０Ａの裏面側から第３基板１１０Ｃに向かって形成されてもよい。
【０３０４】
また、シェアードコンタクト型の３層間のＴＳＶ１５７は、第１基板１１０Ａ、第２基板１１０Ｂ、及び第３基板１１０Ｃのうちの少なくともいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０３０５】
（４−１１．第１１の構成例）
図１６Ａ〜図１６Ｇは、本実施形態の第１１の構成例に係る固体撮像装置の概略構成を示す縦断面図である。本実施形態に係る固体撮像装置は、図１６Ａ〜図１６Ｇに示す構成を有し得る。
【０３０６】
図１６Ａに示す固体撮像装置１２ａは、接続構造として、ツインコンタクト型及び埋め込み型の３層間のＴＳＶ１５７と、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。ＴＳＶ１５７は、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図１６Ａに示す構成では、当該ＴＳＶ１５７によって、第１基板１１０Ａの多層配線層１０５内の第１金属配線層の所定の配線と、第３基板１１０Ｃの多層配線層１３５内の第１金属配線層の所定の配線と、が電気的に接続されている。また、２つの埋め込みパッド構造によって、第１基板１１０Ａ及び第２基板１１０Ｂの各々に備わる信号線同士及び電源線同士が電気的に接続され得る。
【０３０７】
図１６Ｂに示す固体撮像装置１２ｂは、図１６Ａに示す固体撮像装置１２ａに対して、ＴＳＶ１５７の構造が変更されたものに対応する。具体的には、図１６Ｂに示す構成では、ＴＳＶ１５７は、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図１６Ｂに示す構成では、当該ＴＳＶ１５７によって、第１基板１１０Ａの多層配線層１０５内の第２金属配線層の所定の配線と、第３基板１１０Ｃの多層配線層１３５内の第１金属配線層の所定の配線と、が電気的に接続されている。
【０３０８】
図１６Ｃに示す固体撮像装置１２ｃは、図１６Ａに示す固体撮像装置１２ａに対して、ＴＳＶ１５７の構造が変更されたものに対応する。具体的には、図１６Ｃに示す構成では、ＴＳＶ１５７は、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図１６Ｃに示す構成では、当該ＴＳＶ１５７によって、第２基板１１０Ｂの多層配線層１２５内の第２金属配線層の所定の配線と、第３基板１１０Ｃの多層配線層１３５内の第１金属配線層の所定の配線と、が電気的に接続されている。
【０３０９】
図１６Ｄに示す固体撮像装置１２ｄは、図１６Ａに示す固体撮像装置１２ａに対して、埋め込みパッド構造が変更されたものに対応する。具体的には、図１６Ｄに示す構成では、埋め込みパッド構造に代えて、第１基板１１０Ａに対する非埋め込み型の引き出しパッド構造（すなわち、第１基板１１０Ａの多層配線層１０５内の所定の配線に対する引き出し線開口部１５５ａ、及び第１基板１１０Ａの裏面側の面上のパッド１５１）と、第２基板１１０Ｂに対する非埋め込み型の引き出しパッド構造（すなわち、第２基板１１０Ｂの多層配線層１２５内の所定の配線に対する引き出し線開口部１５５ｂ、及び第１基板１１０Ａの裏面側の面上のパッド１５１）と、が設けられる。なお、図１６Ｄに示す構成では、引き出し線開口部１５５ａ、１５５ｂによって、１つのパッド１５１が共有されている。
【０３１０】
図１６Ｅに示す固体撮像装置１２ｅは、図１６Ｄに示す固体撮像装置１２ｄに対して、引き出しパッド構造の構成が変更されたものに対応する。具体的には、図１６Ｅに示す構成では、第１基板１１０Ａに対する非埋め込み型の引き出しパッド構造、及び第２基板１１０Ｂに対する非埋め込み型の引き出しパッド構造に代えて、第２基板１１０Ｂに対する埋め込み型の引き出しパッド構造（すなわち、第２基板１１０Ｂの多層配線層１２５内の所定の配線に対する引き出し線開口部１５５ａ、及び第１基板１１０Ａの裏面側の面上において絶縁膜１０９に埋め込まれて形成されるパッド１５１）、並びに第３基板１１０Ｃに対する埋め込み型の引き出しパッド構造（すなわち、第３基板１１０Ｃの多層配線層１３５内の所定の配線に対する引き出し線開口部１５５ｂ、及び第１基板１１０Ａの裏面側の面上において絶縁膜１０９に埋め込まれて形成されるパッド１５１）が設けられる。なお、図１６Ｅに示す構成では、引き出し線開口部１５５ａ、１５５ｂによって、１つのパッド１５１が共有されている。
【０３１１】
図１６Ｆに示す固体撮像装置１２ｆは、図１６Ｅに示す固体撮像装置１２ｅに対して、埋め込み型のＴＳＶ１５７が非埋め込み型のＴＳＶに変更されＴＳＶ兼用引き出し線開口部１５５ａ、１５５ｂが設けられるとともに、第２基板１１０Ｂの多層配線層１２５内の所定の配線に対する引き出し線開口部１５５ｃが設けられることにより、ＴＳＶ１５７並びに第２基板１１０Ｂ及び第３基板１１０Ｃに対する引き出しパッド構造に代えて、当該ＴＳＶ兼用引き出し線開口部１５５ａ、１５５ｂ、及び当該引き出し線開口部１５５ｃを用いた非埋め込み型の引き出しパッド構造（すなわち、当該ＴＳＶ兼用引き出し線開口部１５５ａ、１５５ｂ、当該引き出し線開口部１５５ｃ、及び第１基板１１０Ａの裏面側の面上のパッド１５１）が設けられたものに対応する。なお、図１６Ｆに示す構成では、ＴＳＶ兼用引き出し線開口部１５５ａ、１５５ｂ、及び引き出し線開口部１５５ｃによって、１つのパッド１５１が共有されている。
【０３１２】
図１６Ｇに示す固体撮像装置１２ｇは、図１６Ｆに示す固体撮像装置１２ｆに対して、非埋め込み型の引き出しパッド構造に代えて埋め込み型の引き出しパッド構造が設けられたものに対応する。なお、図１６Ｇに示す構成では、ＴＳＶ兼用引き出し線開口部１５５ａ、１５５ｂ、及び引き出し線開口部１５５ｃによって、１つのパッド１５１が共有されている。
【０３１３】
なお、図１６Ａ〜図１６Ｇに示す各構成において、ツインコンタクト型の３層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０３１４】
また、図１６Ａ〜図１６Ｄに示す各構成においては、図示する例では、第１基板１１０Ａ及び第２基板１１０Ｂに対してパッド１５１が設けられているが、本実施形態はかかる例に限定されない。これらの各構成では、ＴＳＶ１５７によって第１基板１１０Ａ及び第３基板１１０Ｃの各々に備わる信号線同士及び電源線同士が電気的に接続されているから、当該ＴＳＶ１５７によって電気的に接続されない信号線及び電源線を備える第１基板１１０Ａ及び第２基板１１０Ｂ、又は第２基板１１０Ｂ及び第３基板１１０Ｃは、信号線及び電源線を電気的に接続するために、パッド１５１が設けられてもよい。つまり、図１６Ａ〜図１６Ｄに示す各構成においては、図示するパッド１５１の構成例に代えて、第２基板１１０Ｂ及び第３基板１１０Ｃに対してパッド１５１が設けられてもよい。同様に、図１６Ｅに示す構成においては、図示する例では、第２基板１１０Ｂ及び第３基板１１０Ｃに対してパッド１５１が設けられているが、これに代えて、第１基板１１０Ａ及び第２基板１１０Ｂに対してパッド１５１が設けられてもよい。
【０３１５】
また、図１６Ｄ及び図１６Ｅに示す各構成においては、図示する例では、引き出し線開口部１５５ａ、１５５ｂによって１つのパッド１５１が共有されているが、本実施形態はかかる例に限定されない。これらの各構成では、２つの引き出し線開口部１５５ａ、１５５ｂに対して、それぞれ１つのパッド１５１が設けられてもよい。この場合、２つの引き出し線開口部１５５ａ、１５５ｂを構成する導電材料からなる膜は、互いに隔絶されるように（すなわち、両者が非導通となるように）、第１基板１１０Ａの裏面側の面上において延設され得る。
【０３１６】
また、図１６Ｆ及び図１６Ｇに示す各構成においては、図示する例では、ＴＳＶ兼用引き出し線開口部１５５ａ、１５５ｂ及び引き出し線開口部１５５ｃによって１つのパッド１５１が共有されているが、本実施形態はかかる例に限定されない。これらの各構成では、ＴＳＶ兼用引き出し線開口部１５５ａ、１５５ｂに対して（すなわち、ＴＳＶ１５７に対して）、及び引き出し線開口部１５５ｃに対して、それぞれ１つのパッド１５１が設けられてもよい。この場合、ＴＳＶ兼用引き出し線開口部１５５ａ、１５５ｂを構成する導電材料からなる膜と、引き出し線開口部１５５ｃを構成する導電材料からなる膜と、は、互いに隔絶されるように（すなわち、両者が非導通となるように）、第１基板１１０Ａの裏面側の面上において延設され得る。
【０３１７】
また、引き出しパッド構造が設けられる場合においては、当該引き出しパッド構造は、非埋め込み型であってもよいし、埋め込み型であってもよい。例えば、図１６Ｄに示す構成において、非埋め込み型の引き出しパッド構造に代えて埋め込み型の引き出しパッド構造が設けられてもよい。また、例えば、図１６Ｅに示す構成において、埋め込み型の引き出しパッド構造に代えて非埋め込み型の引き出しパッド構造が設けられてもよい。
【０３１８】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０３１９】
（４−１２．第１２の構成例）
図１７Ａ〜図１７Ｊは、本実施形態の第１２の構成例に係る固体撮像装置の概略構成を示す縦断面図である。本実施形態に係る固体撮像装置は、図１７Ａ〜図１７Ｊに示す構成を有し得る。
【０３２０】
図１７Ａに示す固体撮像装置１３ａは、接続構造として、ツインコンタクト型及び埋め込み型の３層間のＴＳＶ１５７ａと、ツインコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０３２１】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図１７Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図１７Ａに示す構成では、当該ＴＳＶ１５７ｂによって、第２基板１１０Ｂの多層配線層１２５内の第２金属配線層の所定の配線と、第３基板１１０Ｃの多層配線層１３５内の第２金属配線層の所定の配線と、が電気的に接続されている。
【０３２２】
図１７Ｂに示す固体撮像装置１３ｂは、図１７Ａに示す固体撮像装置１３ａに対して、ＴＳＶ１５７ａ、１５７ｂによって電気的に接続される配線の種類が変更されたものに対応する。具体的には、図１７Ｂに示す構成では、ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。また、図１７Ｂに示す構成では、ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０３２３】
図１７Ｃに示す固体撮像装置１３ｃは、接続構造として、ツインコンタクト型及び埋め込み型の３層間のＴＳＶ１５７ａと、ツインコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０３２４】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図１７Ｃに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図１７Ｃに示す構成では、当該ＴＳＶ１５７ｂによって、第２基板１１０Ｂの多層配線層１２５内の第２金属配線層の所定の配線と、第３基板１１０Ｃの多層配線層１３５内の第１金属配線層の所定の配線と、が電気的に接続されている。また、２つの埋め込みパッド構造によって、第１基板１１０Ａ及び第２基板１１０Ｂの各々に備わる信号線同士及び電源線同士が電気的に接続され得る。
【０３２５】
図１７Ｄに示す固体撮像装置１３ｄは、図１７Ｂに示す固体撮像装置１３ｂに対して、ＴＳＶ１５７ｂの構造が変更されたものに対応する。具体的には、図１７Ｄに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図１７Ｄに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０３２６】
図１７Ｅに示す固体撮像装置１３ｅは、図１７Ｂに示す固体撮像装置１３ｂに対して、埋め込みパッド構造が変更されたものに対応する。具体的には、図１７Ｅに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０３２７】
図１７Ｆに示す固体撮像装置１３ｆは、図１７Ｅに示す固体撮像装置１３ｅに対して、引き出しパッド構造の構成が変更されたものに対応する。具体的には、図１７Ｆに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０３２８】
図１７Ｇに示す固体撮像装置１３ｇは、図１７Ｂに示す固体撮像装置１３ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０３２９】
図１７Ｈに示す固体撮像装置１３ｈは、図１７Ｄに示す固体撮像装置１３ｄに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０３３０】
図１７Ｉに示す固体撮像装置１３ｉは、図１７Ｇに示す固体撮像装置１３ｇに対して、ＴＳＶ兼用引き出し線開口部１５５ａ、１５５ｂに係る非埋め込み型の引き出しパッド構造が、埋め込み型の引き出しパッド構造に変更されたものに対応する。
【０３３１】
図１７Ｊに示す固体撮像装置１３ｊは、図１７Ｈに示す固体撮像装置１３ｈに対して、ＴＳＶ兼用引き出し線開口部１５５ａ、１５５ｂに係る非埋め込み型の引き出しパッド構造が、埋め込み型の引き出しパッド構造に変更されたものに対応する。
【０３３２】
なお、図１７Ａ〜図１７Ｊに示す各構成において、ツインコンタクト型の２層間及び３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０３３３】
また、図１７Ｃに示す構成においては、図示する例では、第１基板１１０Ａ及び第２基板１１０Ｂに対してパッド１５１が設けられているが、本実施形態はかかる例に限定されない。当該構成では、ＴＳＶ１５７ａ、１５７ｂによって第２基板１１０Ｂ及び第３基板１１０Ｃの各々が備える信号線同士及び電源線同士が電気的に接続されているから、当該ＴＳＶ１５７ａ、１５７ｂによって電気的に接続されない信号線及び電源線を備える第１基板１１０Ａ及び第２基板１１０Ｂ、又は第１基板１１０Ａ及び第３基板１１０Ｃは、信号線及び電源線を電気的に接続するために、パッド１５１が設けられてもよい。つまり、図１７Ｃに示す各構成においては、図示するパッド１５１の構成例に代えて、第１基板１１０Ａ及び第３基板１１０Ｃに対してパッド１５１が設けられてもよい。
【０３３４】
また、図１７Ａ、図１７Ｂ、及び図１７Ｄ〜図１７Ｆに示す各構成において、パッド１５１が設けられる基板は、図示する例に限定されない。これらの各構成では、一方のＴＳＶ１５７ａによって第１基板１１０Ａ及び第３基板１１０Ｃの各々に備わる信号線同士及び電源線同士が電気的に接続されており、他方のＴＳＶ１５７ｂによって第２基板１１０Ｂ及び第３基板１１０Ｃの各々に備わる信号線同士及び電源線同士が電気的に接続されているから、接続構造としてのパッド１５１は設けられなくてもよい。従って、例えば、図１７Ａ、図１７Ｂ、及び図１７Ｄ〜図１７Ｆに示す各構成においては、パッド１５１は、所望の信号を取り出すために、任意の基板１１０Ａ、１１０Ｂ、１１０Ｃに対して設けられてよい。
【０３３５】
また、引き出しパッド構造が設けられる場合においては、当該引き出しパッド構造は、非埋め込み型であってもよいし、埋め込み型であってもよい。例えば、図１７Ｅに示す構成において、非埋め込み型の引き出しパッド構造に代えて埋め込み型の引き出しパッド構造が設けられてもよい。また、例えば、図１７Ｆに示す構成において、埋め込み型の引き出しパッド構造に代えて非埋め込み型の引き出しパッド構造が設けられてもよい。
【０３３６】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される基板は、任意に変更されてよい。
【０３３７】
（４−１３．第１３の構成例）
図１８Ａ〜図１８Ｇは、本実施形態の第１３の構成例に係る固体撮像装置の概略構成を示す縦断面図である。本実施形態に係る固体撮像装置は、図１８Ａ〜図１８Ｇに示す構成を有し得る。
【０３３８】
図１８Ａに示す固体撮像装置１４ａは、接続構造として、ツインコンタクト型及び埋め込み型の３層間のＴＳＶ１５７ａ、１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０３３９】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図１８Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図１８Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。また、２つの埋め込みパッド構造によって、第１基板１１０Ａ及び第２基板１１０Ｂの各々に備わる信号線同士及び電源線同士が電気的に接続され得る。
【０３４０】
図１８Ｂに示す固体撮像装置１４ｂは、図１８Ａに示す固体撮像装置１４ａに対して、ＴＳＶ１５７ａによって電気的に接続される配線の種類が変更されたものに対応する。具体的には、図１８Ｂに示す構成では、当該ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。
【０３４１】
図１８Ｃに示す固体撮像装置１４ｃは、図１８Ｂに示す固体撮像装置１４ｂに対して、埋め込みパッド構造が変更されるとともに、ＴＳＶ１５７ｂによって電気的に接続される配線の種類が変更されたものに対応する。具体的には、図１８Ｃに示す構成では、埋め込みパッド構造に代えて、第１基板１１０Ａに対する非埋め込み型の引き出しパッド構造（すなわち、第１基板１１０Ａの多層配線層１０５内の所定の配線に対する引き出し線開口部１５５ａ、及び第１基板１１０Ａの裏面側の面上のパッド１５１）、並びに第２基板１１０Ｂに対する非埋め込み型の引き出しパッド構造（すなわち、第２基板１１０Ｂの多層配線層１２５内の所定の配線に対する引き出し線開口部１５５ｂ、及び第１基板１１０Ａの裏面側の面上のパッド１５１）が、設けられる。なお、図１８Ｃに示す構成では、引き出し線開口部１５５ａ、１５５ｂによって、１つのパッド１５１が共有されている。また、図１８Ｃに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０３４２】
図１８Ｄに示す固体撮像装置１４ｄは、図１８Ｃに示す固体撮像装置１４ｃに対して、引き出しパッド構造の構成が変更されたものに対応する。具体的には、図１８Ｄに示す構成では、第１基板１１０Ａ及び第２基板１１０Ｂに対する非埋め込み型の引き出しパッド構造に代えて、第２基板１１０Ｂに対する埋め込み型の引き出しパッド構造（すなわち、第２基板１１０Ｂの多層配線層１２５内の所定の配線に対する引き出し線開口部１５５ａ、及び第１基板１１０Ａの裏面側の面上において絶縁膜１０９に埋め込まれて形成されるパッド１５１）、並びに第３基板１１０Ｃに対する埋め込み型の引き出しパッド構造（すなわち、第３基板１１０Ｃの多層配線層１３５内の所定の配線に対する引き出し線開口部１５５ｂ、及び第１基板１１０Ａの裏面側の面上において絶縁膜１０９に埋め込まれて形成されるパッド１５１）が、設けられる。なお、図１８Ｄに示す構成では、引き出し線開口部１５５ａ、１５５ｂによって、１つのパッド１５１が共有されている。
【０３４３】
図１８Ｅに示す固体撮像装置１４ｅは、図１８Ｄに示す固体撮像装置１４ｄに対して、埋め込み型のＴＳＶ１５７ａが非埋め込み型のＴＳＶに変更されＴＳＶ兼用引き出し線開口部１５５ａ、１５５ｂが設けられるとともに、第２基板１１０Ｂの多層配線層１２５内の所定の配線に対する引き出し線開口部１５５ｃが設けられることにより、ＴＳＶ１５７ａ並びに第２基板１１０Ｂ及び第３基板１１０Ｃに対する引き出しパッド構造に代えて、当該ＴＳＶ兼用引き出し線開口部１５５ａ、１５５ｂ、及び当該引き出し線開口部１５５ｃを用いた非埋め込み型の引き出しパッド構造（すなわち、当該ＴＳＶ兼用引き出し線開口部１５５ａ、１５５ｂ、当該引き出し線開口部１５５ｃ、及び第１基板１１０Ａの裏面側の面上のパッド１５１）が設けられたものに対応する。なお、図１８Ｅに示す構成では、ＴＳＶ兼用引き出し線開口部１５５ａ、１５５ｂ、及び引き出し線開口部１５５ｃによって、１つのパッド１５１が共有されている。
【０３４４】
図１８Ｆに示す固体撮像装置１４ｆは、図１８Ｅに示す固体撮像装置１４ｅに対して、非埋め込み型の引き出しパッド構造に代えて埋め込み型の引き出しパッド構造が設けられたものに対応する。なお、図１８Ｆに示す構成では、ＴＳＶ兼用引き出し線開口部１５５ａ、１５５ｂ、及び引き出し線開口部１５５ｃによって、１つのパッド１５１が共有されている。
【０３４５】
図１８Ｇに示す固体撮像装置１４ｇは、接続構造として、ツインコンタクト型及び埋め込み型の３層間のＴＳＶ１５７ａ、１５７ｂと、第２基板１１０Ｂに対する埋め込みパッド構造（すなわち、第２基板１１０Ｂの多層配線層１２５内に設けられるパッド１５１、及び当該パッド１５１を露出させるパッド開口部１５３）と、を有する。
【０３４６】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図１８Ｇに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。また、ＴＳＶ１５７ｂは、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図１８Ｇに示す構成では、当該ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０３４７】
なお、図１８Ａ〜図１８Ｇに示す各構成において、ツインコンタクト型の３層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０３４８】
また、図１８Ａ〜図１８Ｃに示す各構成においては、図示する例では、第１基板１１０Ａ及び第２基板１１０Ｂに対してパッド１５１が設けられているが、本実施形態はかかる例に限定されない。これらの各構成では、ＴＳＶ１５７によって第１基板１１０Ａ及び第３基板１１０Ｃの各々に備わる信号線同士及び電源線同士が電気的に接続されているから、当該ＴＳＶ１５７によって電気的に接続されない信号線及び電源線を備える第１基板１１０Ａ及び第２基板１１０Ｂ、又は第２基板１１０Ｂ及び第３基板１１０Ｃは、信号線及び電源線を電気的に接続するために、パッド１５１が設けられていてもよい。つまり、図１８Ａ〜図１８Ｃに示す各構成においては、図示するパッド１５１の構成例に代えて、第２基板１１０Ｂ及び第３基板１１０Ｃに対してパッド１５１が設けられてもよい。同様に、図１８Ｄに示す構成においては、図示する例では、第２基板１１０Ｂ及び第３基板１１０Ｃに対してパッド１５１が設けられているが、これに代えて、第１基板１１０Ａ及び第２基板１１０Ｂに対してパッド１５１が設けられてもよい。
【０３４９】
また、図１８Ｇに示す構成において、パッド１５１が設けられる基板は、図示する例（第２基板１１０Ｂ）に限定されない。当該構成では、一方のＴＳＶ１５７ａによって第２基板１１０Ｂ及び第３基板１１０Ｃの各々に備わる信号線同士及び電源線同士が電気的に接続されており、他方のＴＳＶ１５７ｂによって第１基板１１０Ａ及び第３基板１１０Ｃの各々に備わる信号線同士及び電源線同士が電気的に接続されているから、接続構造としてのパッド１５１は設けられなくてもよい。従って、例えば、図１８Ｇに示す構成においては、パッド１５１は、所望の信号を取り出すために、任意の基板１１０Ａ、１１０Ｂ、１１０Ｃに対して設けられてよい。
【０３５０】
また、図１８Ｃ及び図１８Ｄに示す各構成においては、図示する例では、引き出し線開口部１５５ａ、１５５ｂによって１つのパッド１５１が共有されているが、本実施形態はかかる例に限定されない。これらの各構成では、２つの引き出し線開口部１５５ａ、１５５ｂに対して、それぞれ１つのパッド１５１が設けられてもよい。この場合、２つの引き出し線開口部１５５ａ、１５５ｂを構成する導電材料からなる膜は、互いに隔絶されるように（すなわち、両者が非導通となるように）、第１基板１１０Ａの裏面側の面上において延設され得る。
【０３５１】
また、図１８Ｅ及び図１８Ｆに示す各構成においては、図示する例では、ＴＳＶ兼用引き出し線開口部１５５ａ、１５５ｂ及び引き出し線開口部１５５ｃによって１つのパッド１５１が共有されているが、本実施形態はかかる例に限定されない。これらの各構成では、ＴＳＶ兼用引き出し線開口部１５５ａ、１５５ｂに対して（すなわち、ＴＳＶ１５７に対して）、及び引き出し線開口部１５５ｃに対して、それぞれ１つのパッド１５１が設けられてもよい。この場合、ＴＳＶ兼用引き出し線開口部１５５ａ、１５５ｂを構成する導電材料からなる膜と、引き出し線開口部１５５ｃを構成する導電材料からなる膜と、は、互いに隔絶されるように（すなわち、両者が非導通となるように）、第１基板１１０Ａの裏面側の面上において延設され得る。
【０３５２】
また、引き出しパッド構造が設けられる場合においては、当該引き出しパッド構造は、非埋め込み型であってもよいし、埋め込み型であってもよい。例えば、図１８Ｃに示す構成において、非埋め込み型の引き出しパッド構造に代えて埋め込み型の引き出しパッド構造が設けられてもよい。また、例えば、図１８Ｄに示す構成において、埋め込み型の引き出しパッド構造に代えて非埋め込み型の引き出しパッド構造が設けられてもよい。
【０３５３】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって信号線及び電源線が電気的に接続される基板は、任意に変更されてよい。
【０３５４】
（４−１４．第１４の構成例）
図１９Ａ〜図１９Ｋは、本実施形態の第１４の構成例に係る固体撮像装置の概略構成を示す縦断面図である。本実施形態に係る固体撮像装置は、図１９Ａ〜図１９Ｋに示す構成を有し得る。
【０３５５】
図１９Ａに示す固体撮像装置１５ａは、接続構造として、ツインコンタクト型及び埋め込み型の３層間のＴＳＶ１５７ａと、シェアードコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０３５６】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図１９Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図１９Ａに示す構成では、当該ＴＳＶ１５７ｂによって、第２基板１１０Ｂの多層配線層１２５内の第２金属配線層の所定の配線と、第３基板１１０Ｃの多層配線層１３５内の第２金属配線層の所定の配線と、が電気的に接続されている。
【０３５７】
図１９Ｂに示す固体撮像装置１５ｂは、図１９Ａに示す固体撮像装置１５ａに対して、ＴＳＶ１５７ａ、ＴＳＶ１５７ｂによって電気的に接続される配線の種類が変更されたものに対応する。具体的には、図１９Ｂに示す構成では、ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。また、ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０３５８】
図１９Ｃに示す固体撮像装置１５ｃは、接続構造として、ツインコンタクト型及び埋め込み型の３層間のＴＳＶ１５７ａと、シェアードコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０３５９】
ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図１９Ｃに示す構成では、当該ＴＳＶ１５７ｂによって、第２基板１１０Ｂの多層配線層１２５内の第２金属配線層の所定の配線と、第３基板１１０Ｃの多層配線層１３５内の第１金属配線層の所定の配線と、が電気的に接続されている。
【０３６０】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図１９Ｃに示す構成では、ＴＳＶ１５７ａの一方のビアはＴＳＶ１５７ｂの上端と接触しており、他方のビアは、第３基板１１０Ｃの多層配線層１３５内の第１金属配線層の所定の配線と接触している。つまり、ＴＳＶ１５７ａは、ＴＳＶ１５７ｂと、第３基板１１０Ｃの多層配線層１３５内の所定の配線と、を電気的に接続するように形成される。更には、ＴＳＶ１５７ａによって、第３基板１１０Ｃの多層配線層１３５内の所定の配線と、ＴＳＶ１５７ｂによって電気的に接続されている第２基板１１０Ｂの多層配線層１２５内の所定の配線、及び第３基板１１０Ｃの多層配線層１３５内の所定の配線と、が電気的に接続されることとなる。
【０３６１】
また、２つの埋め込みパッド構造によって、第１基板１１０Ａ及び第２基板１１０Ｂの各々に備わる信号線同士及び電源線同士が電気的に接続され得る。
【０３６２】
図１９Ｄに示す固体撮像装置１５ｄは、図１９Ｃに示す固体撮像装置１５ｃに対して、ＴＳＶ１５７ａの構造が変更されたものに対応する。具体的には、上記図１９Ｃに示す構成では、ＴＳＶ１５７ａは、ＴＳＶ１５７ｂと、第３基板１１０Ｃの多層配線層１３５内の所定の配線と、を電気的に接続するように設けられていたが、図１９Ｄに示す構成では、ＴＳＶ１５７ａは、第２基板１１０Ｂの多層配線層１２５内の所定の配線と、第３基板１１０Ｃの多層配線層１３５内の所定の配線と、を電気的に接続するように設けられる。図１９Ｄに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。
【０３６３】
図１９Ｅに示す固体撮像装置１５ｅは、図１９Ｂに示す固体撮像装置１５ｂに対して、ＴＳＶ１５７ｂの構造が変更されたものに対応する。具体的には、図１９Ｅに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図１９Ｅに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０３６４】
図１９Ｆに示す固体撮像装置１５ｆは、図１９Ｂに示す固体撮像装置１５ｂに対して、埋め込みパッド構造が変更されたものに対応する。具体的には、図１９Ｆに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０３６５】
図１９Ｇに示す固体撮像装置１５ｇは、図１９Ｆに示す固体撮像装置１５ｆに対して、引き出しパッド構造の構成が変更されたものに対応する。具体的には、図１９Ｇに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０３６６】
図１９Ｈに示す固体撮像装置１５ｈは、図１９Ｂに示す固体撮像装置１５ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０３６７】
図１９Ｉに示す固体撮像装置１５ｉは、図１９Ｅに示す固体撮像装置１５ｅに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０３６８】
図１９Ｊに示す固体撮像装置１５ｊは、図１９Ｈに示す固体撮像装置１５ｈに対して、ＴＳＶ兼用引き出し線開口部１５５ａ、１５５ｂに係る非埋め込み型の引き出しパッド構造が、埋め込み型の引き出しパッド構造に変更されたものに対応する。
【０３６９】
図１９Ｋに示す固体撮像装置１５ｋは、図１９Ｉに示す固体撮像装置１５ｉに対して、ＴＳＶ兼用引き出し線開口部１５５ａ、１５５ｂに係る非埋め込み型の引き出しパッド構造が、埋め込み型の引き出しパッド構造に変更されたものに対応する。
【０３７０】
なお、図１９Ａ〜図１９Ｋに示す各構成において、ツインコンタクト型の３層間のＴＳＶ１５７及びシェアードコンタクト型の２層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０３７１】
また、図１９Ｃ及び図１９Ｄに示す各構成においては、図示する例では、第１基板１１０Ａ及び第２基板１１０Ｂに対してパッド１５１が設けられているが、本実施形態はかかる例に限定されない。これらの各構成では、ＴＳＶ１５７ａ、１５７ｂによって第２基板１１０Ｂ及び第３基板１１０Ｃの各々に備わる信号線同士及び電源線同士が電気的に接続されているから、当該ＴＳＶ１５７ａ、１５７ｂによって信号線及び電源線が電気的に接続されない第１基板１１０Ａ及び第２基板１１０Ｂ、又は第１基板１１０Ａ及び第３基板１１０Ｃは、信号線及び電源線を電気的に接続するために、パッド１５１が設けられてもよい。つまり、図１９Ｃ及び図１９Ｄに示す各構成においては、図示するパッド１５１の構成例に代えて、第１基板１１０Ａ及び第３基板１１０Ｃに対してパッド１５１が設けられてもよい。
【０３７２】
また、図１９Ａ、図１９Ｂ、及び図１９Ｅ〜図１９Ｇに示す各構成において、パッド１５１が設けられる基板は、図示する例に限定されない。これらの各構成では、一方のＴＳＶ１５７ａによって第１基板１１０Ａ及び第３基板１１０Ｃの各々に備わる信号線同士及び電源線同士が電気的に接続されており、他方のＴＳＶ１５７ｂによって第２基板１１０Ｂ及び第３基板１１０Ｃの各々に備わる信号線同士及び電源線同士が電気的に接続されているから、接続構造としてのパッド１５１は設けられなくてもよい。従って、例えば、図１９Ａ、図１９Ｂ、及び図１９Ｅ〜図１９Ｇに示す構成においては、パッド１５１は、所望の信号を取り出すために、任意の基板１１０Ａ、１１０Ｂ、１１０Ｃに対して設けられてよい。
【０３７３】
また、引き出しパッド構造が設けられる場合においては、当該引き出しパッド構造は、非埋め込み型であってもよいし、埋め込み型であってもよい。例えば、図１９Ｆに示す構成において、非埋め込み型の引き出しパッド構造に代えて埋め込み型の引き出しパッド構造が設けられてもよい。また、例えば、図１９Ｇに示す構成において、埋め込み型の引き出しパッド構造に代えて非埋め込み型の引き出しパッド構造が設けられてもよい。
【０３７４】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０３７５】
（４−１５．第１５の構成例）
図２０Ａ〜図２０Ｇは、本実施形態の第１５の構成例に係る固体撮像装置の概略構成を示す縦断面図である。本実施形態に係る固体撮像装置は、図２０Ａ〜図２０Ｇに示す構成を有し得る。
【０３７６】
図２０Ａに示す固体撮像装置１６ａは、接続構造として、ツインコンタクト型及び埋め込み型の３層間のＴＳＶ１５７ａと、シェアードコンタクト型及び埋め込み型の３層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０３７７】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図２０Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図２０Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。また、２つの埋め込みパッド構造によって、第１基板１１０Ａ及び第２基板１１０Ｂの各々に備わる信号線同士及び電源線同士が電気的に接続され得る。
【０３７８】
図２０Ｂに示す固体撮像装置１６ｂは、図２０Ａに示す固体撮像装置１６ａに対して、ＴＳＶ１５７ａによって電気的に接続される配線の種類が変更されたものに対応する。具体的には、図２０Ｂに示す構成では、当該ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。
【０３７９】
図２０Ｃに示す固体撮像装置１６ｃは、図２０Ｂに示す固体撮像装置１６ｂに対して、埋め込みパッド構造が変更されるとともに、ＴＳＶ１５７ｂによって電気的に接続される配線の種類が変更されたものに対応する。具体的には、図２０Ｃに示す構成では、埋め込みパッド構造に代えて、第１基板１１０Ａに対する非埋め込み型の引き出しパッド構造（すなわち、第１基板１１０Ａの多層配線層１０５内の所定の配線に対する引き出し線開口部１５５ａ、及び第１基板１１０Ａの裏面側の面上のパッド１５１）、並びに第２基板１１０Ｂに対する非埋め込み型の引き出しパッド構造（すなわち、第２基板１１０Ｂの多層配線層１２５内の所定の配線に対する引き出し線開口部１５５ｂ、及び第１基板１１０Ａの裏面側の面上のパッド１５１）が、設けられる。なお、図２０Ｃに示す構成では、引き出し線開口部１５５ａ、１５５ｂによって、１つのパッド１５１が共有されている。また、図２０Ｃに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０３８０】
図２０Ｄに示す固体撮像装置１６ｄは、図２０Ｃに示す固体撮像装置１６ｃに対して、引き出しパッド構造の構成が変更されたものに対応する。具体的には、図２０Ｄに示す構成では、第１基板１１０Ａ及び第２基板１１０Ｂに対する非埋め込み型の引き出しパッド構造に代えて、第２基板１１０Ｂに対する埋め込み型の引き出しパッド構造（すなわち、第２基板１１０Ｂの多層配線層１２５内の所定の配線に対する引き出し線開口部１５５ａ、及び第１基板１１０Ａの裏面側の面上において絶縁膜１０９に埋め込まれて形成されるパッド１５１）、並びに第３基板１１０Ｃに対する埋め込み型の引き出しパッド構造（すなわち、第３基板１１０Ｃの多層配線層１３５内の所定の配線に対する引き出し線開口部１５５ｂ、及び第１基板１１０Ａの裏面側の面上において絶縁膜１０９に埋め込まれて形成されるパッド１５１）が、設けられる。なお、図２０Ｄに示す構成では、引き出し線開口部１５５ａ、１５５ｂによって、１つのパッド１５１が共有されている。
【０３８１】
図２０Ｅに示す固体撮像装置１６ｅは、図２０Ｄに示す固体撮像装置１６ｄに対して、埋め込み型のＴＳＶ１５７ａが非埋め込み型のＴＳＶに変更されＴＳＶ兼用引き出し線開口部１５５ａ、１５５ｂが設けられるとともに、第２基板１１０Ｂの多層配線層１２５内の所定の配線に対する引き出し線開口部１５５ｃが設けられることにより、ＴＳＶ１５７ａ並びに第２基板１１０Ｂ及び第３基板１１０Ｃに対する引き出しパッド構造に代えて、当該ＴＳＶ兼用引き出し線開口部１５５ａ、１５５ｂ、及び当該引き出し線開口部１５５ｃを用いた非埋め込み型の引き出しパッド構造（すなわち、当該ＴＳＶ兼用引き出し線開口部１５５ａ、１５５ｂ、当該引き出し線開口部１５５ｃ、及び第１基板１１０Ａの裏面側の面上のパッド１５１）が設けられたものに対応する。なお、図２０Ｅに示す構成では、ＴＳＶ兼用引き出し線開口部１５５ａ、１５５ｂ、及び引き出し線開口部１５５ｃによって、１つのパッド１５１が共有されている。
【０３８２】
図２０Ｆに示す固体撮像装置１６ｆは、図２０Ｅに示す固体撮像装置１６ｅに対して、非埋め込み型の引き出しパッド構造に代えて埋め込み型の引き出しパッド構造が設けられたものに対応する。なお、図２０Ｆに示す構成では、ＴＳＶ兼用引き出し線開口部１５５ａ、１５５ｂ、及び引き出し線開口部１５５ｃによって、１つのパッド１５１が共有されている。
【０３８３】
図２０Ｇに示す固体撮像装置１６ｇは、接続構造として、ツインコンタクト型及び埋め込み型の３層間のＴＳＶ１５７ａと、シェアードコンタクト型及び埋め込み型の３層間のＴＳＶ１５７ｂと、第２基板１１０Ｂに対する埋め込みパッド構造（すなわち、第２基板１１０Ｂの多層配線層１２５内に設けられるパッド１５１、及び当該パッド１５１を露出させるパッド開口部１５３）と、を有する。
【０３８４】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２０Ｇに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。また、ＴＳＶ１５７ｂは、第３基板１１０Ｃの裏面側から第１基板１１０Ａに向かって形成され、第１基板１１０Ａ、第２基板１１０Ｂ、及び第３基板１１０Ｃの各々に備わる信号線同士及び電源線同士を電気的に接続するように設けられる。図２０Ｇに示す構成では、当該ＴＳＶ１５７ｂによって、第１基板１１０Ａの多層配線層１０５内の第１金属配線層の所定の配線と、第２基板１１０Ｂの多層配線層１２５内の第１金属配線層の所定の配線と、第３基板１１０Ｃの多層配線層１３５内の第１金属配線層の所定の配線と、が電気的に接続されている。
【０３８５】
なお、図２０Ａ〜図２０Ｇに示す各構成において、ツインコンタクト型の３層間のＴＳＶ１５７及びシェアードコンタクト型の３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０３８６】
また、図２０Ａ〜図２０Ｃに示す各構成においては、図示する例では、第１基板１１０Ａ及び第２基板１１０Ｂに対してパッド１５１が設けられているが、本実施形態はかかる例に限定されない。これらの各構成では、ＴＳＶ１５７ａ、１５７ｂによって第１基板１１０Ａ及び第３基板１１０Ｃの各々に備わる信号線同士及び電源線同士が電気的に接続されているから、これらＴＳＶ１５７ａ、１５７ｂによって電気的に接続されない信号線及び電源線を備える第１基板１１０Ａ及び第２基板１１０Ｂ、又は第２基板１１０Ｂ及び第３基板１１０Ｃは、信号線及び電源線を電気的に接続するために、パッド１５１が設けられていてもよい。つまり、図２０Ａ〜図２０Ｃに示す各構成においては、図示するパッド１５１の構成例に代えて、第２基板１１０Ｂ及び第３基板１１０Ｃに対してパッド１５１が設けられてもよい。同様に、図２０Ｄに示す構成においては、図示する例では、第２基板１１０Ｂ及び第３基板１１０Ｃに対してパッド１５１が設けられているが、これに代えて、第１基板１１０Ａ及び第２基板１１０Ｂに対してパッド１５１が設けられてもよい。
【０３８７】
また、図２０Ｇに示す構成において、パッド１５１が設けられる基板は、図示する例（第２基板１１０Ｂ）に限定されない。当該構成では、一方のＴＳＶ１５７ａによって第２基板１１０Ｂ及び第３基板１１０Ｃの各々に備わる信号線同士及び電源線同士が電気的に接続されており、他方のＴＳＶ１５７ｂによって第１基板１１０Ａ及び第３基板１１０Ｃの各々に備わる信号線同士及び電源線同士が少なくとも電気的に接続されているから、接続構造としてのパッド１５１は設けられなくてもよい。従って、例えば、図２０Ｇに示す構成においては、パッド１５１は、所望の信号を取り出すために、任意の基板１１０Ａ、１１０Ｂ、１１０Ｃに対して設けられてよい。
【０３８８】
また、図２０Ｃ及び図２０Ｄに示す各構成においては、図示する例では、引き出し線開口部１５５ａ、１５５ｂによって１つのパッド１５１が共有されているが、本実施形態はかかる例に限定されない。これらの各構成では、２つの引き出し線開口部１５５ａ、１５５ｂに対して、それぞれ１つのパッド１５１が設けられてもよい。この場合、２つの引き出し線開口部１５５ａ、１５５ｂを構成する導電材料からなる膜は、互いに隔絶されるように（すなわち、両者が非導通となるように）、第１基板１１０Ａの裏面側の面上において延設され得る。
【０３８９】
また、図２０Ｅ及び図２０Ｆに示す各構成においては、図示する例では、ＴＳＶ兼用引き出し線開口部１５５ａ、１５５ｂ及び引き出し線開口部１５５ｃによって１つのパッド１５１が共有されているが、本実施形態はかかる例に限定されない。これらの各構成では、ＴＳＶ兼用引き出し線開口部１５５ａ、１５５ｂに対して（すなわち、ＴＳＶ１５７に対して）、及び引き出し線開口部１５５ｃに対して、それぞれ１つのパッド１５１が設けられてもよい。この場合、ＴＳＶ兼用引き出し線開口部１５５ａ、１５５ｂを構成する導電材料からなる膜と、引き出し線開口部１５５ｃを構成する導電材料からなる膜と、は、互いに隔絶されるように（すなわち、両者が非導通となるように）、第１基板１１０Ａの裏面側の面上において延設され得る。
【０３９０】
また、引き出しパッド構造が設けられる場合においては、当該引き出しパッド構造は、非埋め込み型であってもよいし、埋め込み型であってもよい。例えば、図２０Ｃに示す構成において、非埋め込み型の引き出しパッド構造に代えて埋め込み型の引き出しパッド構造が設けられてもよい。また、例えば、図２０Ｄに示す構成において、埋め込み型の引き出しパッド構造に代えて非埋め込み型の引き出しパッド構造が設けられてもよい。
【０３９１】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０３９２】
また、シェアードコンタクト型の３層間のＴＳＶ１５７は、第１基板１１０Ａ、第２基板１１０Ｂ、及び第３基板１１０Ｃのうちの少なくともいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０３９３】
（４−１６．第１６の構成例）
図２１Ａ〜図２１Ｍは、本実施形態の第１６の構成例に係る固体撮像装置の概略構成を示す縦断面図である。本実施形態に係る固体撮像装置は、図２１Ａ〜図２１Ｍに示す構成を有し得る。
【０３９４】
図２１Ａに示す固体撮像装置１７ａは、接続構造として、ツインコンタクト型及び埋め込み型の３層間のＴＳＶ１５７と、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０３９５】
ＴＳＶ１５７は、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図２１Ａに示す構成では、当該ＴＳＶ１５７によって、第１基板１１０Ａの多層配線層１０５内の第１金属配線層の所定の配線と、第３基板１１０Ｃの多層配線層１３５内の第２金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。
【０３９６】
図２１Ｂに示す固体撮像装置１７ｂは、図２１Ａに示す固体撮像装置１７ａに対して、ＴＳＶ１５７によって電気的に接続される構成が変更されたものに対応する。具体的には、図２１Ｂに示す構成では、ＴＳＶ１５７によって、第１基板１１０Ａの多層配線層１０５内の第１金属配線層の所定の配線と、第３基板１１０Ｃの多層配線層１３５内の片側電極と、が電気的に接続されている。
【０３９７】
図２１Ｃに示す固体撮像装置１７ｃは、図２１Ａに示す固体撮像装置１７ａに対して、ＴＳＶ１５７によって電気的に接続される配線の種類が変更されたものに対応する。具体的には、図２１Ｃに示す構成では、当該ＴＳＶ１５７によって、第１基板１１０Ａの多層配線層１０５内の第１金属配線層の所定の配線と、第３基板１１０Ｃの多層配線層１３５内の第１金属配線層の所定の配線と、が電気的に接続されている。
【０３９８】
図２１Ｄに示す固体撮像装置１７ｄは、図２１Ｃに示す固体撮像装置１７ｃに対して、ＴＳＶ１５７によって電気的に接続される構成が変更されたものに対応する。具体的には、図２１Ｄに示す構成では、ＴＳＶ１５７によって、第１基板１１０Ａの多層配線層１０５内の第１金属配線層の所定の配線と、第３基板１１０Ｃの多層配線層１３５内の片側電極と、が電気的に接続されている。
【０３９９】
図２１Ｅに示す固体撮像装置１７ｅは、接続構造として、ツインコンタクト型及び埋め込み型の３層間のＴＳＶ１５７と、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０４００】
ＴＳＶ１５７は、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２１Ｅに示す構成では、当該ＴＳＶ１５７によって、第２基板１１０Ｂの多層配線層１２５内の第２金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。また、２つの埋め込みパッド構造によって、第１基板１１０Ａ及び第２基板１１０Ｂの各々に備わる信号線同士及び電源線同士が電気的に接続され得る。
【０４０１】
図２１Ｆに示す固体撮像装置１７ｆは、図２１Ｃに示す固体撮像装置１７ｃに対して、埋め込みパッド構造が変更されたものに対応する。具体的には、図２１Ｆに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０４０２】
図２１Ｇに示す固体撮像装置１７ｇは、図２１Ｆに示す固体撮像装置１７ｆに対して、ＴＳＶ１５７によって電気的に接続される構成が変更されたものに対応する。具体的には、図２１Ｇに示す構成では、ＴＳＶ１５７によって、第１基板１１０Ａの多層配線層１０５内の第１金属配線層の所定の配線と、第３基板１１０Ｃの多層配線層１３５内の片側電極と、が電気的に接続されている。
【０４０３】
図２１Ｈに示す固体撮像装置１７ｈは、図２１Ｆに示す固体撮像装置１７ｆに対して、引き出しパッド構造の構成が変更されたものに対応する。具体的には、図２１Ｈに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０４０４】
図２１Ｉに示す固体撮像装置１７ｉは、図２１Ｈに示す固体撮像装置１７ｈに対して、ＴＳＶ１５７によって電気的に接続される構成が変更されたものに対応する。具体的には、図２１Ｉに示す構成では、ＴＳＶ１５７によって、第１基板１１０Ａの多層配線層１０５内の第１金属配線層の所定の配線と、第３基板１１０Ｃの多層配線層１３５内の片側電極と、が電気的に接続されている。
【０４０５】
図２１Ｊに示す固体撮像装置１７ｊは、図２１Ｃに示す固体撮像装置１７ｃに対して、埋め込み型のＴＳＶ１５７が非埋め込み型のＴＳＶに変更されることにより、当該ＴＳＶ１５７及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０４０６】
図２１Ｋに示す固体撮像装置１７ｋは、図２１Ｄに示す固体撮像装置１７ｄに対して、埋め込み型のＴＳＶ１５７が非埋め込み型のＴＳＶに変更されることにより、当該ＴＳＶ１５７及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０４０７】
図２１Ｌに示す固体撮像装置１７ｌは、図２１Ｊに示す固体撮像装置１７ｊに対して、ＴＳＶ兼用引き出し線開口部１５５ａ、１５５ｂに係る非埋め込み型の引き出しパッド構造が、埋め込み型の引き出しパッド構造に変更されたものに対応する。
【０４０８】
図２１Ｍに示す固体撮像装置１７ｍは、図２１Ｋに示す固体撮像装置１７ｋに対して、ＴＳＶ兼用引き出し線開口部１５５ａ、１５５ｂに係る非埋め込み型の引き出しパッド構造が、埋め込み型の引き出しパッド構造に変更されたものに対応する。
【０４０９】
なお、図２１Ａ〜図２１Ｍに示す各構成において、ツインコンタクト型の３層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０４１０】
また、図２１Ｅに示す構成においては、図示する例では、第１基板１１０Ａ及び第２基板１１０Ｂに対してパッド１５１が設けられているが、本実施形態はかかる例に限定されない。当該構成では、ＴＳＶ１５７及び電極接合構造１５９によって第２基板１１０Ｂ及び第３基板１１０Ｃの各々に備わる信号線同士及び電源線同士が電気的に接続されているから、当該ＴＳＶ１５７及び当該電極接合構造１５９によって電気的に接続されない信号線及び電源線を備える第１基板１１０Ａ及び第２基板１１０Ｂ、又は第１基板１１０Ａ及び第３基板１１０Ｃは、信号線及び電源線を電気的に接続するために、パッド１５１が設けられてもよい。つまり、図２１Ｅに示す構成においては、図示するパッド１５１の構成例に代えて、第１基板１１０Ａ及び第３基板１１０Ｃに対してパッド１５１が設けられてもよい。
【０４１１】
また、図２１Ａ〜図２１Ｄ、及び図２１Ｆ〜図２１Ｉに示す各構成において、パッド１５１が設けられる基板は、図示する例に限定されない。これらの各構成では、ＴＳＶ１５７によって第１基板１１０Ａ及び第３基板１１０Ｃの各々に備わる信号線同士及び電源線同士が電気的に接続されており、電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図２１Ａ〜図２１Ｄ、及び図２１Ｆ〜図２１Ｉに示す構成においては、パッド１５１は、所望の信号を取り出すために、任意の基板１１０Ａ、１１０Ｂ、１１０Ｃに対して設けられてよい。
【０４１２】
また、引き出しパッド構造が設けられる場合においては、当該引き出しパッド構造は、非埋め込み型であってもよいし、埋め込み型であってもよい。例えば、図２１Ｆ及び図２１Ｇに示す構成において、非埋め込み型の引き出しパッド構造に代えて埋め込み型の引き出しパッド構造が設けられてもよい。また、例えば、図２１Ｈ及び図２１Ｉに示す構成において、埋め込み型の引き出しパッド構造に代えて非埋め込み型の引き出しパッド構造が設けられてもよい。
【０４１３】
また、図２１Ｂ、図２１Ｄ、図２１Ｇ、図２１Ｉ、図２１Ｋ、及び図２１Ｍに示す各構成において、ＴＳＶ１５７及びＴＳＶ兼用引き出し線開口部１５５ａ、１５５ｂは、片側電極とコンタクトしているが、本実施形態はかかる例に限定されない。これらの各構成では、ＴＳＶ１５７及びＴＳＶ兼用引き出し線開口部１５５ａ、１５５ｂは、両側電極とコンタクトするように構成されてもよい。ＴＳＶ１５７及びＴＳＶ兼用引き出し線開口部１５５ａ、１５５ｂが両側電極とコンタクトするように構成される場合には、当該ＴＳＶ１５７及びＴＳＶ兼用引き出し線開口部１５５ａ、１５５ｂは、電極接合構造１５９を構成するビアとしての機能を有することとなる。
【０４１４】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０４１５】
（４−１７．第１７の構成例）
図２２Ａ〜図２２Ｍは、本実施形態の第１７の構成例に係る固体撮像装置の概略構成を示す縦断面図である。本実施形態に係る固体撮像装置は、図２２Ａ〜図２２Ｍに示す構成を有し得る。
【０４１６】
図２２Ａに示す固体撮像装置１８ａは、接続構造として、ツインコンタクト型及び埋め込み型の３層間のＴＳＶ１５７ａと、ツインコンタクト型及び埋め込み型の２層間のＴＳＶ１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０４１７】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図２２Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図２２Ａに示す構成では、ＴＳＶ１５７ｂによって、第２基板１１０Ｂの多層配線層１２５内の第２金属配線層の所定の配線と、第３基板１１０Ｃの多層配線層１３５内の第２金属配線層の所定の配線と、が電気的に接続されている。また、電極接合構造１５９によって、第２基板１１０Ｂ及び第３基板１１０Ｃの各々に備わる信号線同士及び電源線同士が電気的に接続されている。
【０４１８】
図２２Ｂに示す固体撮像装置１８ｂは、図２２Ａに示す固体撮像装置１８ａに対して、ＴＳＶ１５７ａ、１５７ｂによって電気的に接続される配線の種類が変更されたものに対応する。具体的には、図２２Ｂに示す構成では、ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。また、図２２Ｂに示す構成では、ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０４１９】
図２２Ｃに示す固体撮像装置１８ｃは、図２２Ａに示す固体撮像装置１８ａに対して、ＴＳＶ１５７ａ、１５７ｂによって電気的に接続される構成が変更されたものに対応する。具体的には、図２２Ｃに示す構成では、ＴＳＶ１５７ａによって、第１基板１１０Ａの多層配線層１０５内の第１金属配線層の所定の配線と、第３基板１１０Ｃの多層配線層１３５内の片側電極と、が電気的に接続されている。また、図２２Ｃに示す構成では、ＴＳＶ１５７ｂによって、第２基板１１０Ｂの多層配線層１２５内の第２金属配線層の所定の配線と、第３基板１１０Ｃの多層配線層１３５内の片側電極と、が電気的に接続されている。
【０４２０】
図２２Ｄに示す固体撮像装置１８ｄは、図２２Ｃに示す固体撮像装置１８ｃに対して、第２基板１１０Ｂの多層配線層１２５の構成及び第３基板１１０Ｃの多層配線層１３５の構成が変更されたものに対応する。具体的には、上記図２２Ｃに示す構成では、多層配線層１２５及び多層配線層１３５は、いずれも、第１金属配線層と第２金属配線層とが混在するように構成されていたが、図２２Ｄに示す構成では、多層配線層１２５及び多層配線層１３５は、いずれも、第１金属配線層のみによって構成される。また、図２２Ｄに示す構成では、第２基板１１０Ｂの多層配線層１２５の構成が変更されたことに伴い、図２２Ｃに示す固体撮像装置１８ｃに対して、ＴＳＶ１５７ｂによって電気的に接続される配線の種類も変更されている。具体的には、図２２Ｄに示す構成では、ＴＳＶ１５７ｂによって、第２基板１１０Ｂの多層配線層１２５内の第１金属配線層の所定の配線と、第３基板１１０Ｃの多層配線層１３５内の片側電極と、が電気的に接続されている。
【０４２１】
図２２Ｅに示す固体撮像装置１８ｅは、接続構造として、ツインコンタクト型及び埋め込み型の３層間のＴＳＶ１５７ａと、ツインコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０４２２】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２２Ｅに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図２２Ｅに示す構成では、当該ＴＳＶ１５７ｂによって、第２基板１１０Ｂの多層配線層１２５内の第２金属配線層の所定の配線と、第３基板１１０Ｃの多層配線層１３５内の第１金属配線層の所定の配線と、が電気的に接続されている。また、２つの埋め込みパッド構造によって、第１基板１１０Ａ及び第２基板１１０Ｂの各々に備わる信号線同士及び電源線同士が電気的に接続され得る。
【０４２３】
図２２Ｆに示す固体撮像装置１８ｆは、図２２Ｅに示す固体撮像装置１８ｅに対して、ＴＳＶ１５７ａ、１５７ｂによって電気的に接続される構成が変更されたものに対応する。具体的には、図２２Ｆに示す構成では、ＴＳＶ１５７ａによって、第２基板１１０Ｂの多層配線層１２５内の第２金属配線層の所定の配線と、第３基板１１０Ｃの多層配線層１３５内の片側電極と、が電気的に接続されている。また、図２２Ｆに示す構成では、ＴＳＶ１５７ｂによって、第２基板１１０Ｂの多層配線層１２５内の第２金属配線層の所定の配線と、第３基板１１０Ｃの多層配線層１３５内の片側電極と、が電気的に接続されている。
【０４２４】
図２２Ｇに示す固体撮像装置１８ｇは、図２２Ｂに示す固体撮像装置１８ｂに対して、ＴＳＶ１５７ｂの構造が変更されたものに対応する。具体的には、図２２Ｇに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図２２Ｇに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０４２５】
図２２Ｈに示す固体撮像装置１８ｈは、図２２Ｂに示す固体撮像装置１８ｂに対して、埋め込みパッド構造が変更されたものに対応する。具体的には、図２２Ｈに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０４２６】
図２２Ｉに示す固体撮像装置１８ｉは、図２２Ｈに示す固体撮像装置１８ｈに対して、引き出しパッド構造の構成が変更されたものに対応する。具体的には、図２２Ｉに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０４２７】
図２２Ｊに示す固体撮像装置１８ｊは、図２２Ｂに示す固体撮像装置１８ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０４２８】
図２２Ｋに示す固体撮像装置１８ｋは、図２２Ｇに示す固体撮像装置１８ｇに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０４２９】
図２２Ｌに示す固体撮像装置１８ｌは、図２２Ｊに示す固体撮像装置１８ｊに対して、ＴＳＶ兼用引き出し線開口部１５５ａ、１５５ｂに係る非埋め込み型の引き出しパッド構造が、埋め込み型の引き出しパッド構造に変更されたものに対応する。
【０４３０】
図２２Ｍに示す固体撮像装置１８ｍは、図２２Ｋに示す固体撮像装置１８ｋに対して、ＴＳＶ兼用引き出し線開口部１５５ａ、１５５ｂに係る非埋め込み型の引き出しパッド構造が、埋め込み型の引き出しパッド構造に変更されたものに対応する。
【０４３１】
なお、図２２Ａ〜図２２Ｍに示す各構成において、ツインコンタクト型の２層間及び３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０４３２】
また、図２２Ｅ及び図２２Ｆに示す構成においては、図示する例では、第１基板１１０Ａ及び第２基板１１０Ｂに対してパッド１５１が設けられているが、本実施形態はかかる例に限定されない。これらの各構成では、ＴＳＶ１５７ａ、１５７ｂ及び電極接合構造１５９によって第２基板１１０Ｂ及び第３基板１１０Ｃの各々に備わる信号線同士及び電源線同士が電気的に接続されているから、当該ＴＳＶ１５７ａ、１５７ｂ及び当該電極接合構造１５９によって電気的に接続されない信号線及び電源線を備える第１基板１１０Ａ及び第２基板１１０Ｂ、又は第１基板１１０Ａ及び第３基板１１０Ｃは、信号線及び電源線を電気的に接続するために、パッド１５１が設けられてもよい。つまり、図２２Ｅ及び図２２Ｆに示す各構成においては、図示するパッド１５１の構成例に代えて、第１基板１１０Ａ及び第３基板１１０Ｃに対してパッド１５１が設けられてもよい。
【０４３３】
また、図２２Ａ〜図２２Ｄ、及び図２２Ｇ〜図２２Ｉに示す各構成において、パッド１５１が設けられる基板は、図示する例に限定されない。これらの各構成では、ＴＳＶ１５７ａによって第１基板１１０Ａ及び第３基板１１０Ｃの各々に備わる信号線同士及び電源線同士が電気的に接続されており、ＴＳＶ１５７ｂ及び電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図２２Ａ〜図２２Ｄ、及び図２２Ｇ〜図２２Ｉに示す各構成においては、パッド１５１は、所望の信号を取り出すために、任意の基板１１０Ａ、１１０Ｂ、１１０Ｃに対して設けられてよい。
【０４３４】
また、引き出しパッド構造が設けられる場合においては、当該引き出しパッド構造は、非埋め込み型であってもよいし、埋め込み型であってもよい。例えば、図２２Ｈに示す構成において、非埋め込み型の引き出しパッド構造に代えて埋め込み型の引き出しパッド構造が設けられてもよい。また、例えば、図２２Ｉに示す構成において、埋め込み型の引き出しパッド構造に代えて非埋め込み型の引き出しパッド構造が設けられてもよい。
【０４３５】
また、図２２Ｃ、図２２Ｄ、及び図２２Ｆに示す各構成において、ＴＳＶ１５７ａは、片側電極とコンタクトしているが、本実施形態はかかる例に限定されない。これらの各構成では、ＴＳＶ１５７ａは、両側電極とコンタクトするように構成されてもよい。ＴＳＶ１５７ａが両側電極とコンタクトするように構成される場合には、当該ＴＳＶ１５７ａは、電極接合構造１５９を構成するビアとしての機能を有することとなる。
【０４３６】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０４３７】
（４−１８．第１８の構成例）
図２３Ａ〜図２３Ｋは、本実施形態の第１８の構成例に係る固体撮像装置の概略構成を示す縦断面図である。本実施形態に係る固体撮像装置は、図２３Ａ〜図２３Ｋに示す構成を有し得る。
【０４３８】
図２３Ａに示す固体撮像装置１９ａは、接続構造として、ツインコンタクト型及び埋め込み型の３層間のＴＳＶ１５７ａ、１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０４３９】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図２３Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図２３Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続されている。
【０４４０】
図２３Ｂに示す固体撮像装置１９ｂは、図２３Ａに示す固体撮像装置１９ａに対して、ＴＳＶ１５７ａによって電気的に接続される配線の種類が変更されたものに対応する。具体的には、図２３Ｂに示す構成では、ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。
【０４４１】
図２３Ｃに示す固体撮像装置１９ｃは、図２３Ｂに示す固体撮像装置１９ｂに対して、ＴＳＶ１５７ａによって電気的に接続される構成が変更されたものに対応する。具体的には、図２３Ｃに示す構成では、ＴＳＶ１５７ａによって、第１基板１１０Ａの多層配線層１０５内の第１金属配線層の所定の配線と、第３基板１１０Ｃの多層配線層１３５内の片側電極と、が電気的に接続されている。
【０４４２】
図２３Ｄに示す固体撮像装置１９ｄは、図２３Ｂに示す固体撮像装置１９ｂに対して、埋め込みパッド構造が変更されるとともに、ＴＳＶ１５７ｂによって電気的に接続される配線の種類が変更されたものに対応する。具体的には、図２３Ｄに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。また、図２３Ｄに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０４４３】
図２３Ｅに示す固体撮像装置１９ｅは、図２３Ｄに示す固体撮像装置１９ｄに対して、引き出しパッド構造の構成が変更されたものに対応する。具体的には、図２３Ｅに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０４４４】
図２３Ｆに示す固体撮像装置１９ｆは、図２３Ｂに示す固体撮像装置１９ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。また、図２３Ｆに示す固体撮像装置１９ｆは、図２３Ｂに示す固体撮像装置１９ｂに対して、ＴＳＶ１５７ｂによって電気的に接続される配線の種類が更に変更されたものに対応する。具体的には、図２３Ｆに示す構成では、ＴＳＶ１５７によって、第１基板１１０Ａの多層配線層１０５内の第１金属配線層の所定の配線と、第３基板１１０Ｃの多層配線層１３５内の第１金属配線層の所定の配線と、が電気的に接続されている。
【０４４５】
図２３Ｇに示す固体撮像装置１９ｇは、図２３Ｃに示す固体撮像装置１９ｃに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。また、図２３Ｇに示す固体撮像装置１９ｇは、図２３Ｃに示す固体撮像装置１９ｃに対して、ＴＳＶ１５７ｂによって電気的に接続される配線の種類が更に変更されたものに対応する。具体的には、図２３Ｇに示す構成では、ＴＳＶ１５７によって、第１基板１１０Ａの多層配線層１０５内の第１金属配線層の所定の配線と、第３基板１１０Ｃの多層配線層１３５内の第１金属配線層の所定の配線と、が電気的に接続されている。
【０４４６】
図２３Ｈに示す固体撮像装置１９ｈは、図２３Ｆに示す固体撮像装置１９ｆに対して、ＴＳＶ兼用引き出し線開口部１５５ａ、１５５ｂに係る非埋め込み型の引き出しパッド構造が、埋め込み型の引き出しパッド構造に変更されたものに対応する。
【０４４７】
図２３Ｉに示す固体撮像装置１９ｉは、図２３Ｇに示す固体撮像装置１９ｇに対して、ＴＳＶ兼用引き出し線開口部１５５ａ、１５５ｂに係る非埋め込み型の引き出しパッド構造が、埋め込み型の引き出しパッド構造に変更されたものに対応する。
【０４４８】
図２３Ｊに示す固体撮像装置１９ｊは、接続構造として、ツインコンタクト型及び埋め込み型の３層間のＴＳＶ１５７ａ、１５７ｂと、第２基板１１０Ｂと第３基板１１０Ｃとの間に設けられる電極接合構造１５９と、第２基板１１０Ｂに対する埋め込みパッド構造（すなわち、第２基板１１０Ｂの多層配線層１２５内に設けられるパッド１５１、及び当該パッド１５１を露出させるパッド開口部１５３）と、を有する。
【０４４９】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２３Ｊに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。また、ＴＳＶ１５７ｂは、第３基板１１０Ｃの裏面側から第１基板１１０Ａに向かって形成され、当該第１基板１１０Ａ及び当該第３基板１１０Ｃの各々に備わる信号線同士及び電源線同士を電気的に接続するように設けられる。図２３Ｊに示す構成では、当該ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続されている。
【０４５０】
図２３Ｋに示す固体撮像装置１９ｋは、図２３Ｊに示す固体撮像装置１９ｊに対して、ＴＳＶ１５７ａによって電気的に接続される構成が変更されたものに対応する。具体的には、図２３Ｋに示す構成では、ＴＳＶ１５７ａによって、第２基板１１０Ｂの多層配線層１２５内の第２金属配線層の所定の配線と、第３基板１１０Ｃの多層配線層１３５内の片側電極と、が電気的に接続されている。
【０４５１】
なお、図２３Ａ〜図２３Ｋに示す各構成において、ツインコンタクト型の３層間のＴＳＶ１５７が接続される配線の種類は限定されない。当該ＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０４５２】
また、図２３Ａ〜図２３Ｅ、図２３Ｊ、及び図２３Ｋに示す各構成において、パッド１５１が設けられる基板は、図示する例に限定されない。これらの各構成では、ＴＳＶ１５７ｂによって第１基板１１０Ａ及び第３基板１１０Ｃの各々に備わる信号線同士及び電源線同士が電気的に接続されており、電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図２３Ａ〜図２３Ｅ、図２３Ｊ、及び図２３Ｋに示す各構成においては、パッド１５１は、所望の信号を取り出すために、任意の基板１１０Ａ、１１０Ｂ、１１０Ｃに対して設けられてよい。
【０４５３】
また、引き出しパッド構造が設けられる場合においては、当該引き出しパッド構造は、非埋め込み型であってもよいし、埋め込み型であってもよい。例えば、図２３Ｄに示す構成において、非埋め込み型の引き出しパッド構造に代えて埋め込み型の引き出しパッド構造が設けられてもよい。また、例えば、図２３Ｅに示す構成において、埋め込み型の引き出しパッド構造に代えて非埋め込み型の引き出しパッド構造が設けられてもよい。
【０４５４】
また、図２３Ｃ、図２３Ｇ、図２３Ｉ、及び図２３Ｋに示す各構成において、ＴＳＶ１５７ａ及びＴＳＶ兼用引き出し線開口部１５５ａ、１５５ｂは、片側電極とコンタクトしているが、本実施形態はかかる例に限定されない。これらの各構成では、ＴＳＶ１５７ａ及びＴＳＶ兼用引き出し線開口部１５５ａ、１５５ｂは、両側電極とコンタクトするように構成されてもよい。ＴＳＶ１５７ａ及びＴＳＶ兼用引き出し線開口部１５５ａ、１５５ｂが両側電極とコンタクトするように構成される場合には、当該ＴＳＶ１５７ａ及びＴＳＶ兼用引き出し線開口部１５５ａ、１５５ｂは、電極接合構造１５９を構成するビアとしての機能を有することとなる。
【０４５５】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０４５６】
（４−１９．第１９の構成例）
図２４Ａ〜図２４Ｍは、本実施形態の第１９の構成例に係る固体撮像装置の概略構成を示す縦断面図である。本実施形態に係る固体撮像装置は、図２４Ａ〜図２４Ｍに示す構成を有し得る。
【０４５７】
図２４Ａに示す固体撮像装置２０ａは、接続構造として、ツインコンタクト型及び埋め込み型の３層間のＴＳＶ１５７ａと、シェアードコンタクト型及び埋め込み型の２層間のＴＳＶ１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０４５８】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図２４Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図２４Ａに示す構成では、ＴＳＶ１５７ｂによって、第２基板１１０Ｂの多層配線層１２５内の第２金属配線層の所定の配線と、第３基板１１０Ｃの多層配線層１３５内の第２金属配線層の所定の配線と、が電気的に接続されている。また、電極接合構造１５９によって、第２基板１１０Ｂ及び第３基板１１０Ｃの各々に備わる信号線同士及び電源線同士が電気的に接続されている。
【０４５９】
図２４Ｂに示す固体撮像装置２０ｂは、図２４Ａに示す固体撮像装置２０ａに対して、ＴＳＶ１５７ａ、１５７ｂによって電気的に接続される配線の種類が変更されたものに対応する。具体的には、図２４Ｂに示す構成では、ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。また、図２４Ｂに示す構成では、ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０４６０】
図２４Ｃに示す固体撮像装置２０ｃは、図２４Ａに示す固体撮像装置２０ａに対して、ＴＳＶ１５７ａ、１５７ｂによって電気的に接続される構成が変更されたものに対応する。具体的には、図２４Ｃに示す構成では、ＴＳＶ１５７ａによって、第１基板１１０Ａの多層配線層１０５内の第１金属配線層の所定の配線と、第３基板１１０Ｃの多層配線層１３５内の片側電極と、が電気的に接続されている。また、図２４Ｃに示す構成では、ＴＳＶ１５７ｂによって、第２基板１１０Ｂの多層配線層１２５内の第２金属配線層の所定の配線と、第３基板１１０Ｃの多層配線層１３５内の片側電極と、が電気的に接続されている。
【０４６１】
図２４Ｄに示す固体撮像装置２０ｄは、図２４Ｃに示す固体撮像装置２０ｃに対して、第２基板１１０Ｂの多層配線層１２５の構成及び第３基板１１０Ｃの多層配線層１３５の構成が変更されたものに対応する。具体的には、上記図２４Ｃに示す構成では、多層配線層１２５及び多層配線層１３５は、いずれも、第１金属配線層と第２金属配線層とが混在するように構成されていたが、図２４Ｄに示す構成では、多層配線層１２５及び多層配線層１３５は、いずれも、第１金属配線層のみによって構成される。また、図２４Ｄに示す構成では、第２基板１１０Ｂの多層配線層１２５の構成が変更されたことに伴い、図２４Ｃに示す固体撮像装置２０ｃに対して、ＴＳＶ１５７ｂによって電気的に接続される配線の種類も変更されている。具体的には、図２４Ｄに示す構成では、ＴＳＶ１５７ｂによって、第２基板１１０Ｂの多層配線層１２５内の第１金属配線層の所定の配線と、第３基板１１０Ｃの多層配線層１３５内の片側電極と、が電気的に接続されている。
【０４６２】
図２４Ｅに示す固体撮像装置２０ｅは、接続構造として、ツインコンタクト型及び埋め込み型の３層間のＴＳＶ１５７ａと、シェアードコンタクト型及び埋め込み型の２層間のＴＳＶ１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０４６３】
ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図２４Ｅに示す構成では、当該ＴＳＶ１５７ｂによって、第２基板１１０Ｂの多層配線層１２５内の第２金属配線層の所定の配線と、第３基板１１０Ｃの多層配線層１３５内の片側電極と、が電気的に接続されている。
【０４６４】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２４Ｅに示す構成では、ＴＳＶ１５７ａの一方のビアはＴＳＶ１５７ｂの上端と接触しており、他方のビアは、第３基板１１０Ｃの多層配線層１３５内の片側電極と接触している。つまり、ＴＳＶ１５７ａは、ＴＳＶ１５７ｂと、第３基板１１０Ｃの多層配線層１３５内の片側電極と、を電気的に接続するように形成される。更には、ＴＳＶ１５７ａによって、第３基板１１０Ｃの多層配線層１３５内の片側電極と、ＴＳＶ１５７ｂによって電気的に接続されている第２基板１１０Ｂの多層配線層１２５内の所定の配線、及び第３基板１１０Ｃの多層配線層１３５内の片側電極と、が電気的に接続されることとなる。
【０４６５】
また、２つの埋め込みパッド構造によって、第１基板１１０Ａ及び第２基板１１０Ｂの各々に備わる信号線同士及び電源線同士が電気的に接続され得る。
【０４６６】
図２４Ｆに示す固体撮像装置２０ｆは、接続構造として、ツインコンタクト型及び埋め込み型の３層間のＴＳＶ１５７ａと、シェアードコンタクト型及び埋め込み型の２層間のＴＳＶ１５７ｂと、第１基板１１０Ａに対する埋め込みパッド構造（すなわち、第１基板１１０Ａの多層配線層１０５内に設けられるパッド１５１、及び当該パッド１５１を露出させるパッド開口部１５３ａ）と、第２基板１１０Ｂに対する埋め込みパッド構造（すなわち、第２基板１１０Ｂの多層配線層１２５内に設けられるパッド１５１、及び当該パッド１５１を露出させるパッド開口部１５３ｂ）と、を有する。
【０４６７】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２４Ｆに示す構成では、当該ＴＳＶ１５７ａによって、第２基板１１０Ｂの多層配線層１２５内の第２金属配線層の所定の配線と、第３基板１１０Ｃの多層配線層１３５内の片側電極と、が電気的に接続されている。また、ＴＳＶ１５７ｂは、第２基板１１０Ｂの表面側から第３基板１１０Ｃに向かって形成され、当該第２基板１１０Ｂ及び当該第３基板１１０Ｃの各々に備わる信号線同士及び電源線同士を電気的に接続するように設けられる。図２４Ｆに示す構成では、当該ＴＳＶ１５７ｂによって、第２基板１１０Ｂの多層配線層１２５内の第２金属配線層の所定の配線と、第３基板１１０Ｃの多層配線層１３５内の片側電極と、が電気的に接続されている。また、２つの埋め込みパッド構造によって、第１基板１１０Ａ及び第２基板１１０Ｂの各々に備わる信号線同士及び電源線同士が電気的に接続され得る。
【０４６８】
図２４Ｇに示す固体撮像装置２０ｇは、図２４Ａに示す固体撮像装置２０ａに対して、ＴＳＶ１５７ｂの構造が変更されたものに対応する。具体的には、図２４Ｇに示す構成では、ＴＳＶ１５７ｂは、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図２４Ｇに示す構成では、当該ＴＳＶ１５７ｂによって、第２基板１１０Ｂの多層配線層１２５内の第１金属配線層の所定の配線と、第３基板１１０Ｃの多層配線層１３５内の第１金属配線層の所定の配線と、が電気的に接続されている。
【０４６９】
図２４Ｈに示す固体撮像装置２０ｈは、図２４Ｂに示す固体撮像装置２０ｂに対して、埋め込みパッド構造が変更されたものに対応する。具体的には、図２４Ｈに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。
【０４７０】
図２４Ｉに示す固体撮像装置２０ｉは、図２４Ｈに示す固体撮像装置２０ｈに対して、引き出しパッド構造の構成が変更されたものに対応する。具体的には、図２４Ｉに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０４７１】
図２４Ｊに示す固体撮像装置２０ｊは、図２４Ｂに示す固体撮像装置２０ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。
【０４７２】
図２４Ｋに示す固体撮像装置２０ｋは、図２４Ｊに示す固体撮像装置２０ｊに対して、ＴＳＶ１５７の構造が変更されたものに対応する。具体的には、図２４Ｋに示す構成では、ＴＳＶ１５７は、第３基板１１０Ｃの裏面側から第２基板１１０Ｂに向かって形成され、当該第２基板１１０Ｂ及び当該第３基板１１０Ｃの各々に備わる信号線同士及び電源線同士を電気的に接続するように設けられる。図２４Ｋに示す構成では、当該ＴＳＶ１５７によって、第２基板１１０Ｂの多層配線層１２５内の第１金属配線層の所定の配線と、第３基板１１０Ｃの多層配線層１３５内の第１金属配線層の所定の配線と、が電気的に接続されている。
【０４７３】
図２４Ｌに示す固体撮像装置２０ｌは、図２４Ｊに示す固体撮像装置２０ｊに対して、ＴＳＶ兼用引き出し線開口部１５５ａ、１５５ｂに係る非埋め込み型の引き出しパッド構造が、埋め込み型の引き出しパッド構造に変更されたものに対応する。
【０４７４】
図２４Ｍに示す固体撮像装置２０ｍは、図２４Ｋに示す固体撮像装置２０ｋに対して、ＴＳＶ兼用引き出し線開口部１５５ａ、１５５ｂに係る非埋め込み型の引き出しパッド構造が、埋め込み型の引き出しパッド構造に変更されたものに対応する。
【０４７５】
なお、図２４Ａ〜図２４Ｍに示す各構成において、ツインコンタクト型の３層間のＴＳＶ１５７及びシェアードコンタクト型の２層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０４７６】
また、図２４Ｅ及び図２４Ｆに示す構成においては、図示する例では、第１基板１１０Ａ及び第２基板１１０Ｂに対してパッド１５１が設けられているが、本実施形態はかかる例に限定されない。これらの各構成では、ＴＳＶ１５７ａ、１５７ｂ及び電極接合構造１５９によって第２基板１１０Ｂ及び第３基板１１０Ｃの各々に備わる信号線同士及び電源線同士が電気的に接続されているから、当該ＴＳＶ１５７ａ、１５７ｂ及び当該電極接合構造１５９によって電気的に接続されない信号線及び電源線を備える第１基板１１０Ａ及び第２基板１１０Ｂ、又は第１基板１１０Ａ及び第３基板１１０Ｃは、信号線及び電源線を電気的に接続するために、パッド１５１が設けられていてもよい。つまり、図２４Ｅ及び図２４Ｆに示す各構成においては、図示するパッド１５１の構成例に代えて、第１基板１１０Ａ及び第３基板１１０Ｃに対してパッド１５１が設けられてもよい。
【０４７７】
また、図２４Ａ〜図２４Ｄ、及び図２４Ｇ〜図２４Ｉに示す各構成において、パッド１５１が設けられる基板は、図示する例に限定されない。これらの各構成では、ＴＳＶ１５７ａによって第１基板１１０Ａ及び第３基板１１０Ｃの各々に備わる信号線同士及び電源線同士が電気的に接続されており、ＴＳＶ１５７ｂ及び電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図２４Ａ〜図２４Ｄ、及び図２４Ｇ〜図２４Ｉに示す各構成においては、パッド１５１は、所望の信号を取り出すために、任意の基板１１０Ａ、１１０Ｂ、１１０Ｃに対して設けられてよい。
【０４７８】
また、引き出しパッド構造が設けられる場合においては、当該引き出しパッド構造は、非埋め込み型であってもよいし、埋め込み型であってもよい。例えば、図２４Ｈに示す構成において、非埋め込み型の引き出しパッド構造に代えて埋め込み型の引き出しパッド構造が設けられてもよい。また、例えば、図２４Ｉに示す構成において、埋め込み型の引き出しパッド構造に代えて非埋め込み型の引き出しパッド構造が設けられてもよい。
【０４７９】
また、図２４Ｃ、図２４Ｄ、図２４Ｅ、及び図２４Ｆに示す各構成において、ＴＳＶ１５７ａ、１５７ｂは、片側電極とコンタクトしているが、本実施形態はかかる例に限定されない。これらの各構成では、ＴＳＶ１５７ａ、１５７ｂは、両側電極とコンタクトするように構成されてもよい。ＴＳＶ１５７ａ、１５７ｂが両側電極とコンタクトするように構成される場合には、当該ＴＳＶ１５７ａ、１５７ｂは、電極接合構造１５９を構成するビアとしての機能を有することとなる。
【０４８０】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０４８１】
（４−２０．第２０の構成例）
図２５Ａ〜図２５Ｋは、本実施形態の第２０の構成例に係る固体撮像装置の概略構成を示す縦断面図である。本実施形態に係る固体撮像装置は、図２５Ａ〜図２５Ｋに示す構成を有し得る。
【０４８２】
図２５Ａに示す固体撮像装置２１ａは、接続構造として、ツインコンタクト型及び埋め込み型の３層間のＴＳＶ１５７ａと、シェアードコンタクト型及び埋め込み型の３層間のＴＳＶ１５７ｂと、第２基板１１０Ｂと第３基板１１０Ｃとの間に設けられる電極接合構造１５９と、第１基板１１０Ａに対する埋め込みパッド構造（すなわち、第１基板１１０Ａの多層配線層１０５内に設けられるパッド１５１、及び当該パッド１５１を露出させるパッド開口部１５３）と、を有する。
【０４８３】
ＴＳＶ１５７ａは、第１基板１１０Ａの裏面側から第３基板１１０Ｃに向かって形成され、当該第１基板１１０Ａ及び当該第３基板１１０Ｃの各々に備わる信号線同士及び電源線同士を電気的に接続するように設けられる。図２５Ａに示す構成では、当該ＴＳＶ１５７ａによって、第１基板１１０Ａの多層配線層１０５内の第１金属配線層の所定の配線と、第３基板１１０Ｃの多層配線層１３５内の第２金属配線層の所定の配線と、が電気的に接続されている。また、ＴＳＶ１５７ｂは、第３基板１１０Ｃの裏面側から第１基板１１０Ａに向かって形成され、第１基板１１０Ａ及び第３基板１１０Ｃの各々に備わる信号線同士及び電源線同士を電気的に接続するように設けられる。図２５Ａに示す構成では、当該ＴＳＶ１５７ｂによって、第１基板１１０Ａの多層配線層１０５内の第２金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続される。
【０４８４】
図２５Ｂに示す固体撮像装置２１ｂは、図２５Ａに示す固体撮像装置２１ａに対して、ＴＳＶ１５７ａによって電気的に接続される配線の種類が変更されたものに対応する。具体的には、図２５Ｂに示す構成では、ＴＳＶ１５７ａによって、第１基板１１０Ａの多層配線層１０５内の第１金属配線層の所定の配線と、第３基板１１０Ｃの多層配線層１３５内の第１金属配線層の所定の配線と、が電気的に接続されている。
【０４８５】
図２５Ｃに示す固体撮像装置２１ｃは、図２５Ｂに示す固体撮像装置２１ｂに対して、ＴＳＶ１５７ａによって電気的に接続される構成が変更されたものに対応する。具体的には、図２５Ｃに示す構成では、ＴＳＶ１５７ａによって、第１基板１１０Ａの多層配線層１０５内の第１金属配線層の所定の配線と、第３基板１１０Ｃの多層配線層１３５内の片側電極と、が電気的に接続されている。
【０４８６】
図２５Ｄに示す固体撮像装置２１ｄは、図２５Ｂに示す固体撮像装置２１ｂに対して、埋め込みパッド構造が変更されるとともに、ＴＳＶ１５７ｂによって電気的に接続される配線の種類が変更されたものに対応する。具体的には、図２５Ｄに示す構成では、埋め込みパッド構造に代えて、第２基板１１０Ｂに対する非埋め込み型の引き出しパッド構造（すなわち、第２基板１１０Ｂの多層配線層１２５内の所定の配線に対する引き出し線開口部１５５、及び第１基板１１０Ａの裏面側の面上のパッド１５１）が設けられる。また、図２５Ｄに示す構成では、ＴＳＶ１５７ｂによって、第１基板１１０Ａの多層配線層１０５内の第１金属配線層の所定の配線と、第３基板１１０Ｃの多層配線層１３５内の第１金属配線層の所定の配線と、が電気的に接続されている。
【０４８７】
図２５Ｅに示す固体撮像装置２１ｅは、図２５Ｄに示す固体撮像装置２１ｄに対して、引き出しパッド構造の構成が変更されたものに対応する。具体的には、図２５Ｅに示す構成では、第２基板１１０Ｂに対する非埋め込み型の引き出しパッド構造に代えて、第３基板１１０Ｃに対する埋め込み型の引き出しパッド構造（すなわち、第３基板１１０Ｃの多層配線層１３５内の所定の配線に対する引き出し線開口部１５５、及び第１基板１１０Ａの裏面側の面上において絶縁膜１０９に埋め込まれて形成されるパッド１５１）が設けられる。
【０４８８】
図２５Ｆに示す固体撮像装置２１ｆは、図２５Ｂに示す固体撮像装置２１ｂに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。また、図２５Ｆに示す固体撮像装置２１ｆは、図２５Ｂに示す固体撮像装置２１ｂに対して、ＴＳＶ１５７ｂによって電気的に接続される配線の種類が更に変更されたものに対応する。具体的には、図２５Ｆに示す構成では、ＴＳＶ１５７によって、第１基板１１０Ａの多層配線層１０５内の第１金属配線層の所定の配線と、第３基板１１０Ｃの多層配線層１３５内の第１金属配線層の所定の配線と、が電気的に接続されている。
【０４８９】
図２５Ｇに示す固体撮像装置２１ｇは、図２５Ｃに示す固体撮像装置２１ｃに対して、埋め込み型のＴＳＶ１５７ａが非埋め込み型のＴＳＶに変更されることにより、当該ＴＳＶ１５７ａ及び埋め込みパッド構造に代えて、ＴＳＶ兼用引き出し線開口部１５５ａ、１５５ｂを用いた非埋め込み型の引き出しパッド構造（すなわち、当該ＴＳＶ兼用引き出し線開口部１５５ａ、１５５ｂ、及び第１基板１１０Ａの裏面側の面上のパッド１５１）が設けられたものに対応する。また、図２５Ｇに示す固体撮像装置２１ｇは、図２５Ｃに示す固体撮像装置２１ｃに対して、ＴＳＶ１５７によって電気的に接続される配線の種類が更に変更されたものに対応する。具体的には、図２５Ｇに示す構成では、ＴＳＶ１５７によって、第１基板１１０Ａの多層配線層１０５内の第１金属配線層の所定の配線と、第３基板１１０Ｃの多層配線層１３５内の第１金属配線層の所定の配線と、が電気的に接続されている。
【０４９０】
図２５Ｈに示す固体撮像装置２１ｈは、図２５Ｆに示す固体撮像装置２１ｆに対して、ＴＳＶ兼用引き出し線開口部１５５ａ、１５５ｂに係る非埋め込み型の引き出しパッド構造が、埋め込み型の引き出しパッド構造に変更されたものに対応する。
【０４９１】
図２５Ｉに示す固体撮像装置２１ｉは、図２５Ｇに示す固体撮像装置２１ｇに対して、ＴＳＶ兼用引き出し線開口部１５５ａ、１５５ｂに係る非埋め込み型の引き出しパッド構造が、埋め込み型の引き出しパッド構造に変更されたものに対応する。
【０４９２】
図２５Ｊに示す固体撮像装置２１ｊは、接続構造として、ツインコンタクト型及び埋め込み型の３層間のＴＳＶ１５７ａと、シェアードコンタクト型及び埋め込み型の３層間のＴＳＶ１５７ｂと、第２基板１１０Ｂと第３基板１１０Ｃとの間に設けられる電極接合構造１５９と、第２基板１１０Ｂに対する埋め込みパッド構造（すなわち、第２基板１１０Ｂの多層配線層１２５内に設けられるパッド１５１、及び当該パッド１５１を露出させるパッド開口部１５３）と、を有する。
【０４９３】
ＴＳＶ１５７ａは、第１基板１１０Ａの裏面側から第３基板１１０Ｃに向かって形成され、第２基板１１０Ｂ及び第３基板１１０Ｃの各々に備わる信号線同士及び電源線同士を電気的に接続するように設けられる。図２５Ｊに示す構成では、当該ＴＳＶ１５７ａによって、第２基板１１０Ｂの多層配線層１２５内の第２金属配線層の所定の配線と、第３基板１１０Ｃの多層配線層１３５内の第１金属配線層の所定の配線と、が電気的に接続されている。また、ＴＳＶ１５７ｂは、第３基板１１０Ｃの裏面側から第１基板１１０Ａに向かって形成され、第１基板１１０Ａ、第２基板１１０Ｂ、及び第３基板１１０Ｃの各々に備わる信号線同士及び電源線同士を電気的に接続するように設けられる。図２５Ｊに示す構成では、当該ＴＳＶ１５７ｂによって、第１基板１１０Ａの多層配線層１０５内の第１金属配線層の所定の配線と、第２基板１１０Ｂの多層配線層１２５内の第１金属配線層の所定の配線と、第３基板１１０Ｃの多層配線層１３５内の第１金属配線層の所定の配線と、が電気的に接続されている。また、電極接合構造１５９によって、第２基板１１０Ｂ及び第３基板１１０Ｃの各々に備わる信号線同士及び電源線同士が電気的に接続されている。
【０４９４】
図２５Ｋに示す固体撮像装置２１ｋは、図２５Ｊに示す固体撮像装置２１ｊに対して、ＴＳＶ１５７ａによって電気的に接続される構成が変更されたものに対応する。具体的には、図２５Ｋに示す構成では、ＴＳＶ１５７ａによって、第２基板１１０Ｂの多層配線層１２５内の第２金属配線層の所定の配線と、第３基板１１０Ｃの多層配線層１３５内の片側電極と、が電気的に接続されている。
【０４９５】
なお、図２５Ａ〜図２５Ｋに示す各構成において、ツインコンタクト型の３層間のＴＳＶ１５７及びシェアードコンタクト型の３層間のＴＳＶ１５７が接続される配線の種類は限定されない。これらのＴＳＶ１５７は、第１金属配線層の所定の配線に接続されてもよいし、第２金属配線層の所定の配線に接続されてもよい。また、各多層配線層１０５、１２５、１３５は、第１金属配線層のみによって構成されてもよいし、第２金属配線層のみによって構成されてもよいし、その両方が混在するように構成されてもよい。
【０４９６】
また、図２５Ａ〜図２５Ｅ、図２５Ｊ、及び図２５Ｋに示す各構成において、パッド１５１が設けられる基板は、図示する例に限定されない。これらの各構成では、ＴＳＶ１５７ｂによって第１基板１１０Ａ及び第３基板１１０Ｃの各々に備わる信号線同士及び電源線同士が電気的に接続されており、電極接合構造１５９によって第２基板１１０Ｂ及び第３基板１１０Ｃの各々に備わる信号線同士及び電源線同士が電気的に接続されているから、接続構造としてのパッド１５１は設けられなくてもよい。従って、例えば、図２５Ａ〜図２５Ｅ、図２５Ｊ、及び図２５Ｋに示す各構成においては、パッド１５１は、所望の信号を取り出すために、任意の基板１１０Ａ、１１０Ｂ、１１０Ｃに対して設けられてよい。
【０４９７】
また、引き出しパッド構造が設けられる場合においては、当該引き出しパッド構造は、非埋め込み型であってもよいし、埋め込み型であってもよい。例えば、図２５Ｄに示す構成において、非埋め込み型の引き出しパッド構造に代えて埋め込み型の引き出しパッド構造が設けられてもよい。また、例えば、図２５Ｅに示す構成において、埋め込み型の引き出しパッド構造に代えて非埋め込み型の引き出しパッド構造が設けられてもよい。
【０４９８】
また、図２５Ｃ、図２５Ｇ、図２５Ｉ、及び図２５Ｋに示す各構成において、ＴＳＶ１５７ａ及びＴＳＶ兼用引き出し線開口部１５５ａ、１５５ｂは、片側電極とコンタクトしているが、本実施形態はかかる例に限定されない。これらの各構成では、ＴＳＶ１５７ａ及びＴＳＶ兼用引き出し線開口部１５５ａ、１５５ｂは、両側電極とコンタクトするように構成されてもよい。ＴＳＶ１５７ａ及びＴＳＶ兼用引き出し線開口部１５５ａ、１５５ｂが両側電極とコンタクトするように構成される場合には、当該ＴＳＶ１５７ａ及びＴＳＶ兼用引き出し線開口部１５５ａ、１５５ｂは、電極接合構造１５９を構成するビアとしての機能を有することとなる。
【０４９９】
また、ツインコンタクト型の３層間のＴＳＶ１５７は、その形成される方向に応じて、第１基板１１０Ａ、第２基板１１０Ｂ、及び第３基板１１０Ｃのうちのいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０５００】
また、シェアードコンタクト型の３層間のＴＳＶ１５７は、第１基板１１０Ａ、第２基板１１０Ｂ、及び第３基板１１０Ｃのうちの少なくともいずれか２つの基板の各々に備わる信号線同士及び電源線同士を電気的に接続すればよく、当該ＴＳＶ１５７によって電気的に接続される信号線及び電源線を備える基板は、任意に変更されてよい。
【０５０１】
（４−２１．まとめ）
以上、本実施形態に係る固体撮像装置のいくつかの構成例について説明した。
【０５０２】
なお、以上説明した各構成例のうち、第２〜第４の構成例、第７〜第１０の構成例、第１２〜第１４の構成例、及び第１７〜第２０の構成例においては、第３基板１１０Ｃの裏面側において上端が露出するように、ＴＳＶ１５７を形成することができる。このように露出されたＴＳＶ１５７の上端を、固体撮像装置を外部と電気的に接続するための電極として機能させることができる。例えば、当該ＴＳＶ１５７の露出した上端に、はんだバンプ等を設け、当該はんだバンプ等を介して固体撮像装置と外部の機器とを電気的に接続してもよい。
【０５０３】
また、以上説明した各構成例について、各基板１１０Ａ、１１０Ｂ、１１０Ｃに対してパッド１５１を設ける際には、埋め込みパッド構造、又は引き出しパッド構造のいずれの構造が適用されてもよい。また、引き出しパッド構造については、非埋め込み型の引き出しパッド構造又は埋め込み型の引き出しパッド構造のいずれの構造が適用されてもよい。
【０５０４】
（５．適用例）
（電子機器への応用）
以上説明した本実施形態に係る固体撮像装置１〜２１ｋの適用例について説明する。ここでは、固体撮像装置１〜２１ｋが適用され得る電子機器のいくつかの例について説明する。
【０５０５】
図２６Ａは、本実施形態に係る固体撮像装置１〜２１ｋが適用され得る電子機器の一例である、スマートフォンの外観を示す図である。図２６Ａに示すように、スマートフォン９０１は、ボタンから構成されユーザによる操作入力を受け付ける操作部９０３と、各種の情報を表示する表示部９０５と、筐体内に設けられ、観察対象を電子的に撮影する撮像部（図示せず）と、を有する。当該撮像部が、固体撮像装置１〜２１ｋによって構成され得る。
【０５０６】
図２６Ｂ及び図２６Ｃは、本実施形態に係る固体撮像装置１〜２１ｋが適用され得る電子機器の他の例である、デジタルカメラの外観を示す図である。図２６Ｂは、デジタルカメラ９１１を前方（被写体側）から眺めた外観を示しており、図２６Ｃは、デジタルカメラ９１１を後方から眺めた外観を示している。図２６Ｂ及び図２６Ｃに示すように、デジタルカメラ９１１は、本体部（カメラボディ）９１３と、交換式のレンズユニット９１５と、撮影時にユーザによって把持されるグリップ部９１７と、各種の情報を表示するモニタ９１９と、撮影時にユーザによって観察されるスルー画を表示するＥＶＦ９２１と、筐体内に設けられ、観察対象を電子的に撮影する撮像部（図示せず）と、を有する。当該撮像部が、固体撮像装置１〜２１ｋによって構成され得る。
【０５０７】
以上、本実施形態に係る固体撮像装置１〜２１ｋが適用され得る電子機器のいくつかの例について説明した。なお、固体撮像装置１〜２１ｋが適用され得る電子機器は上記で例示したものに限定されず、当該固体撮像装置１〜２１ｋは、ビデオカメラ、眼鏡型のウェアラブルデバイス、ＨＭＤ（Head  Mounted  Display）、タブレットＰＣ、又はゲーム機器等、あらゆる電子機器に搭載される撮像部として適用することが可能である。
【０５０８】
（固体撮像装置の他の構造への応用）
なお、本開示に係る技術は、図２７Ａで示す固体撮像装置に適用されてもよい。図２７Ａは、本開示に係る技術を適用し得る固体撮像装置の構成例を示す断面図である。
【０５０９】
固体撮像装置では、ＰＤ（フォトダイオード）２００１９が、半導体基板２００１８の裏面（図では上面）側から入射する入射光２０００１を受光する。ＰＤ２００１９の上方には、平坦化膜２００１３，ＣＦ（カラーフィルタ）２００１２，マイクロレンズ２００１１が設けられており、各部を順次介して入射した入射光２０００１を、受光面２００１７で受光して光電変換が行われる。
【０５１０】
例えば、ＰＤ２００１９は、ｎ型半導体領域２００２０が、電荷（電子）を蓄積する電荷蓄積領域として形成されている。ＰＤ２００１９においては、ｎ型半導体領域２００２０は、半導体基板２００１８のｐ型半導体領域２００１６，２００４１の内部に設けられている。ｎ型半導体領域２００２０の、半導体基板２００１８の表面（下面）側には、裏面（上面）側よりも不純物濃度が高いｐ型半導体領域２００４１が設けられている。つまり、ＰＤ２００１９は、ＨＡＤ(Hole-Accumulation Diode)構造になっており、ｎ型半導体領域２００２０の上面側と下面側との各界面において、暗電流が発生することを抑制するように、ｐ型半導体領域２００１６，２００４１が形成されている。
【０５１１】
半導体基板２００１８の内部には、複数の画素２００１０の間を電気的に分離する画素分離部２００３０が設けられており、この画素分離部２００３０で区画された領域に、ＰＤ２００１９が設けられている。図中、上面側から、固体撮像装置を見た場合、画素分離部２００３０は、例えば、複数の画素２００１０の間に介在するように格子状に形成されており、ＰＤ２００１９は、この画素分離部２００３０で区画された領域内に形成されている。
【０５１２】
各ＰＤ２００１９では、アノードが接地されており、固体撮像装置において、ＰＤ２００１９が蓄積した信号電荷（例えば、電子）は、図示せぬ転送Ｔｒ（ＭＯＳ  ＦＥＴ）等を介して読み出され、電気信号として、図示せぬＶＳＬ（垂直信号線）へ出力される。
【０５１３】
配線層２００５０は、半導体基板２００１８のうち、遮光膜２００１４、ＣＦ２００１２、マイクロレンズ２００１１等の各部が設けられた裏面（上面）とは反対側の表面（下面）に設けられている。
【０５１４】
配線層２００５０は、配線２００５１と絶縁層２００５２とを含み、絶縁層２００５２内において、配線２００５１が各素子に電気的に接続するように形成されている。配線層２００５０は、いわゆる多層配線の層になっており、絶縁層２００５２を構成する層間絶縁膜と配線２００５１とが交互に複数回積層されて形成されている。ここでは、配線２００５１としては、転送Ｔｒ等のＰＤ２００１９から電荷を読み出すためのＴｒへの配線や、ＶＳＬ等の各配線が、絶縁層２００５２を介して積層されている。
【０５１５】
配線層２００５０の、ＰＤ２００１９が設けられている側に対して反対側の面には、支持基板２００６１が設けられている。例えば、厚みが数百μｍのシリコン半導体からなる基板が、支持基板２００６１として設けられている。
【０５１６】
遮光膜２００１４は、半導体基板２００１８の裏面（図では上面）の側に設けられている。
【０５１７】
遮光膜２００１４は、半導体基板２００１８の上方から半導体基板２００１８の裏面へ向かう入射光２０００１の一部を、遮光するように構成されている。
【０５１８】
遮光膜２００１４は、半導体基板２００１８の内部に設けられた画素分離部２００３０の上方に設けられている。ここでは、遮光膜２００１４は、半導体基板２００１８の裏面（上面）上において、シリコン酸化膜等の絶縁膜２００１５を介して、凸形状に突き出るように設けられている。これに対して、半導体基板２００１８の内部に設けられたＰＤ２００１９の上方においては、ＰＤ２００１９に入射光２０００１が入射するように、遮光膜２００１４は、設けられておらず、開口している。
【０５１９】
つまり、図中、上面側から、固体撮像装置を見た場合、遮光膜２００１４の平面形状は、格子状になっており、入射光２０００１が受光面２００１７へ通過する開口が形成されている。
【０５２０】
遮光膜２００１４は、光を遮光する遮光材料で形成されている。例えば、チタン（Ｔｉ）膜とタングステン（Ｗ）膜とを、順次、積層することで、遮光膜２００１４が形成されている。この他に、遮光膜２００１４は、例えば、窒化チタン（ＴｉＮ）膜とタングステン（Ｗ）膜とを、順次、積層することで形成することができる。
【０５２１】
遮光膜２００１４は、平坦化膜２００１３によって被覆されている。平坦化膜２００１３は、光を透過する絶縁材料を用いて形成されている。
【０５２２】
画素分離部２００３０は、溝部２００３１、固定電荷膜２００３２、及び、絶縁膜２００３３を有する。
【０５２３】
固定電荷膜２００３２は、半導体基板２００１８の裏面（上面）の側において、複数の画素２００１０の間を区画している溝部２００３１を覆うように形成されている。
【０５２４】
具体的には、固定電荷膜２００３２は、半導体基板２００１８において裏面（上面）側に形成された溝部２００３１の内側の面を一定の厚みで被覆するように設けられている。そして、その固定電荷膜２００３２で被覆された溝部２００３１の内部を埋め込むように、絶縁膜２００３３が設けられている（充填されている）。
【０５２５】
ここでは、固定電荷膜２００３２は、半導体基板２００１８との界面部分において正電荷（ホール）蓄積領域が形成されて暗電流の発生が抑制されるように、負の固定電荷を有する高誘電体を用いて形成されている。固定電荷膜２００３２が負の固定電荷を有するように形成されていることで、その負の固定電荷によって、半導体基板２００１８との界面に電界が加わり、正電荷（ホール）蓄積領域が形成される。
【０５２６】
固定電荷膜２００３２は、例えば、ハフニウム酸化膜（ＨｆＯ２膜）で形成することができる。また、固定電荷膜２００３２は、その他、例えば、ハフニウム、ジルコニウム、アルミニウム、タンタル、チタン、マグネシウム、イットリウム、ランタノイド元素等の酸化物の少なくとも１つを含むように形成することができる。
【０５２７】
また、本開示に係る技術は、図２７Ｂで示す固体撮像装置に適用されてもよい。図２７Ｂは、本開示に係る技術が適用され得る固体撮像装置の概略構成を示す。
【０５２８】
固体撮像装置３０００１は、複数の画素３０００２が規則性をもって２次元配列された撮像部（いわゆる画素部）３０００３と、撮像部３０００３の周辺に配置された周辺回路、すなわち垂直駆動部３０００４、水平転送部３０００５及び出力部３０００６とを有して構成される。画素３０００２は、１つの光電変換素子であるフォトダイオード３００２１と、複数の画素トランジスタ（ＭＯＳトランジスタ）Ｔｒ１、Ｔｒ２、Ｔｒ３、Ｔｒ４とにより構成される。
【０５２９】
フォトダイオード３００２１は、光入射で光電変換され、その光電変換で生成された信号電荷を蓄積する領域を有して成る。複数の画素トランジスタは、本例では転送トランジスタＴｒ１、リセットトランジスタＴｒ２、増幅トランジスタＴｒ３及び選択トランジスタＴｒ４の４つのＭＯＳトランジスタを有している。転送トランジスタＴｒ１は、フォトダイオード３００２１に蓄積された信号電荷を後述するフローティングディフージョン（ＦＤ）領域３００２２に読み出すトランジスタである。リセットトランジスタＴｒ２は、ＦＤ領域３００２２の電位を規定の値に設定するためのトランジスタである。増幅トランジスタＴｒ３は、ＦＤ領域３００２２に読み出された信号電荷を電気的に増幅するためのトランジスタである。選択トランジスタＴｒ４は、画素１行を選択して画素信号を垂直信号線３０００８に読み出すためのトランジスタである。
【０５３０】
なお、図示しないが、選択トランジスタＴｒ４を省略した３トランジスタとフォトダイオードＰＤで画素を構成することも可能である。
【０５３１】
画素３０００２の回路構成では、転送トランジスタＴｒ１のソースがフォトダイオード３００２１に接続され、そのドレインがリセットトランジスタＴｒ２のソースに接続される。転送トランジスタＴｒ１とリセットトランジスタＴｒ２間の電荷−電圧変換手段となるＦＤ領域３００２２（転送トランジスタのドレイン領域、リセットトランジスタのソース領域に相当する）が増幅トランジスタＴｒ３のゲートに接続される。増幅トランジスタＴｒ３のソースは選択トランジスタＴｒ４のドレインに接続される。リセットトランジスタＴｒ２のドレイン及び増幅トランジスタＴｒ３のドレインは、電源電圧供給部に接続される。また、選択トランジスタＴｒ４のソースが垂直信号線３０００８に接続される。
【０５３２】
垂直駆動部３０００４からは、１行に配列された画素のリセットトランジスタＴｒ２のゲートに共通に印加される行リセット信号φＲＳＴが、同じく１行の画素の転送トランジスタＴｒ１のゲートに共通に印加される行転送信号φＴＲＧが、同じく１行の選択トランジスタＴｒ４のゲートに共通に印加される行選択信号φＳＥＬが、それぞれ供給されるようになされる。
【０５３３】
水平転送部３０００５は、各列の垂直信号線３０００８に接続された増幅器またはアナログ／デジタル変換器（ＡＤＣ）、本例ではアナログ／デジタル変換器３０００９と、列選択回路（スイッチ手段）３０００７と、水平転送線（例えばデータビット線と同数の配線で構成されたバス配線）３００１０とを有して構成される。出力部３０００６は、増幅器又は、アナログ／デジタル変換器及び／又は信号処理回路、本例では水平転送線３００１０からの出力を処理する信号処理回路３００１１と、出力バッファ３００１２とを有して構成される。
【０５３４】
この固体撮像装置３０００１では、各行の画素３０００２の信号が各アナログ／デジタル変換器３０００９にてアナログ／デジタル変換され、順次選択される列選択回路３０００７を通じて水平転送線３００１０に読み出され、順次に水平転送される。水平転送線３００１０に読み出された画像データは、信号処理回路３００１１を通じて出力バッファ３００１２より出力される。
【０５３５】
画素３００２における一般的な動作は、最初に転送トランジスタＴｒ１のゲートとリセットトランジスタＴｒ２のゲートをオン状態にしてフォトダイオード３００２１の電荷を全て空にする。次いで、転送トランジスタＴｒ１のゲートとリセットトランジスタＴｒ２のゲートをオフ状態にして電荷蓄積を行う。次に、フォトダイオード３００２１の電荷を読み出す直前にリセットトランジスタＴｒ２のゲートをオン状態にしてＦＤ領域３００２２の電位をリセットする。その後、リセットトランジスタＴｒ２のゲートをオフ状態にし、転送トランジスタＴｒ１のゲートをオン状態にしてフォトダイオード３００２１からの電荷をＦＤ領域３００２２へ転送する。増幅トランジスタＴｒ３ではゲートに電荷が印加されたことを受けて信号電荷を電気的に増幅する。一方、選択トランジスタＴｒ４は前記読み出し直前のＦＤリセット時から読み出し対象画素のみオン状態になり、該当画素内増幅トランジスタＴｒ３からの電荷−電圧変換された画像信号が垂直信号線３０００８に読み出されることになる。
【０５３６】
以上、本開示に係る技術が適用され得る固体撮像装置の他の構造例について説明した。
【０５３７】
（カメラへの適用例）
上述の固体撮像装置は、例えば、デジタルカメラやビデオカメラ等のカメラシステム、撮像機能を有する携帯電話、又は、撮像機能を備えた他の機器などの電子機器に適用することができる。以下、電子機器の一構成例として、カメラを例に挙げ説明する。図２７Ｃは、本開示に係る技術が適用され得るビデオカメラの構成例を示す説明図である。
【０５３８】
この例のカメラ１００００は、固体撮像装置１０００１と、固体撮像装置１０００１の受光センサ部に入射光を導く光学系１０００２と、固体撮像装置１０００１及び光学系１０００２間に設けられたシャッタ装置１０００３と、固体撮像装置１０００１を駆動する駆動回路１０００４とを備える。さらに、カメラ１００００は、固体撮像装置１０００１の出力信号を処理する信号処理回路１０００５を備える。
【０５３９】
光学系（光学レンズ）１０００２は、被写体からの像光（入射光）を固体撮像装置１０００１の撮像面（不図示）上に結像させる。これにより、固体撮像装置１０００１内に、一定期間、信号電荷が蓄積される。なお、光学系１０００２は、複数の光学レンズを含む光学レンズ群で構成してもよい。また、シャッタ装置１０００３は、入射光の固体撮像装置１０００１への光照射期間及び遮光期間を制御する。
【０５４０】
駆動回路１０００４は、固体撮像装置１０００１及びシャッタ装置１０００３に駆動信号を供給する。そして、駆動回路１０００４は、供給した駆動信号により、固体撮像装置１０００１の信号処理回路１０００５への信号出力動作、及び、シャッタ装置１０００３のシャッタ動作を制御する。すなわち、この例では、駆動回路１０００４から供給される駆動信号（タイミング信号）により、固体撮像装置１０００１から信号処理回路１０００５への信号転送動作を行う。
【０５４１】
信号処理回路１０００５は、固体撮像装置１０００１から転送された信号に対して、各種の信号処理を施す。そして、各種信号処理が施された信号（ＡＶ−ＳＩＧＮＡＬ）は、メモリなどの記憶媒体（不図示）に記憶される、又は、モニタ（不図示）に出力される。
【０５４２】
以上、本開示に係る技術が適用され得るカメラの一例について説明した。
【０５４３】
（内視鏡手術システムへの適用例）
例えば、本開示に係る技術は、内視鏡手術システムに適用されてもよい。
【０５４４】
図２７Ｄは、本開示に係る技術（本技術）が適用され得る内視鏡手術システムの概略的な構成の一例を示す図である。
【０５４５】
図２７Ｄでは、術者（医師）１１１３１が、内視鏡手術システム１１０００を用いて、患者ベッド１１１３３上の患者１１１３２に手術を行っている様子が図示されている。図示するように、内視鏡手術システム１１０００は、内視鏡１１１００と、気腹チューブ１１１１１やエネルギー処置具１１１１２等の、その他の術具１１１１０と、内視鏡１１１００を支持する支持アーム装置１１１２０と、内視鏡下手術のための各種の装置が搭載されたカート１１２００と、から構成される。
【０５４６】
内視鏡１１１００は、先端から所定の長さの領域が患者１１１３２の体腔内に挿入される鏡筒１１１０１と、鏡筒１１１０１の基端に接続されるカメラヘッド１１１０２と、から構成される。図示する例では、硬性の鏡筒１１１０１を有するいわゆる硬性鏡として構成される内視鏡１１１００を図示しているが、内視鏡１１１００は、軟性の鏡筒を有するいわゆる軟性鏡として構成されてもよい。
【０５４７】
鏡筒１１１０１の先端には、対物レンズが嵌め込まれた開口部が設けられている。内視鏡１１１００には光源装置１１２０３が接続されており、当該光源装置１１２０３によって生成された光が、鏡筒１１１０１の内部に延設されるライトガイドによって当該鏡筒の先端まで導光され、対物レンズを介して患者１１１３２の体腔内の観察対象に向かって照射される。なお、内視鏡１１１００は、直視鏡であってもよいし、斜視鏡又は側視鏡であってもよい。
【０５４８】
カメラヘッド１１１０２の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ: Camera Control Unit）１１２０１に送信される。
【０５４９】
ＣＣＵ１１２０１は、ＣＰＵ（Central Processing Unit）やＧＰＵ（Graphics
Processing Unit）等によって構成され、内視鏡１１１００及び表示装置１１２０２の動作を統括的に制御する。さらに、ＣＣＵ１１２０１は、カメラヘッド１１１０２から画像信号を受け取り、その画像信号に対して、例えば現像処理（デモザイク処理）等の、当該画像信号に基づく画像を表示するための各種の画像処理を施す。
【０５５０】
表示装置１１２０２は、ＣＣＵ１１２０１からの制御により、当該ＣＣＵ１１２０１によって画像処理が施された画像信号に基づく画像を表示する。
【０５５１】
光源装置１１２０３は、例えばＬＥＤ（light emitting diode）等の光源から構成され、術部等を撮影する際の照射光を内視鏡１１１００に供給する。
【０５５２】
入力装置１１２０４は、内視鏡手術システム１１０００に対する入力インタフェースである。ユーザは、入力装置１１２０４を介して、内視鏡手術システム１１０００に対して各種の情報の入力や指示入力を行うことができる。例えば、ユーザは、内視鏡１１１００による撮像条件（照射光の種類、倍率及び焦点距離等）を変更する旨の指示等を入力する。
【０５５３】
処置具制御装置１１２０５は、組織の焼灼、切開又は血管の封止等のためのエネルギー処置具１１１１２の駆動を制御する。気腹装置１１２０６は、内視鏡１１１００による視野の確保及び術者の作業空間の確保の目的で、患者１１１３２の体腔を膨らめるために、気腹チューブ１１１１１を介して当該体腔内にガスを送り込む。レコーダ１１２０７は、手術に関する各種の情報を記録可能な装置である。プリンタ１１２０８は、手術に関する各種の情報を、テキスト、画像又はグラフ等各種の形式で印刷可能な装置である。
【０５５４】
なお、内視鏡１１１００に術部を撮影する際の照射光を供給する光源装置１１２０３は、例えばＬＥＤ、レーザ光源又はこれらの組み合わせによって構成される白色光源から構成することができる。ＲＧＢレーザ光源の組み合わせにより白色光源が構成される場合には、各色（各波長）の出力強度及び出力タイミングを高精度に制御することができるため、光源装置１１２０３において撮像画像のホワイトバランスの調整を行うことができる。また、この場合には、ＲＧＢレーザ光源それぞれからのレーザ光を時分割で観察対象に照射し、その照射タイミングに同期してカメラヘッド１１１０２の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０５５５】
また、光源装置１１２０３は、出力する光の強度を所定の時間ごとに変更するようにその駆動が制御されてもよい。その光の強度の変更のタイミングに同期してカメラヘッド１１１０２の撮像素子の駆動を制御して時分割で画像を取得し、その画像を合成することにより、いわゆる黒つぶれ及び白とびのない高ダイナミックレンジの画像を生成することができる。
【０５５６】
また、光源装置１１２０３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow Band Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察すること（自家蛍光観察）、又はインドシアニングリーン（ICG）等の試薬を体組織に局注するとともに当該体組織にその試薬の蛍光波長に対応した励起光を照射し蛍光像を得ること等を行うことができる。光源装置１１２０３は、このような特殊光観察に対応した狭帯域光及び／又は励起光を供給可能に構成され得る。
【０５５７】
図２７Ｅは、図２７Ｄに示すカメラヘッド１１１０２及びＣＣＵ１１２０１の機能構成の一例を示すブロック図である。
【０５５８】
カメラヘッド１１１０２は、レンズユニット１１４０１と、撮像部１１４０２と、駆動部１１４０３と、通信部１１４０４と、カメラヘッド制御部１１４０５と、を有する。ＣＣＵ１１２０１は、通信部１１４１１と、画像処理部１１４１２と、制御部１１４１３と、を有する。カメラヘッド１１１０２とＣＣＵ１１２０１とは、伝送ケーブル１１４００によって互いに通信可能に接続されている。
【０５５９】
レンズユニット１１４０１は、鏡筒１１１０１との接続部に設けられる光学系である。鏡筒１１１０１の先端から取り込まれた観察光は、カメラヘッド１１１０２まで導光され、当該レンズユニット１１４０１に入射する。レンズユニット１１４０１は、ズームレンズ及びフォーカスレンズを含む複数のレンズが組み合わされて構成される。
【０５６０】
撮像部１１４０２を構成する撮像素子は、１つ（いわゆる単板式）であってもよいし、複数（いわゆる多板式）であってもよい。撮像部１１４０２が多板式で構成される場合には、例えば各撮像素子によってＲＧＢそれぞれに対応する画像信号が生成され、それらが合成されることによりカラー画像が得られてもよい。あるいは、撮像部１１４０２は、３Ｄ（dimensional）表示に対応する右目用及び左目用の画像信号をそれぞれ取得するための１対の撮像素子を有するように構成されてもよい。３Ｄ表示が行われることにより、術者１１１３１は術部における生体組織の奥行きをより正確に把握することが可能になる。なお、撮像部１１４０２が多板式で構成される場合には、各撮像素子に対応して、レンズユニット１１４０１も複数系統設けられ得る。
【０５６１】
また、撮像部１１４０２は、必ずしもカメラヘッド１１１０２に設けられなくてもよい。例えば、撮像部１１４０２は、鏡筒１１１０１の内部に、対物レンズの直後に設けられてもよい。
【０５６２】
駆動部１１４０３は、アクチュエータによって構成され、カメラヘッド制御部１１４０５からの制御により、レンズユニット１１４０１のズームレンズ及びフォーカスレンズを光軸に沿って所定の距離だけ移動させる。これにより、撮像部１１４０２による撮像画像の倍率及び焦点が適宜調整され得る。
【０５６３】
通信部１１４０４は、ＣＣＵ１１２０１との間で各種の情報を送受信するための通信装置によって構成される。通信部１１４０４は、撮像部１１４０２から得た画像信号をＲＡＷデータとして伝送ケーブル１１４００を介してＣＣＵ１１２０１に送信する。
【０５６４】
また、通信部１１４０４は、ＣＣＵ１１２０１から、カメラヘッド１１１０２の駆動を制御するための制御信号を受信し、カメラヘッド制御部１１４０５に供給する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。
【０５６５】
なお、上記のフレームレートや露出値、倍率、焦点等の撮像条件は、ユーザによって適宜指定されてもよいし、取得された画像信号に基づいてＣＣＵ１１２０１の制御部１１４１３によって自動的に設定されてもよい。後者の場合には、いわゆるＡＥ（Auto Exposure）機能、ＡＦ（Auto Focus）機能及びＡＷＢ（Auto White Balance）機能が内視鏡１１１００に搭載されていることになる。
【０５６６】
カメラヘッド制御部１１４０５は、通信部１１４０４を介して受信したＣＣＵ１１２０１からの制御信号に基づいて、カメラヘッド１１１０２の駆動を制御する。
【０５６７】
通信部１１４１１は、カメラヘッド１１１０２との間で各種の情報を送受信するための通信装置によって構成される。通信部１１４１１は、カメラヘッド１１１０２から、伝送ケーブル１１４００を介して送信される画像信号を受信する。
【０５６８】
また、通信部１１４１１は、カメラヘッド１１１０２に対して、カメラヘッド１１１０２の駆動を制御するための制御信号を送信する。画像信号や制御信号は、電気通信や光通信等によって送信することができる。
【０５６９】
画像処理部１１４１２は、カメラヘッド１１１０２から送信されたＲＡＷデータである画像信号に対して各種の画像処理を施す。
【０５７０】
制御部１１４１３は、内視鏡１１１００による術部等の撮像、及び、術部等の撮像により得られる撮像画像の表示に関する各種の制御を行う。例えば、制御部１１４１３は、カメラヘッド１１１０２の駆動を制御するための制御信号を生成する。
【０５７１】
また、制御部１１４１３は、画像処理部１１４１２によって画像処理が施された画像信号に基づいて、術部等が映った撮像画像を表示装置１１２０２に表示させる。この際、制御部１１４１３は、各種の画像認識技術を用いて撮像画像内における各種の物体を認識してもよい。例えば、制御部１１４１３は、撮像画像に含まれる物体のエッジの形状や色等を検出することにより、鉗子等の術具、特定の生体部位、出血、エネルギー処置具１１１１２の使用時のミスト等を認識することができる。制御部１１４１３は、表示装置１１２０２に撮像画像を表示させる際に、その認識結果を用いて、各種の手術支援情報を当該術部の画像に重畳表示させてもよい。手術支援情報が重畳表示され、術者１１１３１に提示されることにより、術者１１１３１の負担を軽減することや、術者１１１３１が確実に手術を進めることが可能になる。
【０５７２】
カメラヘッド１１１０２及びＣＣＵ１１２０１を接続する伝送ケーブル１１４００は、電気信号の通信に対応した電気信号ケーブル、光通信に対応した光ファイバ、又はこれらの複合ケーブルである。
【０５７３】
ここで、図示する例では、伝送ケーブル１１４００を用いて有線で通信が行われていたが、カメラヘッド１１１０２とＣＣＵ１１２０１との間の通信は無線で行われてもよい。
【０５７４】
以上、本開示に係る技術が適用され得る内視鏡手術システムの一例について説明した。本開示に係る技術は、以上説明した構成のうち、例えば、カメラヘッド１１１０２の撮像部１１４０２に適用され得る。撮像部１１４０２に本開示に係る技術を適用することにより、より鮮明な術部画像を得ることができるため、術者が術部を確実に確認することが可能になる。
【０５７５】
なお、ここでは、一例として内視鏡手術システムについて説明したが、本開示に係る技術は、その他、例えば、顕微鏡手術システム等に適用されてもよい。
【０５７６】
（移動体への適用例）
例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０５７７】
図２７Ｆは、本開示に係る技術が適用され得る移動体制御システムの一例である車両制御システムの概略的な構成例を示すブロック図である。
【０５７８】
車両制御システム１２０００は、通信ネットワーク１２００１を介して接続された複数の電子制御ユニットを備える。図２７Ｆに示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（Interface）１２０５３が図示されている。
【０５７９】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０５８０】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０５８１】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０５８２】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０５８３】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０５８４】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Advanced Driver Assistance System）の機能実現を目的とした協調制御を行うことができる。
【０５８５】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０５８６】
また、マイクロコンピュータ１２０５１は、車外情報検出ユニット１２０３０で取得される車外の情報に基づいて、ボディ系制御ユニット１２０２０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０５８７】
音声画像出力部１２０５２は、車両の搭乗者又は車外に対して、視覚的又は聴覚的に情報を通知することが可能な出力装置へ音声及び画像のうちの少なくとも一方の出力信号を送信する。図２７Ｆの例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０５８８】
図２７Ｇは、撮像部１２０３１の設置位置の例を示す図である。
【０５８９】
図２７Ｇでは、撮像部１２０３１として、撮像部１２１０１、１２１０２、１２１０３、１２１０４、１２１０５を有する。
【０５９０】
撮像部１２１０１、１２１０２、１２１０３、１２１０４、１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２、１２１０３は、主として車両１２１００の側方の画像を取得する。リアバンパ又はバックドアに備えられる撮像部１２１０４は、主として車両１２１００の後方の画像を取得する。車室内のフロントガラスの上部に備えられる撮像部１２１０５は、主として先行車両又は、歩行者、障害物、信号機、交通標識又は車線等の検出に用いられる。
【０５９１】
なお、図１０２２には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０５９２】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０５９３】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０km/h以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０５９４】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０５９５】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０５９６】
以上、本開示に係る技術が適用され得る車両制御システムの一例について説明した。本開示に係る技術は、以上説明した構成のうち、撮像部１２０３１等に適用され得る。撮像部１２０３１に本開示に係る技術を適用することにより、より見やすい撮影画像を得ることができるため、ドライバの疲労を軽減することが可能になる。また、より認識しやすい撮影画像を得ることができるため、運転支援の精度を向上させることができる。
【０５９７】
（６．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０５９８】
例えば、以上説明した本実施形態に係る固体撮像装置が有する各構成（例えば図１及び図６Ａ〜図２５Ｅに示す固体撮像装置１〜２１ｋが有する各構成）は、可能な範囲で互いに組み合わされてもよい。このように各構成が組み合わされて構成される固体撮像装置も、本実施形態に係る固体撮像装置に含まれ得る。
【０５９９】
また、以上説明した本実施形態に係る各固体撮像装置の構成は、本開示に係る技術の一例に過ぎない。本開示では、他の実施形態として、以上説明した実施形態には含まれない各種の接続構造を有する固体撮像装置が提供され得る。
【０６００】
また、本明細書に記載された効果は、あくまで説明的又は例示的なものであって限定的なものではない。つまり、本開示に係る技術は、上記の効果とともに、又は上記の効果に代えて、本明細書の記載から当業者には明らかな他の効果を奏し得る。
【０６０１】
なお、以下のような構成も本開示の技術的範囲に属する。
（１）
画素が配列された画素部が形成された第１半導体基板と、前記第１半導体基板上に積層された第１多層配線層と、を有する第１基板と、
所定の機能を有する回路が形成された第２半導体基板と、前記第２半導体基板上に積層された第２多層配線層と、を有する第２基板と、
所定の機能を有する回路が形成された第３半導体基板と、前記第３半導体基板上に積層された第３多層配線層と、を有する第３基板と、
がこの順に積層されて構成され、
前記第１基板と前記第２基板とは、前記第１多層配線層と前記第２多層配線層とが対向するように貼り合わされ、
前記第１基板、前記第２基板、及び前記第３基板のうちのいずれか２つを電気的に接続するための第１の接続構造は、ビアを含み、
前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、
固体撮像装置。
（２）
前記第２基板と前記第３基板とを電気的に接続するための第２の接続構造を更に有し、
前記第２の接続構造は、前記第２多層配線層内の所定の配線を露出させるように前記第１基板の裏面側から少なくとも前記第１基板を貫通して設けられる開口部、及び前記第３多層配線層内の所定の配線を露出させるように前記第１基板の裏面側から少なくとも前記第１基板及び前記第２基板を貫通して設けられる開口部、を含む、
前記（１）に記載の固体撮像装置。
（３）
前記開口部によって露出させられる前記第２多層配線層内の前記所定の配線及び前記第３多層配線層内の前記所定の配線は、Ｉ／Ｏ部として機能するパッドである、
前記（２）に記載の固体撮像装置。
（４）
前記第１基板の裏面側の面上にＩ／Ｏ部として機能するパッドが存在し、
前記開口部の内壁には導電材料が成膜されており、
前記導電材料によって、前記開口部によって露出させられる前記第２多層配線層内の前記所定の配線及び前記第３多層配線層内の前記所定の配線が、前記パッドと電気的に接続されている、
前記（２）に記載の固体撮像装置。
（５）
前記第２多層配線層内の前記所定の配線及び前記第３多層配線層内の前記所定の配線が、前記導電材料によって、同一の前記パッドと電気的に接続される、
前記（４）に記載の固体撮像装置。
（６）
前記第２多層配線層内の前記所定の配線及び前記第３多層配線層内の前記所定の配線が、前記導電材料によって、それぞれ異なる前記パッドと電気的に接続される、
前記（４）に記載の固体撮像装置。
（７）
前記第２基板と前記第３基板とを電気的に接続するための第２の接続構造を更に有し、
前記第２基板と前記第３基板とは、前記第２半導体基板と前記第３多層配線層とが対向するように貼り合わされ、
前記第２の接続構造は、前記第２基板の表面側から少なくとも前記第２基板を貫通して設けられ、前記第２多層配線層内の所定の配線と、前記第３多層配線層内の所定の配線と、を電気的に接続するビア、又は前記第３基板の裏面側から少なくとも前記第３基板を貫通して設けられ、前記第２多層配線層内の所定の配線と、前記第３多層配線層内の所定の配線と、を電気的に接続するビア、を含む、
前記（１）〜（６）のいずれか１項に記載の固体撮像装置。
（８）
前記第２の接続構造に係る前記ビアは、前記第２多層配線層内の前記所定の配線を露出させる第１の貫通孔と、前記第３多層配線層内の前記所定の配線を露出させる前記第１の貫通孔とは異なる第２の貫通孔と、に導電材料が埋め込まれた構造、又は前記第１の貫通孔及び前記第２の貫通孔の内壁に導電材料が成膜された構造、を有する、
前記（７）に記載の固体撮像装置。
（９）
前記第２の接続構造に係る前記ビアは、前記第２多層配線層内の前記所定の配線の一部を露出させつつ前記第３多層配線層内の前記所定の配線を露出させるように設けられる１つの貫通孔、又は前記第３多層配線層内の前記所定の配線の一部を露出させつつ前記第２多層配線層内の前記所定の配線を露出させるように設けられる１つの貫通孔に、導電材料が埋め込まれた構造、又は前記貫通孔の内壁に導電材料が成膜された構造、を有する、
前記（７）に記載の固体撮像装置。
（１０）
前記第１基板と前記第３基板とを電気的に接続するための第３の接続構造を更に有し、
前記第２基板と前記第３基板とは、前記第２半導体基板と前記第３多層配線層とが対向するように貼り合わされ、
前記第３の接続構造は、前記第１基板の裏面側から少なくとも前記第１基板及び前記第２基板を貫通して設けられ、前記第１多層配線層内の所定の配線と、前記第３多層配線層内の所定の配線と、を電気的に接続するビア、又は前記第３基板の裏面側から少なくとも前記第３基板及び前記第２基板を貫通して設けられ、前記第１多層配線層内の所定の配線と、前記第３多層配線層内の所定の配線と、を電気的に接続するビア、を含む、
前記（１）〜（９）のいずれか１項に記載の固体撮像装置。
（１１）
前記第３の接続構造に係る前記ビアは、前記第１多層配線層内の前記所定の配線を露出させる第１の貫通孔と、前記第３多層配線層内の前記所定の配線を露出させる前記第１の貫通孔とは異なる第２の貫通孔と、に導電材料が埋め込まれた構造、又は前記第１の貫通孔及び前記第２の貫通孔の内壁に導電材料が成膜された構造、を有する、
前記（１０）に記載の固体撮像装置。
（１２）
前記第３の接続構造に係る前記ビアは、前記第１多層配線層内の前記所定の配線の一部を露出させつつ前記第３多層配線層内の前記所定の配線を露出させるように設けられる１つの貫通孔、又は前記第３多層配線層内の前記所定の配線の一部を露出させつつ前記第１多層配線層内の前記所定の配線を露出させるように設けられる１つの貫通孔に、導電材料が埋め込まれた構造、又は前記貫通孔の内壁に導電材料が成膜された構造、を有する、
前記（１０）に記載の固体撮像装置。
（１３）
前記第２基板と前記第３基板とを電気的に接続するための第２の接続構造を更に有し、
前記第２の接続構造は、前記第２基板及び前記第３基板の貼り合わせ面に存在し、前記貼り合わせ面にそれぞれ形成される電極同士が直接接触した状態で接合している電極接合構造、を含む、
前記（１）〜（１２）のいずれか１項に記載の固体撮像装置。
（１４）
前記第２基板及び前記第３基板は、前記固体撮像装置の動作に係る各種の信号処理を実行するロジック回路、及び前記第１基板の前記画素の各々によって取得された画素信号を一時的に保持するメモリ回路、の少なくともいずれかを有する、
前記（１）〜（１３）のいずれか１項に記載の固体撮像装置。
（１５）
観察対象を電子的に撮影する固体撮像装置、を備え、
前記固体撮像装置は、
画素が配列された画素部が形成された第１半導体基板と、前記第１半導体基板上に積層された第１多層配線層と、を有する第１基板と、
所定の機能を有する回路が形成された第２半導体基板と、前記第２半導体基板上に積層された第２多層配線層と、を有する第２基板と、
所定の機能を有する回路が形成された第３半導体基板と、前記第３半導体基板上に積層された第３多層配線層と、を有する第３基板と、
がこの順に積層されて構成され、
前記第１基板と前記第２基板とは、前記第１多層配線層と前記第２多層配線層とが対向するように貼り合わされ、
前記第１基板、前記第２基板、及び前記第３基板のうちのいずれか２つを電気的に接続するための第１の接続構造は、ビアを含み、
前記ビアは、前記第１多層配線層、前記第２多層配線層、及び前記第３多層配線層のうちのいずれかに含まれる第１の配線を露出させるように設けられる一の貫通孔と、前記第１多層配線層、前記第２多層配線層、及び前記第３多層配線層のうちの前記第１の配線が含まれる多層配線層以外のいずれかに含まれる第２の配線を露出させるように設けられる他の貫通孔と、に導電材料が埋め込まれた構造、又はこれらの貫通孔の内壁に導電材料が成膜された構造、を有する、
電子機器。
【符号の説明】
【０６０２】
１、１ａ〜１ｃ、２ａ〜２ｅ、３ａ〜３ｋ、４ａ〜４ｇ、５ａ〜５ｋ、６ａ〜６ｇ、７ａ〜７ｆ、８ａ〜８ｌ、９ａ〜９ｈ、１０ａ〜１０ｋ、１１ａ〜１１ｇ、１２ａ〜１２ｇ、１３ａ〜１３ｊ、１４ａ〜１４ｆ、１５ａ〜１５ｋ、１６ａ〜１６ｇ、１７ａ〜１７ｍ、１８ａ〜１８ｍ、１９ａ〜１９ｋ、２０ａ〜２０ｍ、２１ａ〜２１ｋ    固体撮像装置
１０１、１２１、１３１    半導体基板
１０３、１０９、１２３、１２９、１３３    絶縁膜
１０５、１２５、１３５    多層配線層
１１０Ａ    第１基板
１１０Ｂ    第２基板
１１０Ｃ    第３基板
１１１    ＣＦ層
１１３    ＭＬアレイ
１５１    パッド
１５３、１５３ａ、１５３ｂ、１５３ｃ    パッド開口部
１５５、１５５ａ、１５５ｂ、１５５ｃ    引き出し線開口部
１５７、１５７ａ、１５７ｂ    ＴＳＶ
１５９    電極接合構造
９０１    スマートフォン（電子機器）
９１１    デジタルカメラ（電子機器）
【図１】
2018186197.tif 000003
【図２Ａ】
2018186197.tif 000004
【図２Ｂ】
2018186197.tif 000005
【図２Ｃ】
2018186197.tif 000006
【図２Ｄ】
2018186197.tif 000007
【図２Ｅ】
2018186197.tif 000008
【図２Ｆ】
2018186197.tif 000009
【図３Ａ】
2018186197.tif 000010
【図３Ｂ】
2018186197.tif 000011
【図４Ａ】
2018186197.tif 000012
【図４Ｂ】
2018186197.tif 000013
【図５Ａ】
2018186197.tif 000014
【図５Ｂ】
2018186197.tif 000015
【図５Ｃ】
2018186197.tif 000016
【図６Ａ】
2018186197.tif 000017
【図６Ｂ】
2018186197.tif 000018
【図６Ｃ】
2018186197.tif 000019
【図６Ｄ】
2018186197.tif 000020
【図６Ｅ】
2018186197.tif 000021
【図７Ａ】
2018186197.tif 000022
【図７Ｂ】
2018186197.tif 000023
【図７Ｃ】
2018186197.tif 000024
【図７Ｄ】
2018186197.tif 000025
【図７Ｅ】
2018186197.tif 000026
【図７Ｆ】
2018186197.tif 000027
【図７Ｇ】
2018186197.tif 000028
【図７Ｈ】
2018186197.tif 000029
【図７Ｉ】
2018186197.tif 000030
【図７Ｊ】
2018186197.tif 000031
【図７Ｋ】
2018186197.tif 000032
【図８Ａ】
2018186197.tif 000033
【図８Ｂ】
2018186197.tif 000034
【図８Ｃ】
2018186197.tif 000035
【図８Ｄ】
2018186197.tif 000036
【図８Ｅ】
2018186197.tif 000037
【図８Ｆ】
2018186197.tif 000038
【図８Ｇ】
2018186197.tif 000039
【図９Ａ】
2018186197.tif 000040
【図９Ｂ】
2018186197.tif 000041
【図９Ｃ】
2018186197.tif 000042
【図９Ｄ】
2018186197.tif 000043
【図９Ｅ】
2018186197.tif 000044
【図９Ｆ】
2018186197.tif 000045
【図９Ｇ】
2018186197.tif 000046
【図９Ｈ】
2018186197.tif 000047
【図９Ｉ】
2018186197.tif 000048
【図９Ｊ】
2018186197.tif 000049
【図９Ｋ】
2018186197.tif 000050
【図１０Ａ】
2018186197.tif 000051
【図１０Ｂ】
2018186197.tif 000052
【図１０Ｃ】
2018186197.tif 000053
【図１０Ｄ】
2018186197.tif 000054
【図１０Ｅ】
2018186197.tif 000055
【図１０Ｆ】
2018186197.tif 000056
【図１０Ｇ】
2018186197.tif 000057
【図１１Ａ】
2018186197.tif 000058
【図１１Ｂ】
2018186197.tif 000059
【図１１Ｃ】
2018186197.tif 000060
【図１１Ｄ】
2018186197.tif 000061
【図１１Ｅ】
2018186197.tif 000062
【図１１Ｆ】
2018186197.tif 000063
【図１２Ａ】
2018186197.tif 000064
【図１２Ｂ】
2018186197.tif 000065
【図１２Ｃ】
2018186197.tif 000066
【図１２Ｄ】
2018186197.tif 000067
【図１２Ｅ】
2018186197.tif 000068
【図１２Ｆ】
2018186197.tif 000069
【図１２Ｇ】
2018186197.tif 000070
【図１２Ｈ】
2018186197.tif 000071
【図１２Ｉ】
2018186197.tif 000072
【図１２Ｊ】
2018186197.tif 000073
【図１２Ｋ】
2018186197.tif 000074
【図１２Ｌ】
2018186197.tif 000075
【図１３Ａ】
2018186197.tif 000076
【図１３Ｂ】
2018186197.tif 000077
【図１３Ｃ】
2018186197.tif 000078
【図１３Ｄ】
2018186197.tif 000079
【図１３Ｅ】
2018186197.tif 000080
【図１３Ｆ】
2018186197.tif 000081
【図１３Ｇ】
2018186197.tif 000082
【図１３Ｈ】
2018186197.tif 000083
【図１４Ａ】
2018186197.tif 000084
【図１４Ｂ】
2018186197.tif 000085
【図１４Ｃ】
2018186197.tif 000086
【図１４Ｄ】
2018186197.tif 000087
【図１４Ｅ】
2018186197.tif 000088
【図１４Ｆ】
2018186197.tif 000089
【図１４Ｇ】
2018186197.tif 000090
【図１４Ｈ】
2018186197.tif 000091
【図１４Ｉ】
2018186197.tif 000092
【図１４Ｊ】
2018186197.tif 000093
【図１４Ｋ】
2018186197.tif 000094
【図１５Ａ】
2018186197.tif 000095
【図１５Ｂ】
2018186197.tif 000096
【図１５Ｃ】
2018186197.tif 000097
【図１５Ｄ】
2018186197.tif 000098
【図１５Ｅ】
2018186197.tif 000099
【図１５Ｆ】
2018186197.tif 000100
【図１５Ｇ】
2018186197.tif 000101
【図１６Ａ】
2018186197.tif 000102
【図１６Ｂ】
2018186197.tif 000103
【図１６Ｃ】
2018186197.tif 000104
【図１６Ｄ】
2018186197.tif 000105
【図１６Ｅ】
2018186197.tif 000106
【図１６Ｆ】
2018186197.tif 000107
【図１６Ｇ】
2018186197.tif 000108
【図１７Ａ】
2018186197.tif 000109
【図１７Ｂ】
2018186197.tif 000110
【図１７Ｃ】
2018186197.tif 000111
【図１７Ｄ】
2018186197.tif 000112
【図１７Ｅ】
2018186197.tif 000113
【図１７Ｆ】
2018186197.tif 000114
【図１７Ｇ】
2018186197.tif 000115
【図１７Ｈ】
2018186197.tif 000116
【図１７Ｉ】
2018186197.tif 000117
【図１７Ｊ】
2018186197.tif 000118
【図１８Ａ】
2018186197.tif 000119
【図１８Ｂ】
2018186197.tif 000120
【図１８Ｃ】
2018186197.tif 000121
【図１８Ｄ】
2018186197.tif 000122
【図１８Ｅ】
2018186197.tif 000123
【図１８Ｆ】
2018186197.tif 000124
【図１８Ｇ】
2018186197.tif 000125
【図１９Ａ】
2018186197.tif 000126
【図１９Ｂ】
2018186197.tif 000127
【図１９Ｃ】
2018186197.tif 000128
【図１９Ｄ】
2018186197.tif 000129
【図１９Ｅ】
2018186197.tif 000130
【図１９Ｆ】
2018186197.tif 000131
【図１９Ｇ】
2018186197.tif 000132
【図１９Ｈ】
2018186197.tif 000133
【図１９Ｉ】
2018186197.tif 000134
【図１９Ｊ】
2018186197.tif 000135
【図１９Ｋ】
2018186197.tif 000136
【図２０Ａ】
2018186197.tif 000137
【図２０Ｂ】
2018186197.tif 000138
【図２０Ｃ】
2018186197.tif 000139
【図２０Ｄ】
2018186197.tif 000140
【図２０Ｅ】
2018186197.tif 000141
【図２０Ｆ】
2018186197.tif 000142
【図２０Ｇ】
2018186197.tif 000143
【図２１Ａ】
2018186197.tif 000144
【図２１Ｂ】
2018186197.tif 000145
【図２１Ｃ】
2018186197.tif 000146
【図２１Ｄ】
2018186197.tif 000147
【図２１Ｅ】
2018186197.tif 000148
【図２１Ｆ】
2018186197.tif 000149
【図２１Ｇ】
2018186197.tif 000150
【図２１Ｈ】
2018186197.tif 000151
【図２１Ｉ】
2018186197.tif 000152
【図２１Ｊ】
2018186197.tif 000153
【図２１Ｋ】
2018186197.tif 000154
【図２１Ｌ】
2018186197.tif 000155
【図２１Ｍ】
2018186197.tif 000156
【図２２Ａ】
2018186197.tif 000157
【図２２Ｂ】
2018186197.tif 000158
【図２２Ｃ】
2018186197.tif 000159
【図２２Ｄ】
2018186197.tif 000160
【図２２Ｅ】
2018186197.tif 000161
【図２２Ｆ】
2018186197.tif 000162
【図２２Ｇ】
2018186197.tif 000163
【図２２Ｈ】
2018186197.tif 000164
【図２２Ｉ】
2018186197.tif 000165
【図２２Ｊ】
2018186197.tif 000166
【図２２Ｋ】
2018186197.tif 000167
【図２２Ｌ】
2018186197.tif 000168
【図２２Ｍ】
2018186197.tif 000169
【図２３Ａ】
2018186197.tif 000170
【図２３Ｂ】
2018186197.tif 000171
【図２３Ｃ】
2018186197.tif 000172
【図２３Ｄ】
2018186197.tif 000173
【図２３Ｅ】
2018186197.tif 000174
【図２３Ｆ】
2018186197.tif 000175
【図２３Ｇ】
2018186197.tif 000176
【図２３Ｈ】
2018186197.tif 000177
【図２３Ｉ】
2018186197.tif 000178
【図２３Ｊ】
2018186197.tif 000179
【図２３Ｋ】
2018186197.tif 000180
【図２４Ａ】
2018186197.tif 000181
【図２４Ｂ】
2018186197.tif 000182
【図２４Ｃ】
2018186197.tif 000183
【図２４Ｄ】
2018186197.tif 000184
【図２４Ｅ】
2018186197.tif 000185
【図２４Ｆ】
2018186197.tif 000186
【図２４Ｇ】
2018186197.tif 000187
【図２４Ｈ】
2018186197.tif 000188
【図２４Ｉ】
2018186197.tif 000189
【図２４Ｊ】
2018186197.tif 000190
【図２４Ｋ】
2018186197.tif 000191
【図２４Ｌ】
2018186197.tif 000192
【図２４Ｍ】
2018186197.tif 000193
【図２５Ａ】
2018186197.tif 000194
【図２５Ｂ】
2018186197.tif 000195
【図２５Ｃ】
2018186197.tif 000196
【図２５Ｄ】
2018186197.tif 000197
【図２５Ｅ】
2018186197.tif 000198
【図２５Ｆ】
2018186197.tif 000199
【図２５Ｇ】
2018186197.tif 000200
【図２５Ｈ】
2018186197.tif 000201
【図２５Ｉ】
2018186197.tif 000202
【図２５Ｊ】
2018186197.tif 000203
【図２５Ｋ】
2018186197.tif 000204
【図２６Ａ】
2018186197.tif 000205
【図２６Ｂ】
2018186197.tif 000206
【図２６Ｃ】
2018186197.tif 000207
【図２７Ａ】
2018186197.tif 000208
【図２７Ｂ】
2018186197.tif 000209
【図２７Ｃ】
2018186197.tif 000210
【図２７Ｄ】
2018186197.tif 000211
【図２７Ｅ】
2018186197.tif 000212
【図２７Ｆ】
2018186197.tif 000213
【図２７Ｇ】
2018186197.tif 000214
【国際調査報告】
2018186197.tif 000215
2018186197.tif 000216
2018186197.tif 000217
2018186197.tif 000218